(57)【要約】【課題】競技者が十分楽しんでかつ安全に競技を行うことができる環境を提供する。【解決手段】擬似プレイが選択されると、情報管理センタ２の管理サーバ８は、競技者としてのユーザを支援するための競技支援情報として、使用するゴルフクラブに対応する予測情報としての落下地点（終点）を求めて提示する。ユーザＢ1，Ｂ2，…は、携帯端末３の表示部５５の画面を見て、この予測情報を確認することができ、ユーザＢ1，Ｂ2，…は、自分が選んだゴルフクラブが最適であることを確認し、正確に、打球を目標位置に到達させることができる。【選択図】図１
2006081696.tif 000002
【特許請求の範囲】
【請求項１】
所定の競技を行う競技場で用いられ、移動可能な移動端末と、前記競技に関する情報を管理する競技情報管理装置とが、ネットワークを介して接続されて構成された競技者支援システムであって、
前記移動端末は、前記競技情報管理装置と前記ネットワークを介してデータ通信を行うための無線通信手段と、競技者を支援するための競技者支援情報を前記競技者に通知するための情報通知手段とを有し、
前記競技情報管理装置は、前記競技者支援情報を提示する競技者支援情報提示手段と、前記競技者の競技履歴を含む競技者情報を記憶する競技者情報記憶手段とを有し、
前記移動端末が、前記競技者が前記競技で用いる競技用具及びその使用条件を含む競技条件設定情報を送信すると、前記競技者支援情報提示手段は、前記競技者情報記憶手段に記憶された前記競技者情報と、前記競技条件設定情報とに基づいて、前記競技条件設定情報に対応する予測情報を含む前記競技者支援情報を生成して提示する
ことを特徴とする競技者支援システム。
【請求項２】
前記競技場における少なくとも風速及び風向を含む気象情報を取得するための気象情報取得手段を有し、前記競技者支援情報提示手段は、前記競技条件設定情報と、前記競技者情報と、前記気象情報取得手段によって得られた前記気象情報とに基づいて、前記予測情報を含む前記競技者支援情報を提示することを特徴とする請求項１記載の競技者支援システム。
【請求項３】
前記競技者支援情報提示手段は、前記競技者の安全を確保するための前記競技者支援情報としての安全管理情報を、前記移動端末へ送信することを特徴とする請求項１又は２記載の競技者支援システム。
【請求項４】
前記競技の種目、前記競技場、前記競技用具は、それぞれ、ゴルフ、ゴルフ場、ゴルフクラブであることを特徴とする請求項１、２又は３記載の競技者支援システム。
【請求項５】
前記競技者情報記憶手段に記憶された前記競技者情報は、前記競技者が使用した前記ゴルフクラブの種類と対応する打球の飛距離とを示す情報を含み、
前記競技条件設定情報は、前記競技者が使用する前記ゴルフクラブの種類と、打球の始点としてのストローク位置と、ストローク方向とを含み、
前記競技者支援情報提示手段は、前記競技者情報記憶手段に記憶された前記競技者の前記競技者情報に含まれ、前記移動端末から受け取った前記競技条件設定情報に含まれる前記ゴルフクラブの種類と同一のゴルフクラブの種類に対応する打球の飛距離を予測飛距離として抽出し、
前記競技条件設定情報に含まれるストローク位置からストローク方向に沿って前記予測飛距離離れた位置を予測落下位置として求め、少なくとも該予測落下位置を含む前記競技者支援情報としての前記予測情報を生成して提示することを特徴とする請求項４記載の競技者支援システム。
【請求項６】
前記競技者情報記憶手段に記憶された前記競技者情報は、前記競技者が使用した前記ゴルフクラブの種類毎に、ストロ−ク方向に沿った方向の風速の成分に対応した打球の飛距離と、ストロ−ク方向に直交した方向の風速の成分に対応した前記ストローク位置と打球の落下位置とを結ぶ方向とストロ−ク方向とがなすずれ角度とを示す情報を含み、
前記競技条件設定情報は、前記競技者が使用する前記ゴルフクラブの種類と、打球の始点としてのストローク位置と、ストローク方向とを含み、
前記競技者支援情報提示手段は、前記気象情報取得手段から、現在の風速及び風向を含む気象情報を取得し、前記気象情報に含まれる風速を、ストロ−ク方向に沿った方向の成分と、ストロ−ク方向に直交した方向の成分とに分解して求め、
前記競技者情報記憶手段に記憶された前記競技者の前記競技者情報に含まれ、前記移動端末から受け取った前記競技条件設定情報に含まれる前記ゴルフクラブの種類と同一のゴルフクラブの種類と、ストロ−ク方向に沿った方向の風速の成分とに対応した打球の飛距離を予測飛距離として抽出し、
前記競技条件設定情報に含まれる前記ゴルフクラブの種類と同一のゴルフクラブの種類と、ストロ−ク方向に直交した方向の風速の成分に対応した前記ずれ角度を予測ずれ角度として抽出し、
前記競技条件設定情報に含まれるストローク位置からストローク方向に対して前記予測ずれ角度回転した方向に沿って前記予測飛距離離れた位置を予測落下位置として求め、少なくとも該予測落下位置を含む前記競技者支援情報としての前記予測情報を生成して提示する
ことを特徴とする請求項５記載の競技者支援システム。
【請求項７】
前記競技者情報記憶手段に記憶された前記競技者情報は、前記競技者が使用した前記ゴルフクラブの種類毎に、前記競技者が該ゴルフクラブを使用した際のフルスイング時を基準とした打球の飛距離の比で示されるスイング強度に対応した打球の飛距離を示す情報を含み、
前記競技条件設定情報は、前記競技者が使用する前記ゴルフクラブの種類と、打球の始点としてのストローク位置と、ストローク方向と、スイング強度とを含み、
前記競技者支援情報提示手段は、前記競技者情報記憶手段に記憶された前記競技者の前記競技者情報に含まれ、前記移動端末から受け取った前記競技条件設定情報に含まれる前記ゴルフクラブの種類と同一のゴルフクラブの種類と、スイング強度とに対応した打球の飛距離を予測飛距離として抽出し、
前記競技条件設定情報に含まれるストローク位置からストローク方向に沿って前記予測飛距離離れた位置を予測落下位置として求め、少なくとも該予測落下位置を含む前記競技者支援情報としての前記予測情報を生成して提示する
ことを特徴とする請求項５又は６記載の競技者支援システム。
【請求項８】
前記移動端末は、位置測定用衛星から測位情報を受信するための測位情報受信手段を有し、
かつ、前記競技情報管理装置は、前記移動端末から前記ネットワークを介して受信した前記測位情報に基づいて、前記移動端末の位置を算出する端末位置算出手段と、
前記端末位置算出手段によって算出された前記移動端末の位置と、前記競技場内の所定の位置との間の距離を求める距離算出手段とを有し、
前記競技者情報は、前記競技者が使用した前記ゴルフクラブの種類と対応する打球の飛距離とを示す情報を含み、
前記移動端末から、前記競技情報管理装置に、打球の目標到達位置としての目標位置情報及び前記測位情報が送信されると、
前記端末位置算出手段は、前記移動端末の位置を算出し、かつ、前記距離算出手段は、前記移動端末の位置と目標位置との間の距離を、打球の所要飛距離として算出し、
前記競技者支援情報提示手段は、前記所要飛距離を、前記競技者情報記憶手段に記憶された前記ゴルフクラブの種類毎の打球の飛距離に照合させて、前記所要飛距離に対応する前記ゴルフクラブの種類を推奨ゴルフクラブの種類として選定し、該推奨ゴルフクラブの種類を、前記競技者に対するアドバイス情報として含む前記競技者支援情報を生成して提示することを特徴とする請求項５、６又は７記載の競技者支援システム。
【請求項９】
前記競技者情報は、前記競技者が使用した前記ゴルフクラブの種類毎に、ストロ−ク方向に沿った方向の風速の成分に対応した打球の飛距離と、ストロ−ク方向に直交した方向の風速の成分に対応したストローク位置と打球の落下位置とを結ぶ方向とストロ−ク方向とがなすずれ角度とを示す情報を含み、
前記移動端末から、前記競技情報管理装置に、打球の目標到達位置としての目標位置情報及び前記測位情報が送信されると、
前記端末位置算出手段は、前記移動端末の位置を算出し、かつ、前記距離算出手段は、前記移動端末の位置と目標位置との間の距離を、打球の所要飛距離として算出し、
前記競技者支援情報提示手段は、前記気象情報取得手段から、現在の風速及び風向を含む気象情報を取得し、該気象情報に含まれる現在の風速を、目標方向に沿った方向の成分と、目標方向に直交した方向の成分とに分解して求め、
前記所要飛距離と、求められた目標方向に沿った方向の風速の成分との組合せを、前記競技者情報記憶手段に記憶され、前記競技者が使用した前記ゴルフクラブの種類毎に、ストロ−ク方向に沿った方向の風速の成分に対応した打球の飛距離を示す情報の風速の成分と打球の飛距離との組合せに照合させて、前記所要飛距離と、求められた目標方向に沿った方向の風速の成分とに対応する前記ゴルフクラブの種類を求めて、推奨ゴルフクラブの種類を選定し、
選定した前記推奨ゴルフクラブの種類と、求められた目標方向に直交した方向の風速の成分との組合せを、前記競技者情報記憶手段に記憶され、前記競技者が使用した前記ゴルフクラブの種類毎に、前記ストロ−ク方向に直交した方向の風速の成分に対応した前記ずれ角度を示す情報のゴルフクラブの種類と風速の成分との組合せに照合させて、ゴルフクラブの種類と、求められた目標方向に直交した方向の風速の成分とに対応するずれ角度を求めて、目標方向に対するストロ−ク方向の角度としての推奨調整角度を求めて、
前記推奨ゴルフクラブの種類及び前記推奨調整角度を前記競技者に対するアドバイス情報として含む前記競技者支援情報を生成して提示することを特徴とする請求項８記載の競技者支援システム。
【請求項１０】
前記競技情報管理装置は、少なくともコース情報を含む前記競技場に関する情報を記憶する競技場情報記憶手段を有し、前記移動端末から競技場情報提示要求を受けると、前記競技者支援情報提示手段は、前記競技場に関する情報を前記競技者支援情報として提示することを特徴とする請求項４乃至９のいずれか１に記載の競技者支援システム。
【請求項１１】
前記移動端末は、位置測定用衛星から測位情報を受信するための測位情報受信手段と、前記競技に関する情報を記憶する競技情報記憶手段と、少なくとも、ストローク時に、対応する時刻情報を含むストローク情報を前記競技情報記憶手段に記憶させる競技情報収集手段とを有し、
前記競技情報管理装置は、前記移動端末から前記ネットワークを介して受信した前記測位情報に基づいて、前記移動端末の位置を算出する端末位置算出手段と、前記移動端末から送信された前記ストローク情報と、前記端末位置算出手段によって算出された前記移動端末の位置情報と対応する時刻情報と、前記競技場情報記憶手段に記憶された前記コース情報とに基づいて、前記競技場内の所定のホールにおける前記競技者の打数を計数して集計情報を生成する集計処理手段とを有し、
前記集計処理手段は、前記競技場内の所定のホールのスタート位置からピン位置へ到る経路上に前記移動端末が位置した場合のストロークを、前記所定のホールにおけるストロークと判断し、打数として計数することを特徴とする請求項１０記載の競技者支援システム。
【請求項１２】
前記競技情報収集手段は、前記ゴルフクラブに取着され、該ゴルフクラブの識別情報を記憶したタグ装置から前記識別情報を読み取って前記ゴルフクラブを識別するゴルフクラブ識別手段を有し、前記識別情報を読取時刻情報と共に前記ストローク情報に付加して前記競技情報記憶手段に記憶させ、
前記集計処理手段は、前記移動端末から送信された前記識別情報を、前記集計情報に付加して前記競技者情報記憶手段に記憶させる
ことを特徴とする請求項１１記載の競技者支援システム。
【請求項１３】
前記競技情報収集手段は、打球音を検知する打球音検知手段と、該打球音検知手段から打球音検知信号を受け取ると、前記競技者によってストロークが行われたものと判定して、対応する時刻情報を含む前記ストローク情報を前記競技情報記憶手段に記憶させるストローク判定処理手段とを有することを特徴とする請求項１１又は１２記載の競技者支援システム。
【請求項１４】
競技中以外の又は実際には競技を行わない擬似競技者としてのユーザが用いるユーザ端末が、前記ネットワークを介して、前記競技情報管理装置に接続され、
前記競技者支援情報提示手段は、前記ユーザ端末から、前記競技条件設定情報を受けると、少なくとも予測落下位置を含む前記予測情報を生成して提示し、
前記集計処理手段は、前記競技場内の所定のホールにおける前記予測情報に含まれる予測落下位置の数を前記擬似競技者の打数として計数して擬似集計情報を生成する
ことを特徴とする請求項１１、１２又は１３記載の競技者支援システム。
【請求項１５】
同一の前記競技場で用いられる複数の前記移動端末が、前記ネットワークを介して前記競技情報管理装置に接続され、
前記競技情報管理装置は、前記端末位置算出手段によって算出された前記移動端末の位置と、前記競技場内の所定の位置又は他の前記移動端末の位置との間の距離を求める距離算出手段と、前記各移動端末の位置情報及び対応する時刻情報と、前記競技場情報記憶手段に記憶された前記競技場の前記コース情報とに基づいて、前記競技場内で実施される複数の競技の進行管理を行う競技進行管理手段を有し、
該競技進行管理手段は、互いに独立して前記競技場内で前記競技を行っている所定の前記競技者が用いる前記移動端末同士の距離が、前記競技場内の位置関係に応じて予め設定された所定の範囲よりも近づくと、後発側の前記競技者が用いる前記移動端末へ待機指示信号を送信し、前記移動端末同士の距離が、前記所定の範囲よりも遠ざかると、後発側の前記競技者が用いる前記移動端末へ進行指示信号を送信する競技者配置調整手段を有することを特徴とする請求項１１乃至１４のいずれか１に記載の記載の競技者支援システム。
【請求項１６】
前記移動端末の前記競技情報収集手段は、ストロークの度に前記ストローク情報を前記競技情報管理装置へ送信するストローク情報送信手段を有し、
前記競技情報管理装置は、前記ストローク情報送信手段から受け取った前記ストローク情報と、前記各移動端末の位置情報と、前記競技場情報記憶手段に記憶された前記競技場の前記コース情報とに基づいて、所定の領域内に位置する前記移動端末に対して、前記安全管理情報としての打球飛来危険情報を生成して送信する危険情報送信手段を有し、
前記危険情報送信手段は、前記ストローク情報送信手段から前記ストローク情報を受け取ると、前記ストローク情報を送信した前記移動端末から所定の方向を含む所定の半径の略扇形の領域内に位置する前記移動端末に対して、前記打球飛来危険情報を生成して送信し、
前記打球飛来危険情報を受け取った前記移動端末は、前記情報通知手段としての音声出力手段によって、打球飛来警報を出力することを特徴とする請求項１１乃至１５のいずれか１に記載の競技者支援システム。
【請求項１７】
前記競技者情報記憶手段は、前記競技者の現在に至る体力情報及び健康情報を含む健康管理情報を記憶し、前記競技情報管理装置は、前記競技者情報記憶手段に記憶された前記競技者の前記健康管理情報に含まれる前記競技者の健康状態を示す現在の所定の指標が過去の前記指標よりも悪化していると判断した場合に、前記安全管理情報としての体調注意情報を生成して送信する注意情報送信手段を有し、
前記注意情報送信手段から前記体調注意情報を受け取った前記移動端末は、前記情報通知手段によって、体調注意警報を出力することを特徴とする請求項３乃至１６のいずれか１に記載の競技者支援システム。
【請求項１８】
前記移動端末は、位置測定用衛星から測位情報を受信するための測位情報受信手段を有し、
前記競技情報管理装置は、前記移動端末から前記ネットワークを介して受信した前記測位情報に基づいて、前記移動端末の位置を算出する端末位置算出手段と、前記端末位置算出手段によって算出された前記移動端末の位置と、前記競技場内の所定の位置との間の距離を求める距離算出手段と、前記競技場内で前記競技者が利用可能な施設の営業情報を含む施設情報を記憶する施設情報記憶手段と、前記施設情報記憶手段に記憶された前記施設情報に基づいて前記施設の利用を促すための案内情報を生成し、前記各移動端末の位置情報及び対応する時刻情報に基づいて、前記案内情報を送信すべき前記移動端末を選定し、選定された前記移動端末へ前記案内情報を所定のタイミングで送信する施設案内情報提示手段を有してなり、
前記施設案内情報提示手段は、前記移動端末が、案内対象の施設から所定の距離に達すると、前記施設に関する前記案内情報を前記移動端末へ送信する
ことを特徴とする請求項１乃至１７のいずれか１に記載の競技者支援システム。
【請求項１９】
前記競技情報管理装置は、複数の前記競技場に設置された競技場内情報処理装置と前記ネットワークを介して接続され、前記各競技場内情報処理装置を介して、前記各競技場において実施される前記競技に関する情報を管理し、
前記競技者情報記憶手段には、前記各競技場に対応付けられて前記競技者情報が記憶され、
前記移動端末が、前記競技場を指定するための競技場指定情報と、前記競技条件設定情報とを送信すると、前記競技者支援情報提示手段は、前記競技者情報記憶手段に記憶された指定された前記競技場における前記競技者情報と、前記競技条件設定情報とに基づいて、前記競技条件設定情報に対応する予測情報を含む前記競技者支援情報を生成して提示する
ことを特徴とする請求項１乃至１８のいずれか１に記載の競技者支援システム。
【請求項２０】
前記移動端末は、文字画像情報の表示が可能な前記情報通知手段としての表示手段と、ホームページアドレスとしての所定のＵＲＬにアクセスして所定のコンテンツを閲覧するための閲覧プログラムを含む各種プログラム及び所定のＵＲＬ情報を含む各種情報を記憶する端末機能情報記憶手段と、前記閲覧プログラム及び前記ＵＲＬ情報を直接読み出すためのショートカット用のアイコンを前記表示手段に表示させるアイコン表示制御手段と、前記アイコンが選択されることによって対応する所定のＵＲＬへのアクセス機能を呼び出す機能呼出手段とを有してなり、
前記表示手段に表示された前記アイコンが選択されると、前記機能呼出手段は、前記端末機能情報記憶手段に記憶された前記閲覧プログラム及び前記ＵＲＬ情報を読み出して、前記閲覧プログラムを実行し、所定のコンテンツを前記表示手段に表示させる
ことを特徴とする請求項１乃至１９のいずれか１に記載の競技者支援システム。
【請求項２１】
競技場で行われる所定の競技に関する情報を管理する競技情報管理装置であって、
前記競技場で用いられ、データ通信を行うための無線通信手段及び競技者を支援するための競技者支援情報を前記競技者に通知するための情報通知手段を有し前記競技者と共に移動可能な移動端末に、ネットワークを介して接続され、
前記競技者支援情報を提示する競技者支援情報提示手段と、前記競技者の競技履歴を含む競技者情報を記憶する競技者情報記憶手段とを有し、
前記移動端末から、前記競技者が前記競技で用いる競技用具及びその使用条件を含む競技条件設定情報を受信すると、前記競技者支援情報提示手段は、前記競技者情報記憶手段に記憶された前記競技者情報と、前記競技条件設定情報とに基づいて、前記競技条件設定情報に対応する予測情報を含む前記競技者支援情報を生成して提示する
ことを特徴とする競技情報管理装置。
【請求項２２】
前記競技場における少なくとも風速及び風向を含む気象情報を取得するための気象情報取得手段に、ネットワークを介して接続され、前記競技者支援情報提示手段は、前記競技条件設定情報と、前記競技者情報と、前記気象情報取得手段によって得られた前記気象情報とに基づいて、前記予測情報を含む前記競技者支援情報を提示することを特徴とする請求項２１記載の競技情報管理装置。
【請求項２３】
前記競技者支援情報提示手段は、前記競技者の安全を確保するための前記競技者支援情報としての安全管理情報を、前記移動端末へ送信することを特徴とする請求項２１又は２２記載の競技情報管理装置。
【請求項２４】
前記競技の種目、前記競技場、前記競技用具は、それぞれ、ゴルフ、ゴルフ場、ゴルフクラブであることを特徴とする請求項２１、２２又は２３記載の競技情報管理装置。
【請求項２５】
前記競技者情報記憶手段に記憶された前記競技者情報は、前記競技者が使用した前記ゴルフクラブの種類と対応する打球の飛距離とを示す情報を含み、
前記競技条件設定情報は、前記競技者が使用する前記ゴルフクラブの種類と、打球の始点としてのストローク位置と、ストローク方向とを含み、
前記競技者支援情報提示手段は、前記競技者情報記憶手段に記憶された前記競技者の前記競技者情報に含まれ、前記移動端末から受け取った前記競技条件設定情報に含まれる前記ゴルフクラブの種類と同一のゴルフクラブの種類に対応する打球の飛距離を予測飛距離として抽出し、
前記競技条件設定情報に含まれるストローク位置からストローク方向に沿って前記予測飛距離離れた位置を予測落下位置として求め、少なくとも該予測落下位置を含む前記競技者支援情報としての前記予測情報を生成して提示することを特徴とする請求項２４記載の競技情報管理装置。
【請求項２６】
前記競技者情報記憶手段に記憶された前記競技者情報は、前記競技者が使用した前記ゴルフクラブの種類毎に、ストロ−ク方向に沿った方向の風速の成分に対応した打球の飛距離と、ストロ−ク方向に直交した方向の風速の成分に対応した前記ストローク位置と打球の落下位置とを結ぶ方向とストロ−ク方向とがなすずれ角度とを示す情報を含み、
前記競技条件設定情報は、前記競技者が使用する前記ゴルフクラブの種類と、打球の始点としてのストローク位置と、ストローク方向とを含み、
前記競技者支援情報提示手段は、前記気象情報取得手段から、現在の風速及び風向を含む気象情報を取得し、前記気象情報に含まれる風速を、ストロ−ク方向に沿った方向の成分と、ストロ−ク方向に直交した方向の成分とに分解して求め、
前記競技者情報記憶手段に記憶された前記競技者の前記競技者情報に含まれ、前記移動端末から受け取った前記競技条件設定情報に含まれる前記ゴルフクラブの種類と同一のゴルフクラブの種類と、ストロ−ク方向に沿った方向の風速の成分とに対応した打球の飛距離を予測飛距離として抽出し、
前記競技条件設定情報に含まれる前記ゴルフクラブの種類と同一のゴルフクラブの種類と、ストロ−ク方向に直交した方向の風速の成分に対応した前記ずれ角度を予測ずれ角度として抽出し、
前記競技条件設定情報に含まれるストローク位置からストローク方向に対して前記予測ずれ角度回転した方向に沿って前記予測飛距離離れた位置を予測落下位置として求め、少なくとも該予測落下位置を含む前記競技者支援情報としての前記予測情報を生成して提示する
ことを特徴とする請求項２５記載の競技情報管理装置。
【請求項２７】
前記競技者情報記憶手段に記憶された前記競技者情報は、前記競技者が使用した前記ゴルフクラブの種類毎に、前記競技者が該ゴルフクラブを使用した際のフルスイング時を基準とした打球の飛距離の比で示されるスイング強度に対応した打球の飛距離を示す情報を含み、
前記競技条件設定情報は、前記競技者が使用する前記ゴルフクラブの種類と、打球の始点としてのストローク位置と、ストローク方向と、スイング強度とを含み、
前記競技者支援情報提示手段は、前記競技者情報記憶手段に記憶された前記競技者の前記競技者情報に含まれ、前記移動端末から受け取った前記競技条件設定情報に含まれる前記ゴルフクラブの種類と同一のゴルフクラブの種類と、スイング強度とに対応した打球の飛距離を予測飛距離として抽出し、
前記競技条件設定情報に含まれるストローク位置からストローク方向に沿って前記予測飛距離離れた位置を予測落下位置として求め、少なくとも該予測落下位置を含む前記競技者支援情報としての前記予測情報を生成して提示する
ことを特徴とする請求項２５又は２６記載の競技情報管理装置。
【請求項２８】
位置測定用衛星から測位情報を受信するための測位情報受信手段を有する前記移動端末に、ネットワークを介して接続され、
前記移動端末から前記ネットワークを介して受信した前記測位情報に基づいて、前記移動端末の位置を算出する端末位置算出手段と、
前記端末位置算出手段によって算出された前記移動端末の位置と、前記競技場内の所定の位置との間の距離を求める距離算出手段とを有し、
前記競技者情報は、前記競技者が使用した前記ゴルフクラブの種類と対応する打球の飛距離とを示す情報を含み、
前記移動端末から、打球の目標到達位置としての目標位置情報及び前記測位情報を受信すると、
前記端末位置算出手段は、前記移動端末の位置を算出し、かつ、前記距離算出手段は、前記移動端末の位置と目標位置との間の距離を、打球の所要飛距離として算出し、
前記競技者支援情報提示手段は、前記所要飛距離を、前記競技者情報記憶手段に記憶された前記ゴルフクラブの種類毎の打球の飛距離に照合させて、前記所要飛距離に対応する前記ゴルフクラブの種類を推奨ゴルフクラブの種類として選定し、該推奨ゴルフクラブの種類を、前記競技者に対するアドバイス情報として含む前記競技者支援情報を生成して提示することを特徴とする請求項２５、２６又は２７記載の競技情報管理装置。
【請求項２９】
前記競技者情報は、前記競技者が使用した前記ゴルフクラブの種類毎に、ストロ−ク方向に沿った方向の風速の成分に対応した打球の飛距離と、ストロ−ク方向に直交した方向の風速の成分に対応したストローク位置と打球の落下位置とを結ぶ方向とストロ−ク方向とがなすずれ角度とを示す情報を含み、
前記移動端末から、打球の目標到達位置としての目標位置情報及び前記測位情報を受信すると、
前記端末位置算出手段は、前記移動端末の位置を算出し、かつ、前記距離算出手段は、前記移動端末の位置と目標位置との間の距離を、打球の所要飛距離として算出し、
前記競技者支援情報提示手段は、前記気象情報取得手段から、現在の風速及び風向を含む気象情報を取得し、該気象情報に含まれる現在の風速を、目標方向に沿った方向の成分と、目標方向に直交した方向の成分とに分解して求め、
前記所要飛距離と、求められた目標方向に沿った方向の風速の成分との組合せを、前記競技者情報記憶手段に記憶され、前記競技者が使用した前記ゴルフクラブの種類毎に、ストロ−ク方向に沿った方向の風速の成分に対応した打球の飛距離を示す情報の風速の成分と打球の飛距離との組合せに照合させて、前記所要飛距離と、求められた目標方向に沿った方向の風速の成分とに対応する前記ゴルフクラブの種類を求めて、推奨ゴルフクラブの種類を選定し、
選定した前記推奨ゴルフクラブの種類と、求められた目標方向に直交した方向の風速の成分との組合せを、前記競技者情報記憶手段に記憶され、前記競技者が使用した前記ゴルフクラブの種類毎に、前記ストロ−ク方向に直交した方向の風速の成分に対応した前記ずれ角度を示す情報のゴルフクラブの種類と風速の成分との組合せに照合させて、ゴルフクラブの種類と、求められた目標方向に直交した方向の風速の成分とに対応するずれ角度を求めて、目標方向に対するストロ−ク方向の角度としての推奨調整角度を求めて、
前記推奨ゴルフクラブの種類及び前記推奨調整角度を前記競技者に対するアドバイス情報として含む前記競技者支援情報を生成して提示することを特徴とする請求項２８記載の競技情報管理装置。
【請求項３０】
少なくともコース情報を含む前記競技場に関する情報を記憶する競技場情報記憶手段を有し、前記移動端末から競技場情報提示要求を受けると、前記競技者支援情報提示手段は、前記競技場に関する情報を前記競技者支援情報として提示することを特徴とする請求項２４乃至２９のいずれか１に記載の競技情報管理装置。
【請求項３１】
位置測定用衛星から測位情報を受信するための測位情報受信手段と、前記競技に関する情報を記憶する競技情報記憶手段と、少なくとも、ストローク時に、対応する時刻情報を含むストローク情報を前記競技情報記憶手段に記憶させる競技情報収集手段とを有する前記移動端末に、ネットワークを介して接続され、
前記移動端末から前記ネットワークを介して受信した前記測位情報に基づいて、前記移動端末の位置を算出する端末位置算出手段と、前記移動端末から送信された前記ストローク情報と、前記端末位置算出手段によって算出された前記移動端末の位置情報と対応する時刻情報と、前記競技場情報記憶手段に記憶された前記コース情報とに基づいて、前記競技場内の所定のホールにおける前記競技者の打数を計数して集計情報を生成する集計処理手段を有し、
前記集計処理手段は、前記競技場内の所定のホールのスタート位置からピン位置へ到る経路上に前記移動端末が位置した場合のストロークを、前記所定のホールにおけるストロークと判断し、打数として計数することを特徴とする請求項３０記載の競技情報管理装置。
【請求項３２】
同一の前記競技場で用いられる複数の前記移動端末に、前記ネットワークを介して接続され、
前記端末位置算出手段によって算出された前記移動端末の位置と、前記競技場内の所定の位置又は他の前記移動端末の位置との間の距離を求める距離算出手段と、前記各移動端末の位置情報及び対応する時刻情報と、前記競技場情報記憶手段に記憶された前記競技場の前記コース情報とに基づいて、前記競技場内で実施される複数の競技の進行管理を行う競技進行管理手段を有し、
該競技進行管理手段は、互いに独立して前記競技場内で前記競技を行っている所定の前記競技者が用いる前記移動端末同士の距離が、前記競技場内の位置関係に応じて予め設定された所定の範囲よりも近づくと、後発側の前記競技者が用いる前記移動端末へ待機指示信号を送信し、前記移動端末同士の距離が、前記所定の範囲よりも遠ざかると、後発側の前記競技者が用いる前記移動端末へ進行指示信号を送信する競技者配置調整手段を有することを特徴とする請求項３１記載の競技情報管理装置。
【請求項３３】
ストロークの度に前記ストローク情報を送信するストローク情報送信手段を有する前記移動端末に、ネットワークを介して接続され、
前記ストローク情報送信手段から受け取った前記ストローク情報と、前記各移動端末の位置情報と、前記競技場情報記憶手段に記憶された前記競技場の前記コース情報とに基づいて、所定の領域内に位置する前記移動端末に対して、前記安全管理情報としての打球飛来危険情報を生成して送信する危険情報送信手段を有し、
前記危険情報送信手段は、前記ストローク情報送信手段から前記ストローク情報を受け取ると、前記ストローク情報を送信した前記移動端末から所定の方向を含む所定の半径の略扇形の領域内に位置する前記移動端末に対して、前記打球飛来危険情報を生成して送信し、
前記打球飛来危険情報を受け取った前記移動端末は、前記情報通知手段としての音声出力手段によって、打球飛来警報を出力することを特徴とする請求項３１又は３２記載の競技情報管理装置。
【請求項３４】
前記競技者情報記憶手段は、前記競技者の現在に至る体力情報及び健康情報を含む健康管理情報を記憶し、当該競技情報管理装置は、前記競技者情報記憶手段に記憶された前記競技者の前記健康管理情報に含まれる前記競技者の健康状態を示す現在の所定の指標が過去の前記指標よりも悪化していると判断した場合に、前記安全管理情報としての体調注意情報を生成して送信する注意情報送信手段を有し、
前記注意情報送信手段から前記体調注意情報を受け取った前記移動端末は、前記情報通知手段によって、体調注意警報を出力することを特徴とする請求項２３乃至３３のいずれか１に記載の競技情報管理装置。
【請求項３５】
位置測定用衛星から測位情報を受信するための測位情報受信手段を有する前記移動端末に、ネットワークを介して接続され、
前記移動端末から前記ネットワークを介して受信した前記測位情報に基づいて、前記移動端末の位置を算出する端末位置算出手段と、前記端末位置算出手段によって算出された前記移動端末の位置と、前記競技場内の所定の位置との間の距離を求める距離算出手段と、前記競技場内で前記競技者が利用可能な施設の営業情報を含む施設情報を記憶する施設情報記憶手段と、前記施設情報記憶手段に記憶された前記施設情報に基づいて前記施設の利用を促すための案内情報を生成し、前記各移動端末の位置情報及び対応する時刻情報に基づいて、前記案内情報を送信すべき前記移動端末を選定し、選定された前記移動端末へ前記案内情報を所定のタイミングで送信する施設案内情報提示手段を有してなり、
前記施設案内情報提示手段は、前記移動端末が、案内対象の施設から所定の距離に達すると、前記施設に関する前記案内情報を前記移動端末へ送信する
ことを特徴とする請求項２１乃至３４のいずれか１に記載の競技情報管理装置。
【請求項３６】
複数の前記競技場に設置された競技場内情報処理装置と前記ネットワークを介して接続され、前記各競技場内情報処理装置を介して、前記各競技場において実施される前記競技に関する情報を管理し、
前記競技者情報記憶手段には、前記各競技場に対応付けられて前記競技者情報が記憶され、
前記移動端末から、前記競技場を指定するための競技場指定情報と、前記競技条件設定情報とを受信すると、前記競技者支援情報提示手段は、前記競技者情報記憶手段に記憶された指定された前記競技場における前記競技者情報と、前記競技条件設定情報とに基づいて、前記競技条件設定情報に対応する予測情報を含む前記競技者支援情報を生成して提示する
ことを特徴とする請求項２１乃至３５のいずれか１に記載の競技情報管理装置。
【請求項３７】
所定の競技を行う競技場で用いられ、競技者と共に移動可能な移動端末であって、
競技者を支援するための競技者支援情報を提示する競技者支援情報提示手段及び前記競技者の競技履歴を含む競技者情報を記憶する競技者情報記憶手段を有し、前記競技に関する情報を管理する競技情報管理装置に、ネットワークを介して接続され、
前記移動端末は、前記競技情報管理装置と前記ネットワークを介してデータ通信を行うための無線通信手段と、前記競技者支援情報を前記競技者に通知するための情報通知手段とを有し、
前記競技者支援情報提示手段は、前記競技者が前記競技で用いる競技用具及びその使用条件を含む競技条件設定情報を受信すると、前記競技者情報記憶手段に記憶された前記競技者情報と、前記競技条件設定情報とに基づいて、前記競技条件設定情報に対応する予測情報を含む前記競技者支援情報を生成して提示することを特徴とする移動端末。
【請求項３８】
位置測定用衛星から測位情報を受信するための測位情報受信手段と、前記競技に関する情報を記憶する競技情報記憶手段と、少なくとも、ストローク時に、対応する時刻情報を含むストローク情報を前記競技情報記憶手段に記憶させる競技情報収集手段とを有し、
前記測位情報に基づいて、当該移動端末の位置を算出する端末位置算出手段と、前記ストローク情報と、前記端末位置算出手段によって算出された当該移動端末の位置情報と対応する時刻情報と、前記競技場情報記憶手段に記憶された前記コース情報とに基づいて、前記競技場内の所定のホールにおける前記競技者の打数を計数して集計情報を生成する集計処理手段とを有する前記競技情報管理装置に、前記ネットワークを介して接続され、
前記競技情報収集手段は、前記ゴルフクラブに取着され、該ゴルフクラブの識別情報を記憶したタグ装置から前記識別情報を読み取って前記ゴルフクラブを識別するゴルフクラブ識別手段を有し、前記識別情報を読取時刻情報と共に前記ストローク情報に付加して前記競技情報記憶手段に記憶させ、
前記集計処理手段は、前記移動端末から送信された前記識別情報を、前記集計情報に付加して前記競技者情報記憶手段に記憶させ、前記競技場内の所定のホールのスタート位置とピン位置との間に前記移動端末が位置していると判断した場合に、前記ストローク情報を受け取ると、前記所定のホールにおける打数として計数する
ことを特徴とする請求項３７記載の移動端末。
【請求項３９】
前記競技情報収集手段は、打球音を検知する打球音検知手段と、該打球音検知手段から打球音検知信号を受け取ると、前記競技者によってストロークが行われたものと判定して、対応する時刻情報を含む前記ストローク情報を前記競技情報記憶手段に記憶させるストローク判定処理手段とを有することを特徴とする請求項３８記載の移動端末。
【請求項４０】
文字画像情報の表示が可能な前記情報通知手段としての表示手段と、ホームページアドレスとしての所定のＵＲＬにアクセスして所定のコンテンツを閲覧するための閲覧プログラムを含む各種プログラム及び所定のＵＲＬ情報を含む各種情報を記憶する端末機能情報記憶手段と、前記閲覧プログラム及び前記ＵＲＬ情報を直接読み出すためのショートカット用のアイコンを前記表示手段に表示させるアイコン表示制御手段と、前記アイコンが選択されることによって対応する所定のＵＲＬへのアクセス機能を呼び出す機能呼出手段とを有してなり、
前記表示手段に表示された前記アイコンが選択されると、前記機能呼出手段は、前記端末機能情報記憶手段に記憶された前記閲覧プログラム及び前記ＵＲＬ情報を読み出して、前記閲覧プログラムを実行し、所定のコンテンツを前記表示手段に表示させる
ことを特徴とする請求項３７、３８又は３９記載の移動端末。
【請求項４１】
所定の競技を行う競技場で用いられ、移動可能な移動端末と、前記競技に関する情報を管理する競技情報管理装置とが、ネットワークを介して接続され、
前記移動端末は、無線通信手段によって、データ通信を行うと共に、情報通知手段によって、競技者を支援するための競技者支援情報を前記競技者に通知し、
前記競技情報管理装置は、前記競技者の競技履歴を含む競技者情報を競技者情報記憶手段に記憶し、前記競技者支援情報を提示する競技者支援情報提示処理を行い、
前記移動端末が、前記競技者が前記競技で用いる競技用具及びその使用条件を含む競技条件設定情報を送信すると、
前記競技情報管理装置は、前記競技者支援情報提示処理で、前記競技者情報記憶手段に記憶された前記競技者情報と、前記競技条件設定情報とに基づいて、前記競技条件設定情報に対応する予測情報を含む前記競技者支援情報を生成して提示する
ことを特徴とする競技者支援方法。
【請求項４２】
前記競技場における少なくとも風速及び風向を含む気象情報を取得するための気象情報取得手段が、前記競技情報管理装置にネットワークを介して接続され、
前記競技者支援情報提示処理では、前記競技条件設定情報と、前記競技者情報と、前記気象情報取得手段によって得られた前記気象情報とに基づいて、前記予測情報を含む前記競技者支援情報を提示することを特徴とする請求項４１記載の競技者支援方法。
【請求項４３】
前記競技者支援情報提示処理では、前記競技者の安全を確保するための前記競技者支援情報としての安全管理情報を、前記移動端末へ送信することを特徴とする請求項４１又は４２記載の競技者支援方法。
【請求項４４】
前記競技の種目、前記競技場、前記競技用具は、それぞれ、ゴルフ、ゴルフ場、ゴルフクラブであることを特徴とする請求項４１、４２又は４３記載の競技者支援方法。
【請求項４５】
前記競技者情報記憶手段に記憶された前記競技者情報は、前記競技者が使用した前記ゴルフクラブの種類と対応する打球の飛距離とを示す情報を含み、
前記競技条件設定情報は、前記競技者が使用する前記ゴルフクラブの種類と、打球の始点としてのストローク位置と、ストローク方向とを含み、
前記競技者支援情報提示処理では、前記競技者情報記憶手段に記憶された前記競技者の前記競技者情報に含まれ、前記移動端末から受け取った前記競技条件設定情報に含まれる前記ゴルフクラブの種類と同一のゴルフクラブの種類に対応する打球の飛距離を予測飛距離として抽出し、
前記競技条件設定情報に含まれるストローク位置からストローク方向に沿って前記予測飛距離離れた位置を予測落下位置として求め、少なくとも該予測落下位置を含む前記競技者支援情報としての前記予測情報を生成して提示することを特徴とする請求項４４記載の競技者支援方法。
【請求項４６】
前記競技者情報記憶手段に記憶された前記競技者情報は、前記競技者が使用した前記ゴルフクラブの種類毎に、ストロ−ク方向に沿った方向の風速の成分に対応した打球の飛距離と、ストロ−ク方向に直交した方向の風速の成分に対応した前記ストローク位置と打球の落下位置とを結ぶ方向とストロ−ク方向とがなすずれ角度とを示す情報を含み、
前記競技条件設定情報は、前記競技者が使用する前記ゴルフクラブの種類と、打球の始点としてのストローク位置と、ストローク方向とを含み、
前記競技者支援情報提示処理では、前記気象情報取得手段から、現在の風速及び風向を含む気象情報を取得し、前記気象情報に含まれる風速を、ストロ−ク方向に沿った方向の成分と、ストロ−ク方向に直交した方向の成分とに分解して求め、
前記競技者情報記憶手段に記憶された前記競技者の前記競技者情報に含まれ、前記移動端末から受け取った前記競技条件設定情報に含まれる前記ゴルフクラブの種類と同一のゴルフクラブの種類と、ストロ−ク方向に沿った方向の風速の成分とに対応した打球の飛距離を予測飛距離として抽出し、
前記競技条件設定情報に含まれる前記ゴルフクラブの種類と同一のゴルフクラブの種類と、ストロ−ク方向に直交した方向の風速の成分に対応した前記ずれ角度を予測ずれ角度として抽出し、
前記競技条件設定情報に含まれるストローク位置からストローク方向に対して前記予測ずれ角度回転した方向に沿って前記予測飛距離離れた位置を予測落下位置として求め、少なくとも該予測落下位置を含む前記競技者支援情報としての前記予測情報を生成して提示する
ことを特徴とする請求項４５記載の競技者支援方法。
【請求項４７】
前記競技者情報記憶手段に記憶された前記競技者情報は、前記競技者が使用した前記ゴルフクラブの種類毎に、前記競技者が該ゴルフクラブを使用した際のフルスイング時を基準とした打球の飛距離の比で示されるスイング強度に対応した打球の飛距離を示す情報を含み、
前記競技条件設定情報は、前記競技者が使用する前記ゴルフクラブの種類と、打球の始点としてのストローク位置と、ストローク方向と、スイング強度とを含み、
前記競技者支援情報提示処理では、前記競技者情報記憶手段に記憶された前記競技者の前記競技者情報に含まれ、前記移動端末から受け取った前記競技条件設定情報に含まれる前記ゴルフクラブの種類と同一のゴルフクラブの種類と、スイング強度とに対応した打球の飛距離を予測飛距離として抽出し、
前記競技条件設定情報に含まれるストローク位置からストローク方向に沿って前記予測飛距離離れた位置を予測落下位置として求め、少なくとも該予測落下位置を含む前記競技者支援情報としての前記予測情報を生成して提示する
ことを特徴とする請求項４５又は４６記載の競技者支援方法。
【請求項４８】
前記移動端末は、測位情報受信手段によって、位置測定用衛星から測位情報を受信し、
かつ、前記競技情報管理装置は、前記移動端末から前記ネットワークを介して受信した前記測位情報に基づいて、前記移動端末の位置を算出する端末位置算出処理と、前記端末位置算出処理で算出された前記移動端末の位置と、前記競技場内の所定の位置との間の距離を求める距離算出処理とを実行し、
前記競技者情報は、前記競技者が使用した前記ゴルフクラブの種類と対応する打球の飛距離とを示す情報を含み、
前記競技情報管理装置は、前記移動端末から、打球の目標到達位置としての目標位置情報及び前記測位情報を受信すると、
前記端末位置算出処理で、前記移動端末の位置を算出し、かつ、前記距離算出処理で前記移動端末の位置と目標位置との間の距離を、打球の所要飛距離として算出し、
前記競技者支援情報提示処理で、前記所要飛距離を、前記競技者情報記憶手段に記憶された前記ゴルフクラブの種類毎の打球の飛距離に照合させて、前記所要飛距離に対応する前記ゴルフクラブの種類を推奨ゴルフクラブの種類として選定し、該推奨ゴルフクラブの種類を、前記競技者に対するアドバイス情報として含む前記競技者支援情報を生成して提示することを特徴とする請求項４５、４６又は４７記載の競技者支援方法。
【請求項４９】
前記競技者情報は、前記競技者が使用した前記ゴルフクラブの種類毎に、ストロ−ク方向に沿った方向の風速の成分に対応した打球の飛距離と、ストロ−ク方向に直交した方向の風速の成分に対応したストローク位置と打球の落下位置とを結ぶ方向とストロ−ク方向とがなすずれ角度とを示す情報を含み、
前記競技情報管理装置は、前記移動端末から、打球の目標到達位置としての目標位置情報及び前記測位情報を受信すると、
前記端末位置算出処理で、前記移動端末の位置を算出し、かつ、前記距離算出処理で、前記移動端末の位置と目標位置との間の距離を、打球の所要飛距離として算出し、
前記競技者支援情報提示処理で、前記気象情報取得手段から、現在の風速及び風向を含む気象情報を取得し、該気象情報に含まれる現在の風速を、目標方向に沿った方向の成分と、目標方向に直交した方向の成分とに分解して求め、
前記所要飛距離と、求められた目標方向に沿った方向の風速の成分との組合せを、前記競技者情報記憶手段に記憶され、前記競技者が使用した前記ゴルフクラブの種類毎に、ストロ−ク方向に沿った方向の風速の成分に対応した打球の飛距離を示す情報の風速の成分と打球の飛距離との組合せに照合させて、前記所要飛距離と、求められた目標方向に沿った方向の風速の成分とに対応する前記ゴルフクラブの種類を求めて、推奨ゴルフクラブの種類を選定し、
選定した前記推奨ゴルフクラブの種類と、求められた目標方向に直交した方向の風速の成分との組合せを、前記競技者情報記憶手段に記憶され、前記競技者が使用した前記ゴルフクラブの種類毎に、前記ストロ−ク方向に直交した方向の風速の成分に対応した前記ずれ角度を示す情報のゴルフクラブの種類と風速の成分との組合せに照合させて、ゴルフクラブの種類と、求められた目標方向に直交した方向の風速の成分とに対応するずれ角度を求めて、目標方向に対するストロ−ク方向の角度としての推奨調整角度を求めて、
前記推奨ゴルフクラブの種類及び前記推奨調整角度を前記競技者に対するアドバイス情報として含む前記競技者支援情報を生成して提示することを特徴とする請求項４８記載の競技者支援方法。
【請求項５０】
前記競技情報管理装置は、少なくともコース情報を含む前記競技場に関する情報を競技場情報記憶手段に記憶し、前記移動端末から競技場情報提示要求を受けると、前記競技者支援情報提示処理で、前記競技場に関する情報を前記競技者支援情報として提示することを特徴とする請求項４４乃至４９のいずれか１に記載の競技者支援方法。
【請求項５１】
前記移動端末は、測位情報受信手段によって、位置測定用衛星から測位情報を受信し、前記競技に関する情報を競技情報記憶手段に記憶し、少なくとも、ストローク時に、対応する時刻情報を含むストローク情報を前記競技情報記憶手段に記憶させる競技情報収集処理を実行し、
前記競技情報管理装置は、前記移動端末から前記ネットワークを介して受信した前記測位情報に基づいて、前記移動端末の位置を算出する端末位置算出処理と、前記移動端末から送信された前記ストローク情報と、前記端末位置算出処理で算出された前記移動端末の位置情報と対応する時刻情報と、前記競技場情報記憶手段に記憶された前記コース情報とに基づいて、前記競技場内の所定のホールにおける前記競技者の打数を計数して集計情報を生成する集計処理を実行し、
前記集計処理手段は、前記競技場内の所定のホールのスタート位置からピン位置へ到る経路上に前記移動端末が位置した場合のストロークを、前記所定のホールにおけるストロークと判断し、打数として計数することを特徴とする請求項５０記載の競技者支援方法。
【請求項５２】
前記競技情報収集処理では、前記ゴルフクラブに取着され、該ゴルフクラブの識別情報を記憶したタグ装置から前記識別情報を読み取って前記ゴルフクラブを識別するゴルフクラブ識別処理を実行し、前記識別情報を読取時刻情報と共に前記ストローク情報に付加して前記競技情報記憶手段に記憶させ、
前記集計処理で、前記移動端末から送信された前記識別情報を、前記集計情報に付加して前記競技者情報記憶手段に記憶させる
ことを特徴とする請求項５１記載の競技者支援方法。
【請求項５３】
前記競技情報収集処理では、打球音検知手段によって打球音を検知し、該打球音検知手段から打球音検知信号を受け取ると、前記競技者によってストロークが行われたものと判定して、対応する時刻情報を含む前記ストローク情報を前記競技情報記憶手段に記憶させるストローク判定処理を実行することを特徴とする請求項５１又は５２記載の競技者支援方法。
【請求項５４】
競技中以外の又は実際には競技を行わない擬似競技者としてのユーザが用いるユーザ端末が、前記ネットワークを介して、前記競技情報管理装置に接続され、
前記競技情報管理装置は、前記競技者支援情報提示処理で、前記ユーザ端末から、前記競技条件設定情報を受けると、少なくとも予測落下位置を含む前記予測情報を生成して提示し、
前記集計処理で、前記競技場内の所定のホールにおける前記予測情報に含まれる予測落下位置の数を前記擬似競技者の打数として計数して擬似集計情報を生成する
ことを特徴とする請求項５１、５２又は５３記載の競技者支援方法。
【請求項５５】
同一の前記競技場で用いられる複数の前記移動端末が、前記ネットワークを介して前記競技情報管理装置に接続され、
前記競技情報管理装置は、前記端末位置算出処理で算出された前記移動端末の位置と、前記競技場内の所定の位置又は他の前記移動端末の位置との間の距離を求める距離算出処理と、前記各移動端末の位置情報及び対応する時刻情報と、前記競技場情報記憶手段に記憶された前記競技場の前記コース情報とに基づいて、前記競技場内で実施される複数の競技の進行管理を行う競技進行管理処理とを実行し、
該競技進行管理処理で、互いに独立して前記競技場内で前記競技を行っている所定の前記競技者が用いる前記移動端末同士の距離が、前記競技場内の位置関係に応じて予め設定された所定の範囲よりも近づくと、後発側の前記競技者が用いる前記移動端末へ待機指示信号を送信し、前記移動端末同士の距離が、前記所定の範囲よりも遠ざかると、後発側の前記競技者が用いる前記移動端末へ進行指示信号を送信する競技者配置調整処理を実行することを特徴とする請求項５１乃至５４のいずれか１に記載の記載の競技者支援方法。
【請求項５６】
前記移動端末は、前記競技情報収集処理で、ストローク情報送信手段によって、ストロークの度に前記ストローク情報を前記競技情報管理装置へ送信し、
前記競技情報管理装置は、前記ストローク情報送信手段から受け取った前記ストローク情報と、前記各移動端末の位置情報と、前記競技場情報記憶手段に記憶された前記競技場の前記コース情報とに基づいて、所定の領域内に位置する前記移動端末に対して、前記安全管理情報としての打球飛来危険情報を生成して送信する危険情報送信処理を実行し、
前記危険情報送信処理によって、前記ストローク情報送信手段から前記ストローク情報を受け取ると、前記ストローク情報を送信した前記移動端末から所定の方向を含む所定の半径の略扇形の領域内に位置する前記移動端末に対して、前記打球飛来危険情報を生成して送信し、
前記打球飛来危険情報を受け取った前記移動端末は、前記情報通知手段としての音声出力手段によって、打球飛来警報を出力することを特徴とする請求項５１乃至５５のいずれか１に記載の競技者支援方法。
【請求項５７】
前記競技者情報記憶手段は、前記競技者の現在に至る体力情報及び健康情報を含む健康管理情報を記憶し、前記競技情報管理装置は、前記競技者情報記憶手段に記憶された前記競技者の前記健康管理情報に含まれる前記競技者の健康状態を示す現在の所定の指標が過去の前記指標よりも悪化していると判断した場合に、前記安全管理情報としての体調注意情報を生成して送信する注意情報送信処理を実行し、
前記注意情報送信処理によって前記体調注意情報を受け取った前記移動端末は、前記情報通知手段によって、体調注意警報を出力することを特徴とする請求項４３乃至５６のいずれか１に記載の競技者支援方法。
【請求項５８】
前記移動端末は、測位情報受信手段によって位置測定用衛星から測位情報を受信し、
前記競技情報管理装置は、前記移動端末から前記ネットワークを介して受信した前記測位情報に基づいて、前記移動端末の位置を算出する端末位置算出処理と、前記端末位置算出処理で算出された前記移動端末の位置と、前記競技場内の所定の位置との間の距離を求める距離算出処理とを実行し、前記競技場内で前記競技者が利用可能な施設の営業情報を含む施設情報を施設情報記憶手段に記憶し、前記施設情報記憶手段に記憶された前記施設情報に基づいて前記施設の利用を促すための案内情報を生成し、前記各移動端末の位置情報及び対応する時刻情報に基づいて、前記案内情報を送信すべき前記移動端末を選定し、選定された前記移動端末へ前記案内情報を所定のタイミングで送信する施設案内情報提示処理を実行し、
前記施設案内情報提示処理で、前記移動端末が、案内対象の施設から所定の距離に達すると、前記施設に関する前記案内情報を前記移動端末へ送信する
ことを特徴とする請求項４１乃至５７のいずれか１に記載の競技者支援方法。
【請求項５９】
前記競技情報管理装置は、複数の前記競技場に設置された競技場内情報処理装置と前記ネットワークを介して接続され、前記各競技場内情報処理装置を介して、前記各競技場において実施される前記競技に関する情報を管理し、
前記競技者情報記憶手段には、前記各競技場に対応付けられて前記競技者情報が記憶され、
前記移動端末が、前記競技場を指定するための競技場指定情報と、前記競技条件設定情報とを送信すると、前記競技情報管理装置は、前記競技者支援情報提示処理で、前記競技者情報記憶手段に記憶された指定された前記競技場における前記競技者情報と、前記競技条件設定情報とに基づいて、前記競技条件設定情報に対応する予測情報を含む前記競技者支援情報を生成して提示する
ことを特徴とする請求項４１乃至５８のいずれか１に記載の競技者支援方法。
【請求項６０】
前記移動端末は、前記情報通知手段としての表示手段によって、文字画像情報の表示を行い、ホームページアドレスとしての所定のＵＲＬにアクセスして所定のコンテンツを閲覧するための閲覧プログラムを含む各種プログラム及び所定のＵＲＬ情報を含む各種情報を端末機能情報記憶手段に記憶し、前記閲覧プログラム及び前記ＵＲＬ情報を直接読み出すためのショートカット用のアイコンを前記表示手段に表示させるアイコン表示制御処理と、前記アイコンが選択されることによって対応する所定のＵＲＬへのアクセス機能を呼び出す機能呼出処理とを実行し、
前記移動端末は、前記表示手段に表示された前記アイコンが選択されると、前記機能呼出処理で、前記端末機能情報記憶手段に記憶された前記閲覧プログラム及び前記ＵＲＬ情報を読み出して、前記閲覧プログラムを実行し、所定のコンテンツを前記表示手段に表示させる
ことを特徴とする請求項４１乃至５９のいずれか１に記載の競技者支援方法。
【発明の詳細な説明】
【技術分野】
【０００１】
この発明は、競技者支援システム、競技情報管理装置、移動端末及び競技者支援方法に係り、例えば携帯電話機等の移動端末と競技情報管理装置を構成するサーバとの間で、ネットワークを介して、ゴルフ等の競技を行う上での情報の送受信を行うための競技者支援システム、競技情報管理装置、移動端末及び競技者支援方法に関する。
【背景技術】
【０００２】
従来より、ゴルフを行うユーザが、例えば、事前にゴルフ場の情報を得ようとする場合には、所定のゴルフ場の経営会社が開設したホームページにアクセスしたり、各地のゴルフ場の情報を提示するＷＥＢサイトにアクセスし、提示された所定の情報を参考にして、予約のための検討を行ったり、コース攻略方法を練ったりすることが多い。ここで、提示されるゴルフ場の情報としては、コースの実写画像又はＣＧ（Computer Graphics）画像、コース配置図等の地図情報等が含まれる。
また、競技者としてのユーザは、データ通信可能な携帯端末を介して、競技中でも、ＷＥＢサイト等にアクセスして、そのゴルフ場の地図情報等を取り出して、競技の際の参考とすることも可能である。
【０００３】
しかしながら、ゴルフの競技中に、競技者としてのユーザが、こうした地図情報を見ることができても、例えば、現在のボールの位置からピンまでの正確な距離を知ることは困難で、競技を行いながら、ユーザ自身の目測で、距離の検討をつけて、目標位置までの距離に対応したゴルフクラブを自分で選択するか、精々第３者（キャディーやマーカ）の意見を聞きながら、ゴルフクラブを決めることとなる。
ここで、競技者は、ボールの位置からピンまでの距離や、起伏、コースレイアウトを考慮した上で、自身の勘や経験を頼りに実際にラウンドしながら攻略方法を考え、例えば、目標位置を決め、対応したゴルフクラブを選択する。
さらには、強風の場合には、風速、風向等も考慮して、攻略方法を考えなけらればならない。
【０００４】
このため、例えば、競技者としてのユーザの現在位置からピンの位置までの距離を、ＧＰＳ受信機能付きの携帯端末の現在位置情報を取得することによって求めて、携帯端末へ送信し、ユーザへ通知する技術が提案されている（例えば、特許文献１、特許文献２参照。）。
また、ピンまでの距離、又はコース情報に応じて、対応する最適なゴルフクラブの種類（番号）を抽出して、アドバイス情報として、携帯端末へ送信する技術も提案されている（例えば、特許文献１、特許文献３、特許文献４参照。）。
また、ピンまでの距離情報に加えて、気象情報を付加的に送信する技術も提案されている（例えば、特許文献１参照。）。
【特許文献１】特開２０００−２２５２２６号公報
【特許文献２】特開２００２−２１４３２４号公報
【特許文献３】特開２００３−０６２１４５号公報
【特許文献４】特開２００３−２３０６５０号公報
【発明の開示】
【発明が解決しようとする課題】
【０００５】
解決しようとする問題点は、例えば、強風や濃霧等悪天候下での競技や、実力差が激しい競技者間で競技を行うような場合に、依然として、各競技者が競技を十分楽しむことが困難であるという点である。特に、競技者が初心者である場合には、この傾向が強くなる。また、例えば、落雷や打球の飛来の危険が高いような場合には、競技の楽しみを享受する余裕もない。
【０００６】
この発明は、上述の事情に鑑みてなされたもので、例えば、気象条件や習熟度にかかわらず、どのような条件下でも、競技者が十分楽しんで競技を行う環境を提供することができる競技者支援システム、競技情報管理装置、移動端末及び競技者支援方法を提供することを目的としている。
【課題を解決するための手段】
【０００７】
上記課題を解決するために、請求項１記載の発明は、所定の競技を行う競技場で用いられ、移動可能な移動端末と、上記競技に関する情報を管理する競技情報管理装置とが、ネットワークを介して接続されて構成された競技者支援システムに係り、上記移動端末は、上記競技情報管理装置と上記ネットワークを介してデータ通信を行うための無線通信手段と、競技者を支援するための競技者支援情報を上記競技者に通知するための情報通知手段とを有し、上記競技情報管理装置は、上記競技者支援情報を提示する競技者支援情報提示手段と、上記競技者の競技履歴を含む競技者情報を記憶する競技者情報記憶手段とを有し、上記移動端末が、上記競技者が上記競技で用いる競技用具及びその使用条件を含む競技条件設定情報を送信すると、上記競技者支援情報提示手段は、上記競技者情報記憶手段に記憶された上記競技者情報と、上記競技条件設定情報とに基づいて、上記競技条件設定情報に対応する予測情報を含む上記競技者支援情報を生成して提示することを特徴としている。
ここで、競技者支援情報提示手段は、競技者を支援するための競技支援情報として、競技条件設定情報に対応する予測情報を生成して提示するので、競技者は、移動端末の情報通知手段によって、この予測情報を確認し、競技を行う際の参考とすることによって、例えば、気象条件や習熟度等にかかわらず、競技者は誰でも十分楽しんで競技を行うことができる。
【０００８】
また、請求項２記載の発明は、請求項１記載の競技者支援システムに係り、上記競技場における少なくとも風速及び風向を含む気象情報を取得するための気象情報取得手段を有し、上記競技者支援情報提示手段は、上記競技条件設定情報と、上記競技者情報と、上記気象情報取得手段によって得られた上記気象情報とに基づいて、上記予測情報を含む上記競技者支援情報を提示することを特徴としている。
ここで、競技者支援情報提示手段は、気象情報に基づいて。予測情報を含む競技者支援情報を生成して提示するので、特に気象条件によって成績が左右され易い競技を行う際に、この予測情報を競技を行う際の参考とすることによって、競技者は、例えば悪条件を克服して、競技を楽しむことができる。
【０００９】
また、請求項３記載の発明は、請求項１又は２記載の競技者支援システムに係り、上記競技者支援情報提示手段は、上記競技者の安全を確保するための上記競技者支援情報としての安全管理情報を、上記移動端末へ送信することを特徴としている。
ここで、競技者支援情報提示手段が、競技者の安全を確保するための安全管理情報を、移動端末へ送信するので、競技者は、移動端末の情報通知手段によって、この安全管理情報を確認し、自身の競技中の安全を確保するために役立てることができ、競技者は、安心して競技を楽しむことができる。
【００１０】
また、請求項４記載の発明は、請求項１、２又は３記載の競技者支援システムに係り、上記競技の種目、上記競技場、上記競技用具は、それぞれ、ゴルフ、ゴルフ場、ゴルフクラブであることを特徴としている。
ここで、競技者支援情報提示手段は、競技としてゴルフを行う競技者を支援するための競技支援情報として、使用するゴルフクラブ等の競技条件設定情報に対応する予測情報を生成して提示するので、競技者は、特に気象条件や習熟度等によって成績が左右され易いゴルフを行う場合に、移動端末の情報通知手段によって、この予測情報を確認し、競技を行う際の参考とすることによって、例えば、気象条件や習熟度等にかかわらず、競技者は誰でも十分楽しんで競技を行うことができる。
【００１１】
また、請求項５記載の発明は、請求項４記載の競技者支援システムに係り、上記競技者情報記憶手段に記憶された上記競技者情報は、上記競技者が使用した上記ゴルフクラブの種類と対応する打球の飛距離とを示す情報を含み、上記競技条件設定情報は、上記競技者が使用する上記ゴルフクラブの種類と、打球の始点としてのストローク位置と、ストローク方向とを含み、上記競技者支援情報提示手段は、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類に対応する打球の飛距離を予測飛距離として抽出し、上記競技条件設定情報に含まれるストローク位置からストローク方向に沿って上記予測飛距離離れた位置を予測落下位置として求め、少なくとも該予測落下位置を含む上記競技者支援情報としての上記予測情報を生成して提示することを特徴としている。
ここで、競技者支援情報提示手段が、競技者を支援するための競技支援情報として、使用するゴルフクラブの種類に対応する予測情報としての予測落下位置を求めて提示するので、競技者は、移動端末の情報通知手段によって、この予測情報を確認し参考にして、自分が選んだゴルフクラブが最適であるか否かを知り、無駄なく的確な判断をしながら、正確に、打球を目標位置に到達させることができる。したがって、気象条件や習熟度等にかかわらず、競技者は、誰でも十分楽しんでゴルフを行うことができる。
【００１２】
また、請求項６記載の発明は、請求項５記載の競技者支援システムに係り、上記競技者情報記憶手段に記憶された上記競技者情報は、上記競技者が使用した上記ゴルフクラブの種類毎に、ストロ−ク方向に沿った方向の風速の成分に対応した打球の飛距離と、ストロ−ク方向に直交した方向の風速の成分に対応した上記ストローク位置と打球の落下位置とを結ぶ方向とストロ−ク方向とがなすずれ角度とを示す情報を含み、上記競技条件設定情報は、上記競技者が使用する上記ゴルフクラブの種類と、打球の始点としてのストローク位置と、ストローク方向とを含み、上記競技者支援情報提示手段は、上記気象情報取得手段から、現在の風速及び風向を含む気象情報を取得し、上記気象情報に含まれる風速を、ストロ−ク方向に沿った方向の成分と、ストロ−ク方向に直交した方向の成分とに分解して求め、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類と、ストロ−ク方向に沿った方向の風速の成分とに対応した打球の飛距離を予測飛距離として抽出し、上記競技条件設定情報に含まれる上記ゴルフクラブの種類と同一のゴルフクラブの種類と、ストロ−ク方向に直交した方向の風速の成分に対応した上記ずれ角度を予測ずれ角度として抽出し、上記競技条件設定情報に含まれるストローク位置からストローク方向に対して上記予測ずれ角度回転した方向に沿って上記予測飛距離離れた位置を予測落下位置として求め、少なくとも該予測落下位置を含む上記競技者支援情報としての上記予測情報を生成して提示することを特徴としている。
ここで、競技者支援情報提示手段が、競技者を支援するための競技支援情報として、使用するゴルフクラブの種類及びストローク方向に対応し、風速を考慮した予測情報としての予測落下位置を求めて提示するので、競技者は、移動端末の情報通知手段によって、この予測情報を確認し参考にして、自分が選んだゴルフクラブ及びストローク方向が最適であるか否かを知り、無駄なく的確な判断をしながら、特に強風下でも、正確に、打球を目標位置に到達させることができる。したがって、気象条件にかかわらず、競技者は、誰でも十分楽しんでゴルフを行うことができる。
【００１３】
また、請求項７記載の発明は、請求項５又は６記載の競技者支援システムに係り、上記競技者情報記憶手段に記憶された上記競技者情報は、上記競技者が使用した上記ゴルフクラブの種類毎に、上記競技者が該ゴルフクラブを使用した際のフルスイング時を基準とした打球の飛距離の比で示されるスイング強度に対応した打球の飛距離を示す情報を含み、上記競技条件設定情報は、上記競技者が使用する上記ゴルフクラブの種類と、打球の始点としてのストローク位置と、ストローク方向と、スイング強度とを含み、上記競技者支援情報提示手段は、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類と、スイング強度とに対応した打球の飛距離を予測飛距離として抽出し、上記競技条件設定情報に含まれるストローク位置からストローク方向に沿って上記予測飛距離離れた位置を予測落下位置として求め、少なくとも該予測落下位置を含む上記競技者支援情報としての上記予測情報を生成して提示することを特徴としている。
ここで、競技者支援情報提示手段が、競技者を支援するための競技支援情報として、使用するゴルフクラブ及びスイング強度に対応する予測情報としての予測落下位置を求めて提示するので、競技者は、移動端末の情報通知手段によって、この予測情報を確認し参考にして、自分が選んだゴルフクラブ及びスイング強度が最適であるか否かを知り、無駄なく的確な判断をしながら、一段と正確に、打球を目標位置に到達させることができる。したがって、気象条件や習熟度等にかかわらず、競技者は、誰でも十分楽しんでゴルフを行うことができる。
【００１４】
また、請求項８記載の発明は、請求項５、６又は７記載の競技者支援システムに係り、上記移動端末は、位置測定用衛星から測位情報を受信するための測位情報受信手段を有し、かつ、上記競技情報管理装置は、上記移動端末から上記ネットワークを介して受信した上記測位情報に基づいて、上記移動端末の位置を算出する端末位置算出手段と、上記端末位置算出手段によって算出された上記移動端末の位置と、上記競技場内の所定の位置との間の距離を求める距離算出手段とを有し、上記競技者情報は、上記競技者が使用した上記ゴルフクラブの種類と対応する打球の飛距離とを示す情報を含み、上記移動端末から、上記競技情報管理装置に、打球の目標到達位置としての目標位置情報及び上記測位情報が送信されると、上記端末位置算出手段は、上記移動端末の位置を算出し、かつ、上記距離算出手段は、上記移動端末の位置と目標位置との間の距離を、打球の所要飛距離として算出し、上記競技者支援情報提示手段は、上記所要飛距離を、上記競技者情報記憶手段に記憶された上記ゴルフクラブの種類毎の打球の飛距離に照合させて、上記所要飛距離に対応する上記ゴルフクラブの種類を推奨ゴルフクラブの種類として選定し、該推奨ゴルフクラブの種類を、上記競技者に対するアドバイス情報として含む上記競技者支援情報を生成して提示することを特徴としている。
ここで、競技者支援情報提示手段が、競技者を支援するための競技支援情報として、打球の目標到達位置に対応するアドバイス情報としての推奨ゴルフクラブの種類を求めて提示するので、競技者は、移動端末の情報通知手段によって、このアドバイス情報を確認し参考にして、判断に迷うことなく、正確に、打球を目標位置に到達させることができる。したがって、気象条件や習熟度等にかかわらず、競技者は、誰でも十分楽しんでゴルフを行うことができる。
【００１５】
また、請求項９記載の発明は、請求項８記載の競技者支援システムに係り、上記競技者情報は、上記競技者が使用した上記ゴルフクラブの種類毎に、ストロ−ク方向に沿った方向の風速の成分に対応した打球の飛距離と、ストロ−ク方向に直交した方向の風速の成分に対応したストローク位置と打球の落下位置とを結ぶ方向とストロ−ク方向とがなすずれ角度とを示す情報を含み、上記移動端末から、上記競技情報管理装置に、打球の目標到達位置としての目標位置情報及び上記測位情報が送信されると、上記端末位置算出手段は、上記移動端末の位置を算出し、かつ、上記距離算出手段は、上記移動端末の位置と目標位置との間の距離を、打球の所要飛距離として算出し、上記競技者支援情報提示手段は、上記気象情報取得手段から、現在の風速及び風向を含む気象情報を取得し、該気象情報に含まれる現在の風速を、目標方向に沿った方向の成分と、目標方向に直交した方向の成分とに分解して求め、上記所要飛距離と、求められた目標方向に沿った方向の風速の成分との組合せを、上記競技者情報記憶手段に記憶され、上記競技者が使用した上記ゴルフクラブの種類毎に、ストロ−ク方向に沿った方向の風速の成分に対応した打球の飛距離を示す情報の風速の成分と打球の飛距離との組合せに照合させて、上記所要飛距離と、求められた目標方向に沿った方向の風速の成分とに対応する上記ゴルフクラブの種類を求めて、推奨ゴルフクラブの種類を選定し、選定した上記推奨ゴルフクラブの種類と、求められた目標方向に直交した方向の風速の成分との組合せを、上記競技者情報記憶手段に記憶され、上記競技者が使用した上記ゴルフクラブの種類毎に、上記ストロ−ク方向に直交した方向の風速の成分に対応した上記ずれ角度を示す情報のゴルフクラブの種類と風速の成分との組合せに照合させて、ゴルフクラブの種類と、求められた目標方向に直交した方向の風速の成分とに対応するずれ角度を求めて、目標方向に対するストロ−ク方向の角度としての推奨調整角度を求めて、上記推奨ゴルフクラブの種類及び上記推奨調整角度を上記競技者に対するアドバイス情報として含む上記競技者支援情報を生成して提示することを特徴としている。
ここで、競技者支援情報提示手段が、競技者を支援するための競技支援情報として、打球の目標到達位置に対応するアドバイス情報としての推奨ゴルフクラブの種類と、目標方向に対するストロ−ク方向の角度としての推奨調整角度とを、風速を考慮して求めて提示するので、競技者は、移動端末の情報通知手段によって、このアドバイス情報を確認して、判断に迷うことなく、特に強風下でも、正確に、打球を目標位置に到達させることができる。したがって、気象条件や習熟度等にかかわらず、競技者は、誰でも十分楽しんでゴルフを行うことができる。
【００１６】
また、請求項１０記載の発明は、請求項４乃至９のいずれか１に記載の競技者支援システムに係り、上記競技情報管理装置は、少なくともコース情報を含む上記競技場に関する情報を記憶する競技場情報記憶手段を有し、上記移動端末から競技場情報提示要求を受けると、上記競技者支援情報提示手段は、上記競技場に関する情報を上記競技者支援情報として提示することを特徴としている。
ここで、競技者支援情報提示手段は、移動端末から競技場情報提示要求を受けると、競技場としてのゴルフ場に関する情報を競技者支援情報として提示するので、競技者は、移動端末の情報通知手段によって、場所及び時間を問わず、例えば、ゴルフ場のコース情報を確認して、例えばコースの攻略法の立案のために役立てることができる。
【００１７】
また、請求項１１記載の発明は、請求項１０記載の競技者支援システムに係り、上記移動端末は、位置測定用衛星から測位情報を受信するための測位情報受信手段と、上記競技に関する情報を記憶する競技情報記憶手段と、少なくとも、ストローク時に、対応する時刻情報を含むストローク情報を上記競技情報記憶手段に記憶させる競技情報収集手段とを有し、上記競技情報管理装置は、上記移動端末から上記ネットワークを介して受信した上記測位情報に基づいて、上記移動端末の位置を算出する端末位置算出手段と、上記移動端末から送信された上記ストローク情報と、上記端末位置算出手段によって算出された上記移動端末の位置情報と対応する時刻情報と、上記競技場情報記憶手段に記憶された上記コース情報とに基づいて、上記競技場内の所定のホールにおける上記競技者の打数を計数して集計情報を生成する集計処理手段とを有し、上記集計処理手段は、上記競技場内の所定のホールのスタート位置からピン位置へ到る経路上に上記移動端末が位置した場合のストロークを、上記所定のホールにおけるストロークと判断し、打数として計数することを特徴としている。
ここで、集計処理手段は、集計処理手段は、競技場内の所定のホールのスタート位置からピン位置へ到る経路上に移動端末が位置した場合のストロークを、所定のホールにおけるストロークと判断し、打数として計数するので、競技者は、スコアカードにデータを記入する手間を省くことができ、競技に専念することができる。
【００１８】
また、請求項１２記載の発明は、請求項１１記載の競技者支援システムに係り、上記競技情報収集手段は、上記ゴルフクラブに取着され、該ゴルフクラブの識別情報を記憶したタグ装置から上記識別情報を読み取って上記ゴルフクラブを識別するゴルフクラブ識別手段を有し、上記識別情報を読取時刻情報と共に上記ストローク情報に付加して上記競技情報記憶手段に記憶させ、上記集計処理手段は、上記移動端末から送信された上記識別情報を、上記集計情報に付加して上記競技者情報記憶手段に記憶させることを特徴としている。
ここで、ゴルフクラブ識別手段は、ゴルフクラブに取着されたタグ装置からゴルフクラブの識別情報を読み取り、移動端末は、この識別情報を集計情報に付加して競技情報管理装置へ送信するので、競技者が、スコアカードにデータを記入したり入力することなく、各ストロークで使用したゴルフクラブの種類を競技情報として自動的にかつ簡単に収集することができる。
【００１９】
また、請求項１３記載の発明は、請求項１１又は１２記載の競技者支援システムに係り、上記競技情報収集手段は、打球音を検知する打球音検知手段と、該打球音検知手段から打球音検知信号を受け取ると、上記競技者によってストロークが行われたものと判定して、対応する時刻情報を含む上記ストローク情報を上記競技情報記憶手段に記憶させるストローク判定処理手段とを有することを特徴としている。
ここで、ストローク判定処理手段は、打球音検知手段から打球音検知信号を受け取ると、競技者によってストロークが行われたものと判定し、移動端末は、ストローク情報を競技情報管理装置へ送信するので、競技者がスコアカードにデータを記入する手間に加え、ストローク毎に通知又は入力する手間も省くことができるので、競技者は、競技に専念することができる。
【００２０】
また、請求項１４記載の発明は、請求項１１、１２又は１３記載の競技者支援システムに係り、競技中以外の又は実際には競技を行わない擬似競技者としてのユーザが用いるユーザ端末が、上記ネットワークを介して、上記競技情報管理装置に接続され、上記競技者支援情報提示手段は、上記ユーザ端末から、上記競技条件設定情報を受けると、少なくとも予測落下位置を含む上記予測情報を生成して提示し、上記集計処理手段は、上記競技場内の所定のホールにおける上記予測情報に含まれる予測落下位置の数を上記擬似競技者の打数として計数して擬似集計情報を生成することを特徴としている。
ここで、競技者支援情報提示手段は、ユーザ端末から、競技条件設定情報を受けると、少なくとも予測落下位置を含む予測情報を生成して提示し、集計処理手段は、ゴルフ場内の所定のホールにおける予測情報に含まれる予測落下位置の数を擬似競技者の打数として計数して擬似集計情報を生成するので、ユーザは、実際の競技に参加しなくても、自宅等でユーザ端末を用いてシミュレーションを実施することが可能であるので、例えば自宅にいながらにして、予行演習を行って成績向上に努めたり、競技後の再現を行って反省点を明確にすることができる。また、実際の競技に参加できないものでも、シミュレーションを楽しむことができ、娯楽性を高めることができる。
【００２１】
また、請求項１５記載の発明は、請求項１１乃至１４のいずれか１に記載の記載の競技者支援システムに係り、同一の上記競技場で用いられる複数の上記移動端末が、上記ネットワークを介して上記競技情報管理装置に接続され、上記競技情報管理装置は、上記端末位置算出手段によって算出された上記移動端末の位置と、上記競技場内の所定の位置又は他の上記移動端末の位置との間の距離を求める距離算出手段と、上記各移動端末の位置情報及び対応する時刻情報と、上記競技場情報記憶手段に記憶された上記競技場の上記コース情報とに基づいて、上記競技場内で実施される複数の競技の進行管理を行う競技進行管理手段を有し、該競技進行管理手段は、互いに独立して上記競技場内で上記競技を行っている所定の上記競技者が用いる上記移動端末同士の距離が、上記競技場内の位置関係に応じて予め設定された所定の範囲よりも近づくと、後発側の上記競技者が用いる上記移動端末へ待機指示信号を送信し、上記移動端末同士の距離が、上記所定の範囲よりも遠ざかると、後発側の上記競技者が用いる上記移動端末へ進行指示信号を送信する競技者配置調整手段を有することを特徴としている。
ここで、競技者配置調整手段は、互いに独立してゴルフ場内で競技を行っている所定の競技者が用いる移動端末同士の距離が、ゴルフ場内の位置関係に応じて予め設定された所定の範囲よりも近づくと、後発側の競技者が用いる移動端末へ待機指示信号を送信し、移動端末同士の距離が、所定の範囲よりも遠ざかると、後発側の競技者が用いる移動端末へ進行指示信号を送信するので、例えば、無駄な待ち時間を無くし、必要以上に例えばパーティ間の間隔を開けることを防ぐことができ、競技者は、快適に競技を楽しむことができる。
【００２２】
また、請求項１６記載の発明は、請求項１１乃至１５のいずれか１に記載の競技者支援システムに係り、上記移動端末の上記競技情報収集手段は、ストロークの度に上記ストローク情報を上記競技情報管理装置へ送信するストローク情報送信手段を有し、上記競技情報管理装置は、上記ストローク情報送信手段から受け取った上記ストローク情報と、上記各移動端末の位置情報と、上記競技場情報記憶手段に記憶された上記競技場の上記コース情報とに基づいて、所定の領域内に位置する上記移動端末に対して、上記安全管理情報としての打球飛来危険情報を生成して送信する危険情報送信手段を有し、上記危険情報送信手段は、上記ストローク情報送信手段から上記ストローク情報を受け取ると、上記ストローク情報を送信した上記移動端末から所定の方向を含む所定の半径の略扇形の領域内に位置する上記移動端末に対して、上記打球飛来危険情報を生成して送信し、上記打球飛来危険情報を受け取った上記移動端末は、上記情報通知手段としての音声出力手段によって、打球飛来警報を出力することを特徴としている。
ここで、危険情報送信手段は、ストローク情報送信手段からストローク情報を受け取ると、ストローク情報を送信した移動端末から所定の方向を含む所定の半径の略扇形の領域内に位置する移動端末に対して、打球飛来危険情報を生成して送信するので、競技中の競技者の安全を確実に確保することができる。したがって、競技者は、安心して競技に意識を集中させて、競技を楽しむことができる。
【００２３】
また、請求項１７記載の発明は、請求項３乃至１６のいずれか１に記載の競技者支援システムに係り、上記競技者情報記憶手段は、上記競技者の現在に至る体力情報及び健康情報を含む健康管理情報を記憶し、上記競技情報管理装置は、上記競技者情報記憶手段に記憶された上記競技者の上記健康管理情報に含まれる上記競技者の健康状態を示す現在の所定の指標が過去の上記指標よりも悪化していると判断した場合に、上記安全管理情報としての体調注意情報を生成して送信する注意情報送信手段を有し、上記注意情報送信手段から上記体調注意情報を受け取った上記移動端末は、上記情報通知手段によって、体調注意警報を出力することを特徴としている。
ここで、注意情報送信手段は、競技者の健康管理情報に含まれる競技者の健康状態を示す現在の所定の指標が過去の指標よりも悪化していると判断した場合に、安全管理情報としての体調注意情報を生成して、移動端末へ送信するので、競技者の競技中の安全を一段と確実に確保することができる。したがって、競技者は、安心して競技を楽しむことができる。
【００２４】
また、請求項１８記載の発明は、請求項１乃至１７のいずれか１に記載の競技者支援システムに係り、上記移動端末は、位置測定用衛星から測位情報を受信するための測位情報受信手段を有し、上記競技情報管理装置は、上記移動端末から上記ネットワークを介して受信した上記測位情報に基づいて、上記移動端末の位置を算出する端末位置算出手段と、上記端末位置算出手段によって算出された上記移動端末の位置と、上記競技場内の所定の位置との間の距離を求める距離算出手段と、上記競技場内で上記競技者が利用可能な施設の営業情報を含む施設情報を記憶する施設情報記憶手段と、上記施設情報記憶手段に記憶された上記施設情報に基づいて上記施設の利用を促すための案内情報を生成し、上記各移動端末の位置情報及び対応する時刻情報に基づいて、上記案内情報を送信すべき上記移動端末を選定し、選定された上記移動端末へ上記案内情報を所定のタイミングで送信する施設案内情報提示手段を有してなり、上記施設案内情報提示手段は、上記移動端末が、案内対象の施設から所定の距離に達すると、上記施設に関する上記案内情報を上記移動端末へ送信することを特徴としている。
ここで、施設案内情報提示手段は、移動端末が、案内対象の施設から所定の距離に近づくと、競技場内にある施設に関する案内情報を移動端末へ送信するので、競技者にとっては、無駄な待ち時間を低減し、競技のために有効に時間を割き、ストレスを感じることなく競技を楽しむことができる。また、レストラン等の施設の経営主体も、効率的に集客を行うことができる。
【００２５】
また、請求項１９記載の発明は、請求項１乃至１８のいずれか１に記載の競技者支援システムに係り、上記競技情報管理装置は、複数の上記競技場に設置された競技場内情報処理装置と上記ネットワークを介して接続され、上記各競技場内情報処理装置を介して、上記各競技場において実施される上記競技に関する情報を管理し、上記競技者情報記憶手段には、上記各競技場に対応付けられて上記競技者情報が記憶され、上記移動端末が、上記競技場を指定するための競技場指定情報と、上記競技条件設定情報とを送信すると、上記競技者支援情報提示手段は、上記競技者情報記憶手段に記憶された指定された上記競技場における上記競技者情報と、上記競技条件設定情報とに基づいて、上記競技条件設定情報に対応する予測情報を含む上記競技者支援情報を生成して提示することを特徴としている。
ここで、競技情報管理装置は、複数の競技場に設置された競技場内情報処理装置を介して、各競技場において実施される競技に関する情報を管理し、競技者情報記憶手段には、各競技場に対応付けられて競技者情報が記憶されているので、競技者は、単一の競技場のみならず、多数の競技場の情報を得て、競技として例えばゴルフを行う場合には、多彩なコースでの多様なシミュレーションを楽しむことができる。
【００２６】
また、請求項２０記載の発明は、請求項１乃至１９のいずれか１に記載の競技者支援システムに係り、上記移動端末は、文字画像情報の表示が可能な上記情報通知手段としての表示手段と、ホームページアドレスとしての所定のＵＲＬにアクセスして所定のコンテンツを閲覧するための閲覧プログラムを含む各種プログラム及び所定のＵＲＬ情報を含む各種情報を記憶する端末機能情報記憶手段と、上記閲覧プログラム及び上記ＵＲＬ情報を直接読み出すためのショートカット用のアイコンを上記表示手段に表示させるアイコン表示制御手段と、上記アイコンが選択されることによって対応する所定のＵＲＬへのアクセス機能を呼び出す機能呼出手段とを有してなり、上記表示手段に表示された上記アイコンが選択されると、上記機能呼出手段は、上記端末機能情報記憶手段に記憶された上記閲覧プログラム及び上記ＵＲＬ情報を読み出して、上記閲覧プログラムを実行し、所定のコンテンツを上記表示手段に表示させることを特徴としている。
ここで、機能呼出手段は、表示手段に表示されたショートカット用のアイコンが選択されると、閲覧プログラムを実行し、所定のコンテンツを表示手段に表示させるので、煩雑な操作を省き、移動端末の操作性を向上させることができる。
【００２７】
また、請求項２１記載の発明は、競技場で行われる所定の競技に関する情報を管理する競技情報管理装置に係り、上記競技場で用いられ、データ通信を行うための無線通信手段及び競技者を支援するための競技者支援情報を上記競技者に通知するための情報通知手段を有し上記競技者と共に移動可能な移動端末に、ネットワークを介して接続され、上記競技者支援情報を提示する競技者支援情報提示手段と、上記競技者の競技履歴を含む競技者情報を記憶する競技者情報記憶手段とを有し、上記移動端末から、上記競技者が上記競技で用いる競技用具及びその使用条件を含む競技条件設定情報を受信すると、上記競技者支援情報提示手段は、上記競技者情報記憶手段に記憶された上記競技者情報と、上記競技条件設定情報とに基づいて、上記競技条件設定情報に対応する予測情報を含む上記競技者支援情報を生成して提示することを特徴としている。
ここで、競技者支援情報提示手段は、気象情報に基づいて。予測情報を含む競技者支援情報を生成して提示するので、特に気象条件によって成績が左右され易い競技を行う際に、この予測情報を競技を行う際の参考とすることによって、競技者は、例えば悪条件を克服して、競技を楽しむことができる。
【００２８】
また、請求項２２記載の発明は、請求項２１記載の競技情報管理装置に係り、上記競技場における少なくとも風速及び風向を含む気象情報を取得するための気象情報取得手段に、ネットワークを介して接続され、上記競技者支援情報提示手段は、上記競技条件設定情報と、上記競技者情報と、上記気象情報取得手段によって得られた上記気象情報とに基づいて、上記予測情報を含む上記競技者支援情報を提示することを特徴としている。
ここで、競技者支援情報提示手段は、気象情報に基づいて。予測情報を含む競技者支援情報を生成して提示するので、特に気象条件によって成績が左右され易い競技を行う際に、この予測情報を競技を行う際の参考とすることによって、競技者は、例えば悪条件を克服して、競技を楽しむことができる。
【００２９】
また、請求項２３記載の発明は、請求項２１又は２２記載の競技情報管理装置に係り、上記競技者支援情報提示手段は、上記競技者の安全を確保するための上記競技者支援情報としての安全管理情報を、上記移動端末へ送信することを特徴としている。
ここで、競技者支援情報提示手段が、競技者の安全を確保するための安全管理情報を、移動端末へ送信するので、競技者は、移動端末の情報通知手段によって、この安全管理情報を確認し、自身の競技中の安全を確保するために役立てることができ、競技者は、安心して競技を楽しむことができる。
【００３０】
また、請求項２４記載の発明は、請求項２１、２２又は２３記載の競技情報管理装置に係り、上記競技の種目、上記競技場、上記競技用具は、それぞれ、ゴルフ、ゴルフ場、ゴルフクラブであることを特徴としている。
ここで、競技者支援情報提示手段は、競技としてゴルフを行う競技者を支援するための競技支援情報として、使用するゴルフクラブ等の競技条件設定情報に対応する予測情報を生成して提示するので、競技者は、特に気象条件や習熟度等によって成績が左右され易いゴルフを行う場合に、移動端末の情報通知手段によって、この予測情報を確認し、競技を行う際の参考とすることによって、例えば、気象条件や習熟度等にかかわらず、競技者は誰でも十分楽しんで競技を行うことができる。
【００３１】
また、請求項２５記載の発明は、請求項２４記載の競技情報管理装置に係り、上記競技者情報記憶手段に記憶された上記競技者情報は、上記競技者が使用した上記ゴルフクラブの種類と対応する打球の飛距離とを示す情報を含み、上記競技条件設定情報は、上記競技者が使用する上記ゴルフクラブの種類と、打球の始点としてのストローク位置と、ストローク方向とを含み、上記競技者支援情報提示手段は、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類に対応する打球の飛距離を予測飛距離として抽出し、上記競技条件設定情報に含まれるストローク位置からストローク方向に沿って上記予測飛距離離れた位置を予測落下位置として求め、少なくとも該予測落下位置を含む上記競技者支援情報としての上記予測情報を生成して提示することを特徴としている。
ここで、競技者支援情報提示手段が、競技者を支援するための競技支援情報として、使用するゴルフクラブの種類に対応する予測情報としての予測落下位置を求めて提示するので、競技者は、移動端末の情報通知手段によって、この予測情報を確認し参考にして、自分が選んだゴルフクラブが最適であるか否かを知り、無駄なく的確な判断をしながら、正確に、打球を目標位置に到達させることができる。したがって、気象条件や習熟度等にかかわらず、競技者は、誰でも十分楽しんでゴルフを行うことができる。
【００３２】
また、請求項２６記載の発明は、請求項２５記載の競技情報管理装置に係り、上記競技者情報記憶手段に記憶された上記競技者情報は、上記競技者が使用した上記ゴルフクラブの種類毎に、ストロ−ク方向に沿った方向の風速の成分に対応した打球の飛距離と、ストロ−ク方向に直交した方向の風速の成分に対応した上記ストローク位置と打球の落下位置とを結ぶ方向とストロ−ク方向とがなすずれ角度とを示す情報を含み、上記競技条件設定情報は、上記競技者が使用する上記ゴルフクラブの種類と、打球の始点としてのストローク位置と、ストローク方向とを含み、上記競技者支援情報提示手段は、上記気象情報取得手段から、現在の風速及び風向を含む気象情報を取得し、上記気象情報に含まれる風速を、ストロ−ク方向に沿った方向の成分と、ストロ−ク方向に直交した方向の成分とに分解して求め、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類と、ストロ−ク方向に沿った方向の風速の成分とに対応した打球の飛距離を予測飛距離として抽出し、上記競技条件設定情報に含まれる上記ゴルフクラブの種類と同一のゴルフクラブの種類と、ストロ−ク方向に直交した方向の風速の成分に対応した上記ずれ角度を予測ずれ角度として抽出し、上記競技条件設定情報に含まれるストローク位置からストローク方向に対して上記予測ずれ角度回転した方向に沿って上記予測飛距離離れた位置を予測落下位置として求め、少なくとも該予測落下位置を含む上記競技者支援情報としての上記予測情報を生成して提示することを特徴としている。
ここで、競技者支援情報提示手段が、競技者を支援するための競技支援情報として、使用するゴルフクラブの種類及びストローク方向に対応し、風速を考慮した予測情報としての予測落下位置を求めて提示するので、競技者は、移動端末の情報通知手段によって、この予測情報を確認し参考にして、自分が選んだゴルフクラブ及びストローク方向が最適であるか否かを知り、無駄なく的確な判断をしながら、特に強風下でも、正確に、打球を目標位置に到達させることができる。したがって、気象条件にかかわらず、競技者は、誰でも十分楽しんでゴルフを行うことができる。
【００３３】
また、請求項２７記載の発明は、請求項２５又は２６記載の競技情報管理装置に係り、上記競技者情報記憶手段に記憶された上記競技者情報は、上記競技者が使用した上記ゴルフクラブの種類毎に、上記競技者が該ゴルフクラブを使用した際のフルスイング時を基準とした打球の飛距離の比で示されるスイング強度に対応した打球の飛距離を示す情報を含み、上記競技条件設定情報は、上記競技者が使用する上記ゴルフクラブの種類と、打球の始点としてのストローク位置と、ストローク方向と、スイング強度とを含み、上記競技者支援情報提示手段は、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類と、スイング強度とに対応した打球の飛距離を予測飛距離として抽出し、上記競技条件設定情報に含まれるストローク位置からストローク方向に沿って上記予測飛距離離れた位置を予測落下位置として求め、少なくとも該予測落下位置を含む上記競技者支援情報としての上記予測情報を生成して提示することを特徴としている。
ここで、競技者支援情報提示手段が、競技者を支援するための競技支援情報として、使用するゴルフクラブ及びスイング強度に対応する予測情報としての予測落下位置を求めて提示するので、競技者は、移動端末の情報通知手段によって、この予測情報を確認し参考にして、自分が選んだゴルフクラブ及びスイング強度が最適であるか否かを知り、無駄なく的確な判断をしながら、一段と正確に、打球を目標位置に到達させることができる。したがって、気象条件や習熟度等にかかわらず、競技者は、誰でも十分楽しんでゴルフを行うことができる。
【００３４】
また、請求項２８記載の発明は、請求項２５、２６又は２７記載の競技情報管理装置に係り、位置測定用衛星から測位情報を受信するための測位情報受信手段を有する上記移動端末に、ネットワークを介して接続され、上記移動端末から上記ネットワークを介して受信した上記測位情報に基づいて、上記移動端末の位置を算出する端末位置算出手段と、上記端末位置算出手段によって算出された上記移動端末の位置と、上記競技場内の所定の位置との間の距離を求める距離算出手段とを有し、上記競技者情報は、上記競技者が使用した上記ゴルフクラブの種類と対応する打球の飛距離とを示す情報を含み、上記移動端末から、打球の目標到達位置としての目標位置情報及び上記測位情報を受信すると、上記端末位置算出手段は、上記移動端末の位置を算出し、かつ、上記距離算出手段は、上記移動端末の位置と目標位置との間の距離を、打球の所要飛距離として算出し、上記競技者支援情報提示手段は、上記所要飛距離を、上記競技者情報記憶手段に記憶された上記ゴルフクラブの種類毎の打球の飛距離に照合させて、上記所要飛距離に対応する上記ゴルフクラブの種類を推奨ゴルフクラブの種類として選定し、該推奨ゴルフクラブの種類を、上記競技者に対するアドバイス情報として含む上記競技者支援情報を生成して提示することを特徴としている。
ここで、競技者支援情報提示手段が、競技者を支援するための競技支援情報として、打球の目標到達位置に対応するアドバイス情報としての推奨ゴルフクラブの種類を求めて提示するので、競技者は、移動端末の情報通知手段によって、このアドバイス情報を確認し参考にして、判断に迷うことなく、正確に、打球を目標位置に到達させることができる。したがって、気象条件や習熟度等にかかわらず、競技者は、誰でも十分楽しんでゴルフを行うことができる。
【００３５】
また、請求項２９記載の発明は、請求項２８記載の競技情報管理装置に係り、上記競技者情報は、上記競技者が使用した上記ゴルフクラブの種類毎に、ストロ−ク方向に沿った方向の風速の成分に対応した打球の飛距離と、ストロ−ク方向に直交した方向の風速の成分に対応したストローク位置と打球の落下位置とを結ぶ方向とストロ−ク方向とがなすずれ角度とを示す情報を含み、上記移動端末から、打球の目標到達位置としての目標位置情報及び上記測位情報を受信すると、上記端末位置算出手段は、上記移動端末の位置を算出し、かつ、上記距離算出手段は、上記移動端末の位置と目標位置との間の距離を、打球の所要飛距離として算出し、上記競技者支援情報提示手段は、上記気象情報取得手段から、現在の風速及び風向を含む気象情報を取得し、該気象情報に含まれる現在の風速を、目標方向に沿った方向の成分と、目標方向に直交した方向の成分とに分解して求め、上記所要飛距離と、求められた目標方向に沿った方向の風速の成分との組合せを、上記競技者情報記憶手段に記憶され、上記競技者が使用した上記ゴルフクラブの種類毎に、ストロ−ク方向に沿った方向の風速の成分に対応した打球の飛距離を示す情報の風速の成分と打球の飛距離との組合せに照合させて、上記所要飛距離と、求められた目標方向に沿った方向の風速の成分とに対応する上記ゴルフクラブの種類を求めて、推奨ゴルフクラブの種類を選定し、選定した上記推奨ゴルフクラブの種類と、求められた目標方向に直交した方向の風速の成分との組合せを、上記競技者情報記憶手段に記憶され、上記競技者が使用した上記ゴルフクラブの種類毎に、上記ストロ−ク方向に直交した方向の風速の成分に対応した上記ずれ角度を示す情報のゴルフクラブの種類と風速の成分との組合せに照合させて、ゴルフクラブの種類と、求められた目標方向に直交した方向の風速の成分とに対応するずれ角度を求めて、目標方向に対するストロ−ク方向の角度としての推奨調整角度を求めて、上記推奨ゴルフクラブの種類及び上記推奨調整角度を上記競技者に対するアドバイス情報として含む上記競技者支援情報を生成して提示することを特徴としている。
ここで、競技者支援情報提示手段が、競技者を支援するための競技支援情報として、打球の目標到達位置に対応するアドバイス情報としての推奨ゴルフクラブの種類と、目標方向に対するストロ−ク方向の角度としての推奨調整角度とを、風速を考慮して求めて提示するので、競技者は、移動端末の情報通知手段によって、このアドバイス情報を確認して、判断に迷うことなく、特に強風下でも、正確に、打球を目標位置に到達させることができる。したがって、気象条件や習熟度等にかかわらず、競技者は、誰でも十分楽しんでゴルフを行うことができる。
【００３６】
また、請求項３０記載の発明は、請求項２４乃至２９のいずれか１に記載の競技情報管理装置に係り、少なくともコース情報を含む上記競技場に関する情報を記憶する競技場情報記憶手段を有し、上記移動端末から競技場情報提示要求を受けると、上記競技者支援情報提示手段は、上記競技場に関する情報を上記競技者支援情報として提示することを特徴としている。
ここで、競技者支援情報提示手段は、移動端末から競技場情報提示要求を受けると、競技場としてのゴルフ場に関する情報を競技者支援情報として提示するので、競技者は、移動端末の情報通知手段によって、場所及び時間を問わず、例えば、ゴルフ場のコース情報を確認して、例えばコースの攻略法の立案のために役立てることができる。
【００３７】
また、請求項３１記載の発明は、請求項３０記載の競技情報管理装置に係り、位置測定用衛星から測位情報を受信するための測位情報受信手段と、上記競技に関する情報を記憶する競技情報記憶手段と、少なくとも、ストローク時に、対応する時刻情報を含むストローク情報を上記競技情報記憶手段に記憶させる競技情報収集手段とを有する上記移動端末に、ネットワークを介して接続され、上記移動端末から上記ネットワークを介して受信した上記測位情報に基づいて、上記移動端末の位置を算出する端末位置算出手段と、上記移動端末から送信された上記ストローク情報と、上記端末位置算出手段によって算出された上記移動端末の位置情報と対応する時刻情報と、上記競技場情報記憶手段に記憶された上記コース情報とに基づいて、上記競技場内の所定のホールにおける上記競技者の打数を計数して集計情報を生成する集計処理手段を有し、上記集計処理手段は、上記競技場内の所定のホールのスタート位置からピン位置へ到る経路上に上記移動端末が位置した場合のストロークを、上記所定のホールにおけるストロークと判断し、打数として計数することを特徴としている。
ここで、集計処理手段は、競技場内の所定のホールのスタート位置からピン位置へ到る経路上に移動端末が位置した場合のストロークを、所定のホールにおけるストロークと判断し、打数として計数するので、競技者は、スコアカードにデータを記入する手間を省くことができ、競技に専念することができる。
【００３８】
また、請求項３２記載の発明は、請求項３１記載の競技情報管理装置に係り、同一の上記競技場で用いられる複数の上記移動端末に、上記ネットワークを介して接続され、上記端末位置算出手段によって算出された上記移動端末の位置と、上記競技場内の所定の位置又は他の上記移動端末の位置との間の距離を求める距離算出手段と、上記各移動端末の位置情報及び対応する時刻情報と、上記競技場情報記憶手段に記憶された上記競技場の上記コース情報とに基づいて、上記競技場内で実施される複数の競技の進行管理を行う競技進行管理手段を有し、該競技進行管理手段は、互いに独立して上記競技場内で上記競技を行っている所定の上記競技者が用いる上記移動端末同士の距離が、上記競技場内の位置関係に応じて予め設定された所定の範囲よりも近づくと、後発側の上記競技者が用いる上記移動端末へ待機指示信号を送信し、上記移動端末同士の距離が、上記所定の範囲よりも遠ざかると、後発側の上記競技者が用いる上記移動端末へ進行指示信号を送信する競技者配置調整手段を有することを特徴としている。
ここで、競技者配置調整手段は、互いに独立してゴルフ場内で競技を行っている所定の競技者が用いる移動端末同士の距離が、ゴルフ場内の位置関係に応じて予め設定された所定の範囲よりも近づくと、後発側の競技者が用いる移動端末へ待機指示信号を送信し、移動端末同士の距離が、所定の範囲よりも遠ざかると、後発側の競技者が用いる移動端末へ進行指示信号を送信するので、例えば、無駄な待ち時間を無くし、必要以上に例えばパーティ間の間隔を開けることを防ぐことができ、競技者は、快適に競技を楽しむことができる。
【００３９】
また、請求項３３記載の発明は、請求項３１又は３２記載の競技情報管理装置に係り、ストロークの度に上記ストローク情報を送信するストローク情報送信手段を有する上記移動端末に、ネットワークを介して接続され、上記ストローク情報送信手段から受け取った上記ストローク情報と、上記各移動端末の位置情報と、上記競技場情報記憶手段に記憶された上記競技場の上記コース情報とに基づいて、所定の領域内に位置する上記移動端末に対して、上記安全管理情報としての打球飛来危険情報を生成して送信する危険情報送信手段を有し、上記危険情報送信手段は、上記ストローク情報送信手段から上記ストローク情報を受け取ると、上記ストローク情報を送信した上記移動端末から所定の方向を含む所定の半径の略扇形の領域内に位置する上記移動端末に対して、上記打球飛来危険情報を生成して送信し、上記打球飛来危険情報を受け取った上記移動端末は、上記情報通知手段としての音声出力手段によって、打球飛来警報を出力することを特徴としている。
ここで、危険情報送信手段は、ストローク情報送信手段からストローク情報を受け取ると、ストローク情報を送信した移動端末から所定の方向を含む所定の半径の略扇形の領域内に位置する移動端末に対して、打球飛来危険情報を生成して送信するので、競技中の競技者の安全を確実に確保することができる。したがって、競技者は、安心して競技に意識を集中させて、競技を楽しむことができる。
【００４０】
また、請求項３４記載の発明は、請求項２３乃至３３のいずれか１に記載の競技情報管理装置に係り、上記競技者情報記憶手段は、上記競技者の現在に至る体力情報及び健康情報を含む健康管理情報を記憶し、当該競技情報管理装置は、上記競技者情報記憶手段に記憶された上記競技者の上記健康管理情報に含まれる上記競技者の健康状態を示す現在の所定の指標が過去の上記指標よりも悪化していると判断した場合に、上記安全管理情報としての体調注意情報を生成して送信する注意情報送信手段を有し、上記注意情報送信手段から上記体調注意情報を受け取った上記移動端末は、上記情報通知手段によって、体調注意警報を出力することを特徴としている。
ここで、注意情報送信手段は、競技者の健康管理情報に含まれる競技者の健康状態を示す現在の所定の指標が過去の指標よりも悪化していると判断した場合に、安全管理情報としての体調注意情報を生成して、移動端末へ送信するので、競技者の競技中の安全を一段と確実に確保することができる。したがって、競技者は、安心して競技を楽しむことができる。
【００４１】
また、請求項３５記載の発明は、請求項２１乃至３４のいずれか１に記載の競技情報管理装置に係り、位置測定用衛星から測位情報を受信するための測位情報受信手段を有する上記移動端末に、ネットワークを介して接続され、上記移動端末から上記ネットワークを介して受信した上記測位情報に基づいて、上記移動端末の位置を算出する端末位置算出手段と、上記端末位置算出手段によって算出された上記移動端末の位置と、上記競技場内の所定の位置との間の距離を求める距離算出手段と、上記競技場内で上記競技者が利用可能な施設の営業情報を含む施設情報を記憶する施設情報記憶手段と、上記施設情報記憶手段に記憶された上記施設情報に基づいて上記施設の利用を促すための案内情報を生成し、上記各移動端末の位置情報及び対応する時刻情報に基づいて、上記案内情報を送信すべき上記移動端末を選定し、選定された上記移動端末へ上記案内情報を所定のタイミングで送信する施設案内情報提示手段を有してなり、上記施設案内情報提示手段は、上記移動端末が、案内対象の施設から所定の距離に達すると、上記施設に関する上記案内情報を上記移動端末へ送信することを特徴としている。
ここで、施設案内情報提示手段は、移動端末が、案内対象の施設から所定の距離に近づくと、競技場内にある施設に関する案内情報を移動端末へ送信するので、競技者にとっては、無駄な待ち時間を低減し、競技のために有効に時間を割き、ストレスを感じることなく競技を楽しむことができる。また、レストラン等の施設の経営主体も、効率的に集客を行うことができる。
【００４２】
また、請求項３６記載の発明は、請求項２１乃至３５のいずれか１に記載の競技情報管理装置に係り、複数の上記競技場に設置された競技場内情報処理装置と上記ネットワークを介して接続され、上記各競技場内情報処理装置を介して、上記各競技場において実施される上記競技に関する情報を管理し、上記競技者情報記憶手段には、上記各競技場に対応付けられて上記競技者情報が記憶され、上記移動端末から、上記競技場を指定するための競技場指定情報と、上記競技条件設定情報とを受信すると、上記競技者支援情報提示手段は、上記競技者情報記憶手段に記憶された指定された上記競技場における上記競技者情報と、上記競技条件設定情報とに基づいて、上記競技条件設定情報に対応する予測情報を含む上記競技者支援情報を生成して提示することを特徴としている。
ここで、競技情報管理装置は、複数の競技場に設置された競技場内情報処理装置を介して、各競技場において実施される競技に関する情報を管理し、競技者情報記憶手段には、各競技場に対応付けられて競技者情報が記憶されているので、競技者は、単一の競技場のみならず、多数の競技場の情報を得て、競技として例えばゴルフを行う場合には、多彩なコースでの多様なシミュレーションを楽しむことができる。
【００４３】
また、請求項３７記載の発明は、所定の競技を行う競技場で用いられ、競技者と共に移動可能な移動端末に係り、競技者を支援するための競技者支援情報を提示する競技者支援情報提示手段及び上記競技者の競技履歴を含む競技者情報を記憶する競技者情報記憶手段を有し、上記競技に関する情報を管理する競技情報管理装置に、ネットワークを介して接続され、上記移動端末は、上記競技情報管理装置と上記ネットワークを介してデータ通信を行うための無線通信手段と、上記競技者支援情報を上記競技者に通知するための情報通知手段とを有し、上記競技者支援情報提示手段は、上記競技者が上記競技で用いる競技用具及びその使用条件を含む競技条件設定情報を受信すると、上記競技者情報記憶手段に記憶された上記競技者情報と、上記競技条件設定情報とに基づいて、上記競技条件設定情報に対応する予測情報を含む上記競技者支援情報を生成して提示することを特徴としている。
ここで、移動端末が競技情報管理装置に競技条件設定情報を送信すると、競技者支援情報提示手段は、競技者を支援するための競技支援情報として、競技条件設定情報に対応する予測情報を生成して提示するので、競技者は、移動端末の情報通知手段によって、この予測情報を確認し、競技を行う際の参考とすることによって、例えば、気象条件や習熟度等にかかわらず、競技者は誰でも十分楽しんで競技を行うことができる。
【００４４】
また、請求項３８記載の発明は、請求項３７記載の移動端末に係り、位置測定用衛星から測位情報を受信するための測位情報受信手段と、上記競技に関する情報を記憶する競技情報記憶手段と、少なくとも、ストローク時に、対応する時刻情報を含むストローク情報を上記競技情報記憶手段に記憶させる競技情報収集手段とを有し、上記測位情報に基づいて、当該移動端末の位置を算出する端末位置算出手段と、上記ストローク情報と、上記端末位置算出手段によって算出された当該移動端末の位置情報と対応する時刻情報と、上記競技場情報記憶手段に記憶された上記コース情報とに基づいて、上記競技場内の所定のホールにおける上記競技者の打数を計数して集計情報を生成する集計処理手段とを有する上記競技情報管理装置に、上記ネットワークを介して接続され、上記競技情報収集手段は、上記ゴルフクラブに取着され、該ゴルフクラブの識別情報を記憶したタグ装置から上記識別情報を読み取って上記ゴルフクラブを識別するゴルフクラブ識別手段を有し、上記識別情報を読取時刻情報と共に上記ストローク情報に付加して上記競技情報記憶手段に記憶させ、上記集計処理手段は、上記移動端末から送信された上記識別情報を、上記集計情報に付加して上記競技者情報記憶手段に記憶させ、上記競技場内の所定のホールのスタート位置とピン位置との間に上記移動端末が位置していると判断した場合に、上記ストローク情報を受け取ると、上記所定のホールにおける打数として計数することを特徴としている。
ここで、ゴルフクラブ識別手段は、ゴルフクラブに取着されたタグ装置からゴルフクラブの識別情報を読み取り、移動端末は、この識別情報を集計情報に付加して競技情報管理装置へ送信するので、競技者が、スコアカードにデータを記入したり入力することなく、各ストロークで使用したゴルフクラブの種類を競技情報として自動的にかつ簡単に収集することができる。
【００４５】
また、請求項３９記載の発明は、請求項３８記載の移動端末に係り、上記競技情報収集手段は、打球音を検知する打球音検知手段と、該打球音検知手段から打球音検知信号を受け取ると、上記競技者によってストロークが行われたものと判定して、対応する時刻情報を含む上記ストローク情報を上記競技情報記憶手段に記憶させるストローク判定処理手段とを有することを特徴としている。
ここで、ストローク判定処理手段は、打球音検知手段から打球音検知信号を受け取ると、競技者によってストロークが行われたものと判定し、移動端末は、ストローク情報を競技情報管理装置へ送信するので、競技者がスコアカードにデータを記入する手間に加え、ストローク毎に通知又は入力する手間も省くことができるので、競技者は、競技に専念することができる。
【００４６】
また、請求項４０記載の発明は、請求項３７、３８又は３９記載の移動端末に係り、文字画像情報の表示が可能な上記情報通知手段としての表示手段と、ホームページアドレスとしての所定のＵＲＬにアクセスして所定のコンテンツを閲覧するための閲覧プログラムを含む各種プログラム及び所定のＵＲＬ情報を含む各種情報を記憶する端末機能情報記憶手段と、上記閲覧プログラム及び上記ＵＲＬ情報を直接読み出すためのショートカット用のアイコンを上記表示手段に表示させるアイコン表示制御手段と、上記アイコンが選択されることによって対応する所定のＵＲＬへのアクセス機能を呼び出す機能呼出手段とを有してなり、上記表示手段に表示された上記アイコンが選択されると、上記機能呼出手段は、上記端末機能情報記憶手段に記憶された上記閲覧プログラム及び上記ＵＲＬ情報を読み出して、上記閲覧プログラムを実行し、所定のコンテンツを上記表示手段に表示させることを特徴としている。
ここで、機能呼出手段は、表示手段に表示されたショートカット用のアイコンが選択されると、閲覧プログラムを実行し、所定のコンテンツを表示手段に表示させるので、煩雑な操作を省き、移動端末の操作性を向上させることができる。
【００４７】
また、請求項４１記載の発明に係る競技者支援方法は、所定の競技を行う競技場で用いられ、移動可能な移動端末と、上記競技に関する情報を管理する競技情報管理装置とが、ネットワークを介して接続され、上記移動端末は、無線通信手段によって、データ通信を行うと共に、情報通知手段によって、競技者を支援するための競技者支援情報を上記競技者に通知し、上記競技情報管理装置は、上記競技者の競技履歴を含む競技者情報を競技者情報記憶手段に記憶し、上記競技者支援情報を提示する競技者支援情報提示処理を行い、上記移動端末が、上記競技者が上記競技で用いる競技用具及びその使用条件を含む競技条件設定情報を送信すると、上記競技情報管理装置は、上記競技者支援情報提示処理で、上記競技者情報記憶手段に記憶された上記競技者情報と、上記競技条件設定情報とに基づいて、上記競技条件設定情報に対応する予測情報を含む上記競技者支援情報を生成して提示することを特徴としている。
ここで、競技情報管理装置は、競技者支援情報提示処理によって、競技者を支援するための競技支援情報として、競技条件設定情報に対応する予測情報を生成して提示するので、競技者は、移動端末の情報通知手段によって、この予測情報を確認し、競技を行う際の参考とすることによって、例えば、気象条件や習熟度等にかかわらず、競技者は誰でも十分楽しんで競技を行うことができる。
【００４８】
また、請求項４２記載の発明は、請求項４１記載の競技者支援方法に係り、上記競技場における少なくとも風速及び風向を含む気象情報を取得するための気象情報取得手段が、上記競技情報管理装置にネットワークを介して接続され、上記競技者支援情報提示処理では、上記競技条件設定情報と、上記競技者情報と、上記気象情報取得手段によって得られた上記気象情報とに基づいて、上記予測情報を含む上記競技者支援情報を提示することを特徴としている。
ここで、競技情報管理装置は、競技者支援情報提示処理によって、気象情報に基づいて。予測情報を含む競技者支援情報を生成して提示するので、特に気象条件によって成績が左右され易い競技を行う際に、この予測情報を競技を行う際の参考とすることによって、競技者は、例えば悪条件を克服して、競技を楽しむことができる。
【００４９】
また、請求項４３記載の発明は、請求項４１又は４２記載の競技者支援方法に係り、上記競技者支援情報提示処理では、上記競技者の安全を確保するための上記競技者支援情報としての安全管理情報を、上記移動端末へ送信することを特徴としている。
ここで、競技情報管理装置は、競技者支援情報提示処理によって、競技者の安全を確保するための安全管理情報を、移動端末へ送信するので、競技者は、移動端末の情報通知手段によって、この安全管理情報を確認し、自身の競技中の安全を確保するために役立てることができ、競技者は、安心して競技を楽しむことができる。
【００５０】
また、請求項４４記載の発明は、請求項４１、４２又は４３記載の競技者支援方法に係り、上記競技の種目、上記競技場、上記競技用具は、それぞれ、ゴルフ、ゴルフ場、ゴルフクラブであることを特徴としている。
ここで、競技情報管理装置は、競技者支援情報提示処理によって、競技としてゴルフを行う競技者を支援するための競技支援情報として、使用するゴルフクラブ等の競技条件設定情報に対応する予測情報を生成して提示するので、競技者は、特に気象条件や習熟度等によって成績が左右され易いゴルフを行う場合に、移動端末の情報通知手段によって、この予測情報を確認し、競技を行う際の参考とすることによって、例えば、気象条件や習熟度等にかかわらず、競技者は誰でも十分楽しんで競技を行うことができる。
【００５１】
また、請求項４５記載の発明は、請求項４４記載の競技者支援方法に係り、上記競技者情報記憶手段に記憶された上記競技者情報は、上記競技者が使用した上記ゴルフクラブの種類と対応する打球の飛距離とを示す情報を含み、上記競技条件設定情報は、上記競技者が使用する上記ゴルフクラブの種類と、打球の始点としてのストローク位置と、ストローク方向とを含み、上記競技者支援情報提示処理では、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類に対応する打球の飛距離を予測飛距離として抽出し、上記競技条件設定情報に含まれるストローク位置からストローク方向に沿って上記予測飛距離離れた位置を予測落下位置として求め、少なくとも該予測落下位置を含む上記競技者支援情報としての上記予測情報を生成して提示することを特徴としている。
ここで、競技情報管理装置は、競技者支援情報提示処理によって、競技者を支援するための競技支援情報として、使用するゴルフクラブの種類に対応する予測情報としての予測落下位置を求めて提示するので、競技者は、移動端末の情報通知手段によって、この予測情報を確認し参考にして、自分が選んだゴルフクラブが最適であるか否かを知り、無駄なく的確な判断をしながら、正確に、打球を目標位置に到達させることができる。したがって、気象条件や習熟度等にかかわらず、競技者は、誰でも十分楽しんでゴルフを行うことができる。
【００５２】
また、請求項４６記載の発明は、請求項４５記載の競技者支援方法に係り、上記競技者情報記憶手段に記憶された上記競技者情報は、上記競技者が使用した上記ゴルフクラブの種類毎に、ストロ−ク方向に沿った方向の風速の成分に対応した打球の飛距離と、ストロ−ク方向に直交した方向の風速の成分に対応した上記ストローク位置と打球の落下位置とを結ぶ方向とストロ−ク方向とがなすずれ角度とを示す情報を含み、上記競技条件設定情報は、上記競技者が使用する上記ゴルフクラブの種類と、打球の始点としてのストローク位置と、ストローク方向とを含み、上記競技者支援情報提示処理では、上記気象情報取得手段から、現在の風速及び風向を含む気象情報を取得し、上記気象情報に含まれる風速を、ストロ−ク方向に沿った方向の成分と、ストロ−ク方向に直交した方向の成分とに分解して求め、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類と、ストロ−ク方向に沿った方向の風速の成分とに対応した打球の飛距離を予測飛距離として抽出し、上記競技条件設定情報に含まれる上記ゴルフクラブの種類と同一のゴルフクラブの種類と、ストロ−ク方向に直交した方向の風速の成分に対応した上記ずれ角度を予測ずれ角度として抽出し、上記競技条件設定情報に含まれるストローク位置からストローク方向に対して上記予測ずれ角度回転した方向に沿って上記予測飛距離離れた位置を予測落下位置として求め、少なくとも該予測落下位置を含む上記競技者支援情報としての上記予測情報を生成して提示することを特徴としている。
ここで、競技情報管理装置は、競技者支援情報提示処理によって、競技者を支援するための競技支援情報として、使用するゴルフクラブの種類及びストローク方向に対応し、風速を考慮した予測情報としての予測落下位置を求めて提示するので、競技者は、移動端末の情報通知手段によって、この予測情報を確認し参考にして、自分が選んだゴルフクラブ及びストローク方向が最適であるか否かを知り、無駄なく的確な判断をしながら、特に強風下でも、正確に、打球を目標位置に到達させることができる。したがって、気象条件にかかわらず、競技者は、誰でも十分楽しんでゴルフを行うことができる。
【００５３】
また、請求項４７記載の発明は、請求項４５又は４６記載の競技者支援方法に係り、上記競技者情報記憶手段に記憶された上記競技者情報は、上記競技者が使用した上記ゴルフクラブの種類毎に、上記競技者が該ゴルフクラブを使用した際のフルスイング時を基準とした打球の飛距離の比で示されるスイング強度に対応した打球の飛距離を示す情報を含み、上記競技条件設定情報は、上記競技者が使用する上記ゴルフクラブの種類と、打球の始点としてのストローク位置と、ストローク方向と、スイング強度とを含み、上記競技者支援情報提示処理では、上記競技者情報記憶手段に記憶された上記競技者の上記競技者情報に含まれ、上記移動端末から受け取った上記競技条件設定情報に含まれる上記ゴルフクラブの種類と同一のゴルフクラブの種類と、スイング強度とに対応した打球の飛距離を予測飛距離として抽出し、上記競技条件設定情報に含まれるストローク位置からストローク方向に沿って上記予測飛距離離れた位置を予測落下位置として求め、少なくとも該予測落下位置を含む上記競技者支援情報としての上記予測情報を生成して提示することを特徴としている。
ここで、競技情報管理装置は、競技者支援情報提示処理によって、競技者を支援するための競技支援情報として、使用するゴルフクラブ及びスイング強度に対応する予測情報としての予測落下位置を求めて提示するので、競技者は、移動端末の情報通知手段によって、この予測情報を確認し参考にして、自分が選んだゴルフクラブ及びスイング強度が最適であるか否かを知り、無駄なく的確な判断をしながら、一段と正確に、打球を目標位置に到達させることができる。したがって、気象条件や習熟度等にかかわらず、競技者は、誰でも十分楽しんでゴルフを行うことができる。
【００５４】
また、請求項４８記載の発明は、請求項４５、４６又は４７記載の競技者支援方法に係り、上記移動端末は、測位情報受信手段によって、位置測定用衛星から測位情報を受信し、かつ、上記競技情報管理装置は、上記移動端末から上記ネットワークを介して受信した上記測位情報に基づいて、上記移動端末の位置を算出する端末位置算出処理と、上記端末位置算出処理で算出された上記移動端末の位置と、上記競技場内の所定の位置との間の距離を求める距離算出処理とを実行し、上記競技者情報は、上記競技者が使用した上記ゴルフクラブの種類と対応する打球の飛距離とを示す情報を含み、上記競技情報管理装置は、上記移動端末から、打球の目標到達位置としての目標位置情報及び上記測位情報を受信すると、上記端末位置算出処理で、上記移動端末の位置を算出し、かつ、上記距離算出処理で上記移動端末の位置と目標位置との間の距離を、打球の所要飛距離として算出し、上記競技者支援情報提示処理で、上記所要飛距離を、上記競技者情報記憶手段に記憶された上記ゴルフクラブの種類毎の打球の飛距離に照合させて、上記所要飛距離に対応する上記ゴルフクラブの種類を推奨ゴルフクラブの種類として選定し、該推奨ゴルフクラブの種類を、上記競技者に対するアドバイス情報として含む上記競技者支援情報を生成して提示することを特徴としている。
ここで、競技情報管理装置は、競技者支援情報提示処理によって、競技者を支援するための競技支援情報として、打球の目標到達位置に対応するアドバイス情報としての推奨ゴルフクラブの種類を求めて提示するので、競技者は、移動端末の情報通知手段によって、このアドバイス情報を確認し参考にして、判断に迷うことなく、正確に、打球を目標位置に到達させることができる。したがって、気象条件や習熟度等にかかわらず、競技者は、誰でも十分楽しんでゴルフを行うことができる。
【００５５】
また、請求項４９記載の発明は、請求項４８記載の競技者支援方法に係り、上記競技者情報は、上記競技者が使用した上記ゴルフクラブの種類毎に、ストロ−ク方向に沿った方向の風速の成分に対応した打球の飛距離と、ストロ−ク方向に直交した方向の風速の成分に対応したストローク位置と打球の落下位置とを結ぶ方向とストロ−ク方向とがなすずれ角度とを示す情報を含み、上記競技情報管理装置は、上記移動端末から、打球の目標到達位置としての目標位置情報及び上記測位情報を受信すると、上記端末位置算出処理で、上記移動端末の位置を算出し、かつ、上記距離算出処理で、上記移動端末の位置と目標位置との間の距離を、打球の所要飛距離として算出し、上記競技者支援情報提示処理で、上記気象情報取得手段から、現在の風速及び風向を含む気象情報を取得し、該気象情報に含まれる現在の風速を、目標方向に沿った方向の成分と、目標方向に直交した方向の成分とに分解して求め、上記所要飛距離と、求められた目標方向に沿った方向の風速の成分との組合せを、上記競技者情報記憶手段に記憶され、上記競技者が使用した上記ゴルフクラブの種類毎に、ストロ−ク方向に沿った方向の風速の成分に対応した打球の飛距離を示す情報の風速の成分と打球の飛距離との組合せに照合させて、上記所要飛距離と、求められた目標方向に沿った方向の風速の成分とに対応する上記ゴルフクラブの種類を求めて、推奨ゴルフクラブの種類を選定し、選定した上記推奨ゴルフクラブの種類と、求められた目標方向に直交した方向の風速の成分との組合せを、上記競技者情報記憶手段に記憶され、上記競技者が使用した上記ゴルフクラブの種類毎に、上記ストロ−ク方向に直交した方向の風速の成分に対応した上記ずれ角度を示す情報のゴルフクラブの種類と風速の成分との組合せに照合させて、ゴルフクラブの種類と、求められた目標方向に直交した方向の風速の成分とに対応するずれ角度を求めて、目標方向に対するストロ−ク方向の角度としての推奨調整角度を求めて、上記推奨ゴルフクラブの種類及び上記推奨調整角度を上記競技者に対するアドバイス情報として含む上記競技者支援情報を生成して提示することを特徴としている。
ここで、競技情報管理装置は、競技者支援情報提示処理によって、競技者を支援するための競技支援情報として、打球の目標到達位置に対応するアドバイス情報としての推奨ゴルフクラブの種類と、目標方向に対するストロ−ク方向の角度としての推奨調整角度とを、風速を考慮して求めて提示するので、競技者は、移動端末の情報通知手段によって、このアドバイス情報を確認して、判断に迷うことなく、特に強風下でも、正確に、打球を目標位置に到達させることができる。したがって、気象条件や習熟度等にかかわらず、競技者は、誰でも十分楽しんでゴルフを行うことができる。
【００５６】
また、請求項５０記載の発明は、請求項４４乃至４９のいずれか１に記載の競技者支援方法に係り、上記競技情報管理装置は、少なくともコース情報を含む上記競技場に関する情報を競技場情報記憶手段に記憶し、上記移動端末から競技場情報提示要求を受けると、上記競技者支援情報提示処理で、上記競技場に関する情報を上記競技者支援情報として提示することを特徴としている。
ここで、競技情報管理装置は、競技者支援情報提示処理によって、移動端末から競技場情報提示要求を受けると、競技場としてのゴルフ場に関する情報を競技者支援情報として提示するので、競技者は、移動端末の情報通知手段によって、場所及び時間を問わず、例えば、ゴルフ場のコース情報を確認して、例えばコースの攻略法の立案のために役立てることができる。
【００５７】
また、請求項５１記載の発明は、請求項５０記載の競技者支援方法に係り、上記移動端末は、測位情報受信手段によって、位置測定用衛星から測位情報を受信し、上記競技に関する情報を競技情報記憶手段に記憶し、少なくとも、ストローク時に、対応する時刻情報を含むストローク情報を上記競技情報記憶手段に記憶させる競技情報収集処理を実行し、上記競技情報管理装置は、上記移動端末から上記ネットワークを介して受信した上記測位情報に基づいて、上記移動端末の位置を算出する端末位置算出処理と、上記移動端末から送信された上記ストローク情報と、上記端末位置算出処理で算出された上記移動端末の位置情報と対応する時刻情報と、上記競技場情報記憶手段に記憶された上記コース情報とに基づいて、上記競技場内の所定のホールにおける上記競技者の打数を計数して集計情報を生成する集計処理を実行し、上記集計処理では、上記競技場内の所定のホールのスタート位置からピン位置へ到る経路上に上記移動端末が位置した場合のストロークを、上記所定のホールにおけるストロークと判断し、打数として計数することを特徴としている。
ここで、競技情報管理装置は、集計処理によって、競技場内の所定のホールのスタート位置からピン位置へ到る経路上に移動端末が位置した場合のストロークを、所定のホールにおけるストロークと判断し、打数として計数するので、競技者は、スコアカードにデータを記入する手間を省くことができ、競技に専念することができる。
【００５８】
また、請求項５２記載の発明は、請求項５１記載の競技者支援方法に係り，上記競技情報収集処理では、上記ゴルフクラブに取着され、該ゴルフクラブの識別情報を記憶したタグ装置から上記識別情報を読み取って上記ゴルフクラブを識別するゴルフクラブ識別処理を実行し、上記識別情報を読取時刻情報と共に上記ストローク情報に付加して上記競技情報記憶手段に記憶させ、上記集計処理で、上記移動端末から送信された上記識別情報を、上記集計情報に付加して上記競技者情報記憶手段に記憶させることを特徴としている。
ここで、移動端末は、ゴルフクラブ識別処理で、ゴルフクラブに取着されたタグ装置からゴルフクラブの識別情報を読み取り、この識別情報を集計情報に付加して競技情報管理装置へ送信するので、競技者が、スコアカードにデータを記入したり入力することなく、各ストロークで使用したゴルフクラブの種類を競技情報として自動的にかつ簡単に収集することができる。
【００５９】
また、請求項５３記載の発明は、請求項５１又は５２記載の競技者支援方法に係り，上記競技情報収集処理では、打球音検知手段によって打球音を検知し、該打球音検知手段から打球音検知信号を受け取ると、上記競技者によってストロークが行われたものと判定して、対応する時刻情報を含む上記ストローク情報を上記競技情報記憶手段に記憶させるストローク判定処理を実行することを特徴としている。
ここで、移動端末は、ストローク判定処理で、打球音検知手段から打球音検知信号を受け取ると、競技者によってストロークが行われたものと判定し、ストローク情報を競技情報管理装置へ送信するので、競技者がスコアカードにデータを記入する手間に加え、ストローク毎に通知又は入力する手間も省くことができるので、競技者は、競技に専念することができる。
【００６０】
また、請求項５４記載の発明は、請求項５１、５２又は５３記載の競技者支援方法に係り、競技中以外の又は実際には競技を行わない擬似競技者としてのユーザが用いるユーザ端末が、上記ネットワークを介して、上記競技情報管理装置に接続され、上記競技情報管理装置は、上記競技者支援情報提示処理で、上記ユーザ端末から、上記競技条件設定情報を受けると、少なくとも予測落下位置を含む上記予測情報を生成して提示し、上記集計処理で、上記競技場内の所定のホールにおける上記予測情報に含まれる予測落下位置の数を上記擬似競技者の打数として計数して擬似集計情報を生成することを特徴としている。
ここで、競技情報管理装置は、競技者支援情報提示処理によって、ユーザ端末から、競技条件設定情報を受けると、少なくとも予測落下位置を含む予測情報を生成して提示し、集計処理で、ゴルフ場内の所定のホールにおける予測情報に含まれる予測落下位置の数を擬似競技者の打数として計数して擬似集計情報を生成するので、ユーザは、実際の競技に参加しなくても、自宅等でユーザ端末を用いてシミュレーションを実施することが可能であるので、例えば自宅にいながらにして、予行演習を行って成績向上に努めたり、競技後の再現を行って反省点を明確にすることができる。また、実際の競技に参加できないものでも、シミュレーションを楽しむことができ、娯楽性を高めることができる。
【００６１】
また、請求項５５記載の発明は、請求項５１乃至５４のいずれか１に記載の記載の競技者支援方法に係り、同一の上記競技場で用いられる複数の上記移動端末が、上記ネットワークを介して上記競技情報管理装置に接続され、上記競技情報管理装置は、上記端末位置算出処理で算出された上記移動端末の位置と、上記競技場内の所定の位置又は他の上記移動端末の位置との間の距離を求める距離算出処理と、上記各移動端末の位置情報及び対応する時刻情報と、上記競技場情報記憶手段に記憶された上記競技場の上記コース情報とに基づいて、上記競技場内で実施される複数の競技の進行管理を行う競技進行管理処理とを実行し、該競技進行管理処理で、互いに独立して上記競技場内で上記競技を行っている所定の上記競技者が用いる上記移動端末同士の距離が、上記競技場内の位置関係に応じて予め設定された所定の範囲よりも近づくと、後発側の上記競技者が用いる上記移動端末へ待機指示信号を送信し、上記移動端末同士の距離が、上記所定の範囲よりも遠ざかると、後発側の上記競技者が用いる上記移動端末へ進行指示信号を送信する競技者配置調整処理を実行することを特徴としている。
ここで、競技情報管理装置は、競技者配置調整処理によって、互いに独立してゴルフ場内で競技を行っている所定の競技者が用いる移動端末同士の距離が、ゴルフ場内の位置関係に応じて予め設定された所定の範囲よりも近づくと、後発側の競技者が用いる移動端末へ待機指示信号を送信し、移動端末同士の距離が、所定の範囲よりも遠ざかると、後発側の競技者が用いる移動端末へ進行指示信号を送信するので、例えば、無駄な待ち時間を無くし、必要以上に例えばパーティ間の間隔を開けることを防ぐことができ、競技者は、快適に競技を楽しむことができる。
【００６２】
また、請求項５６記載の発明は、請求項５１乃至５５のいずれか１に記載の競技者支援方法に係り，上記移動端末は、上記競技情報収集処理で、ストローク情報送信手段によって、ストロークの度に上記ストローク情報を上記競技情報管理装置へ送信し、上記競技情報管理装置は、上記ストローク情報送信手段から受け取った上記ストローク情報と、上記各移動端末の位置情報と、上記競技場情報記憶手段に記憶された上記競技場の上記コース情報とに基づいて、所定の領域内に位置する上記移動端末に対して、上記安全管理情報としての打球飛来危険情報を生成して送信する危険情報送信処理を実行し、上記危険情報送信処理によって、上記ストローク情報送信手段から上記ストローク情報を受け取ると、上記ストローク情報を送信した上記移動端末から所定の方向を含む所定の半径の略扇形の領域内に位置する上記移動端末に対して、上記打球飛来危険情報を生成して送信し、上記打球飛来危険情報を受け取った上記移動端末は、上記情報通知手段としての音声出力手段によって、打球飛来警報を出力することを特徴としている。
ここで、競技情報管理装置は、危険情報送信処理によって、ストローク情報を受け取ると、ストローク情報を送信した移動端末から所定の方向を含む所定の半径の略扇形の領域内に位置する移動端末に対して、打球飛来危険情報を生成して送信するので、競技中の競技者の安全を確実に確保することができる。したがって、競技者は、安心して競技に意識を集中させて、競技を楽しむことができる。
【００６３】
また、請求項５７記載の発明は、請求項４３乃至５６のいずれか１に記載の競技者支援方法に係り、上記競技者情報記憶手段は、上記競技者の現在に至る体力情報及び健康情報を含む健康管理情報を記憶し、上記競技情報管理装置は、上記競技者情報記憶手段に記憶された上記競技者の上記健康管理情報に含まれる上記競技者の健康状態を示す現在の所定の指標が過去の上記指標よりも悪化していると判断した場合に、上記安全管理情報としての体調注意情報を生成して送信する注意情報送信処理を実行し、上記注意情報送信処理によって上記体調注意情報を受け取った上記移動端末は、上記情報通知手段によって、体調注意警報を出力することを特徴としている。
ここで、競技情報管理装置は、注意情報送信処理によって、競技者の健康管理情報に含まれる競技者の健康状態を示す現在の所定の指標が過去の指標よりも悪化していると判断した場合に、安全管理情報としての体調注意情報を生成して、移動端末へ送信するので、競技者の競技中の安全を一段と確実に確保することができる。したがって、競技者は、安心して競技を楽しむことができる。
【００６４】
また、請求項５８記載の発明は、請求項４１乃至５７のいずれか１に記載の競技者支援方法に係り、上記移動端末は、測位情報受信手段によって位置測定用衛星から測位情報を受信し、上記競技情報管理装置は、上記移動端末から上記ネットワークを介して受信した上記測位情報に基づいて、上記移動端末の位置を算出する端末位置算出処理と、上記端末位置算出処理で算出された上記移動端末の位置と、上記競技場内の所定の位置との間の距離を求める距離算出処理とを実行し、上記競技場内で上記競技者が利用可能な施設の営業情報を含む施設情報を施設情報記憶手段に記憶し、上記施設情報記憶手段に記憶された上記施設情報に基づいて上記施設の利用を促すための案内情報を生成し、上記各移動端末の位置情報及び対応する時刻情報に基づいて、上記案内情報を送信すべき上記移動端末を選定し、選定された上記移動端末へ上記案内情報を所定のタイミングで送信する施設案内情報提示処理を実行し、上記施設案内情報提示処理で、上記移動端末が、案内対象の施設から所定の距離に達すると、上記施設に関する上記案内情報を上記移動端末へ送信することを特徴としている。
ここで、競技情報管理装置は、施設案内情報提示処理によって、移動端末が、案内対象の施設から所定の距離に近づくと、競技場内にある施設に関する案内情報を移動端末へ送信するので、競技者にとっては、無駄な待ち時間を低減し、競技のために有効に時間を割き、ストレスを感じることなく競技を楽しむことができる。また、レストラン等の施設の経営主体も、効率的に集客を行うことができる。
【００６５】
また、請求項５９記載の発明は、請求項４１乃至５８のいずれか１に記載の競技者支援方法に係り、上記競技情報管理装置は、複数の上記競技場に設置された競技場内情報処理装置と上記ネットワークを介して接続され、上記各競技場内情報処理装置を介して、上記各競技場において実施される上記競技に関する情報を管理し、上記競技者情報記憶手段には、上記各競技場に対応付けられて上記競技者情報が記憶され、上記移動端末が、上記競技場を指定するための競技場指定情報と、上記競技条件設定情報とを送信すると、上記競技情報管理装置は、上記競技者支援情報提示処理で、上記競技者情報記憶手段に記憶された指定された上記競技場における上記競技者情報と、上記競技条件設定情報とに基づいて、上記競技条件設定情報に対応する予測情報を含む上記競技者支援情報を生成して提示することを特徴としている。
ここで、競技情報管理装置は、複数の競技場に設置された競技場内情報処理装置を介して、各競技場において実施される競技に関する情報を管理し、競技者情報記憶手段には、各競技場に対応付けられて競技者情報が記憶されているので、競技者は、単一の競技場のみならず、多数の競技場の情報を得て、競技として例えばゴルフを行う場合には、多彩なコースでの多様なシミュレーションを楽しむことができる。
【００６６】
また、請求項６０記載の発明は、請求項４１乃至５９のいずれか１に記載の競技者支援方法に係り、上記移動端末は、上記情報通知手段としての表示手段によって、文字画像情報の表示を行い、ホームページアドレスとしての所定のＵＲＬにアクセスして所定のコンテンツを閲覧するための閲覧プログラムを含む各種プログラム及び所定のＵＲＬ情報を含む各種情報を端末機能情報記憶手段に記憶し、上記閲覧プログラム及び上記ＵＲＬ情報を直接読み出すためのショートカット用のアイコンを上記表示手段に表示させるアイコン表示制御処理と、上記アイコンが選択されることによって対応する所定のＵＲＬへのアクセス機能を呼び出す機能呼出処理とを実行し、上記移動端末は、上記表示手段に表示された上記アイコンが選択されると、上記機能呼出処理で、上記端末機能情報記憶手段に記憶された上記閲覧プログラム及び上記ＵＲＬ情報を読み出して、上記閲覧プログラムを実行し、所定のコンテンツを上記表示手段に表示させることを特徴としている。
ここで、移動端末は、機能呼出処理によって、表示手段に表示されたショートカット用のアイコンが選択されると、閲覧プログラムを実行し、所定のコンテンツを表示手段に表示させるので、煩雑な操作を省き、移動端末の操作性を向上させることができる。
【発明の効果】
【００６７】
この発明の構成によれば、競技者支援情報提示手段は、競技者を支援するための競技支援情報として、競技条件設定情報に対応する予測情報を生成して提示するので、競技者は、移動端末の情報通知手段によって、この予測情報を確認することができ、例えば、気象条件や習熟度等にかかわらず、競技者は誰でも十分楽しんで競技を行うことができる。
【発明を実施するための最良の形態】
【００６８】
競技者支援情報提示手段が、競技者を支援するための競技支援情報として、競技条件設定情報に対応する予測情報を生成して提示することによって、競技者は、移動端末の情報通知手段によって、この予測情報を確認し、例えば、気象条件や習熟度等にかかわらず、競技者は誰でも十分楽しんで競技を行う環境を提供するという目的を実現した。
【実施例１】
【００６９】
図１は、この発明の第１実施例である競技者支援システムの構成を示す図、図２は、同競技者支援システムの情報管理センタの構成を示すブロック図、図３は、同情報管理センタの管理サーバ、コース情報データベースサーバ、気象情報データベースサーバ、ユーザ情報データベースサーバ、及び課金サーバの構成を示すブロック図、図４は、同ユーザ情報データベースサーバの記憶部の構成を説明するための説明図、図５は、同情報管理センタのゴルフ場端末及び同競技者支援システムの固定端末の構成を示すブロック図、図６は、同情報管理センタに接続された気象観測装置の構成を示すブロック図、図７は、同競技者支援システムの携帯端末の構成を示すブロック図、図８は、同競技者支援システムに係るネットワークの構成を示す図、図９は、同ネットワークの通信管理センタの構成を示すブロック図、図１０及び図１１は、同競技者支援システムの動作を説明するための処理手順図、また、図１２乃至図１７は、同競技者支援システムの動作を説明するための説明図である。
【００７０】
この例の競技者支援システム１は、図１に示すように、ゴルフ場Ａの例えばクラブハウス内に設置され、ゴルフ場主が管理運営する情報管理センタ２と、ゴルフを行う競技者としてのユーザＢ1，Ｂ2，…がゴルフ場Ａ内で用いる携帯端末３，３，…と、例えばユーザＢ1，Ｂ2，…の自宅に設置された固定端末４，４，…とが、ネットワーク５を介して接続されてなっている。なお、情報管理センタ２には、ゴルフ場Ａを含む局所地域の気象現況や予報情報等の提供を受けるための気象情報提供サーバ６が接続されている。
情報管理センタ２は、図２に示すように、管理サーバ８と、コース情報データベースサーバ９と、気象情報データベースサーバ１１と、ユーザ情報データベースサーバ１２と、課金サーバ１３と、例えばゴルフ場Ａの担当者が用いるゴルフ場端末１４と、ＧＰＳアンテナ１５を介してＧＰＳ信号を受信し、予め正確な緯度及び経度が知られた固定されたＧＰＳ受信機１６とを有してなっている。
【００７１】
また、この情報管理センタ２には、ゴルフ場Ａ内の所定の場所（例えば、各ホールのティーグランド等）に設置された気象観測装置１７，１７，…が接続されている。この気象観測装置１７は、図６に示すように、風向風速計１７ａ、気圧計１７ｂ、温度計１７ｃ、及び湿度計１７ｄを有してなっている。風向風速計１７ａとしては、例えば、プロペラ飛行機から主翼を除いた形状のエアロベーンを用い、前部のプロペラ部の回転によって発電機から風速に対応した出力を得て、垂直尾翼によって風の方向を指示させる。
【００７２】
管理サーバ８は、図３に示すように、ＣＰＵ等からなり、記憶部２２に記憶された所定の制御プログラムに従って構成各部を制御する制御部２１と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部２２と、所定のプロトコルに従ってデータ通信を行うための通信部２３とを有している。
管理サーバ８の記憶部２２には、端末位置算出プログラムや、距離算出プログラム、競技者支援情報提示プログラム、会員管理処理プログラム等が記憶されている。
【００７３】
端末位置算出プログラムには、携帯端末３から送られてきた測位情報を、情報管理センタ２内の固定されたＧＰＳ受信機１６から得られた測位情報の誤差情報によって補正し、補正された測位情報を得て、携帯端末３の位置を算出するための手順が記述されている。
また、距離算出プログラムには、端末位置算出処理によって求められた携帯端末３の位置と、予めコース情報データベースサーバ９に登録されている所定の地点（例えば、所定のホールのピン）との間の距離を算出するための手順が記述されている。
また、競技者支援情報提示プログラムは、ゴルフ場情報提示プログラムと、アドバイス情報提示プログラムと、擬似プレイ処理プログラムと、自動集計プログラムとを含んでいる。
【００７４】
競技者支援情報提示プログラムには、例えば携帯端末３から提示要求を受けると、各種競技者支援情報を、ゴルフ場主の営業活動のためにインターネット上に開設されたホームページにおいて提示するための手順が記述されている。
ゴルフ場情報提示プログラムには、要求に応じて、コース全体の地形や障害物（池、クリーク、バンカ、立木、林等）の位置や画像の情報を含むコース地図情報、グリーンの芝目や傾斜を含むコース詳細情報、所定の地点での風向及び風速等の気象情報を提示するための手順が記述されている。
ここで、コース情報としては、実写画像（好条件下の画像、又はライブ画像）を含んでいる。また、気象情報には、気象観測装置１７から周期的に送られてくる風向及び風力と、気圧と、温度と、湿度との各計測情報と、気象情報提供サーバ６から得られた降水確率や、雷や霧の発生予報、紫外線の強度予報、花粉飛散予報等が含まれている。
【００７５】
また、アドバイス情報提示プログラムには、全コースに亘る概略的な攻略方法に関するアドバイス情報を提示する手順と、ホール毎の攻略方法に関するアドバイス情報を提示する手順と、打球動作毎のアドバイス情報を提示する手順とが記述されている。
打球動作毎のアドバイス情報を提示する手順としては、例えば、ユーザが入力し携帯端末３から送信されたストローク位置（始点位置）及びストローク方向（目標方向）と、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出された競技者としてのユーザの個人情報（ゴルフクラブの種類毎の参照飛距離情報等）とに基づいて、競技者としてのユーザが用いるべき推奨ゴルフクラブ番号（推奨ゴルフクラブの種類）や、目標位置等を提示するための手順を含んでいる。
例えば、風速の影響を無視できる場合は、距離算出処理で算出された携帯端末３の位置と目標位置との間の距離を、打球の所要飛距離として用い、この所要飛距離を、ユーザ情報データベースサーバ１２に記憶されたゴルフクラブ番号毎の参照飛距離情報（打球の飛距離）に照合させて、所要飛距離に対応するゴルフクラブ番号を推奨ゴルフクラブ番号として選定する。
【００７６】
また、擬似プレイプログラムには、提示された風向及び風速を含む気象情報やコース情報、距離算出処理で算出された目標までの距離情報等を参照して、競技者としてのユーザが入力し携帯端末３から送信されたストローク位置（始点位置）及びストローク方向（目標方向）、並びに使用ゴルフクラブ番号と、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出されたユーザの個人情報（ゴルフクラブの種類毎の参照飛距離情報等）とに基づいて、打球（ゴルフボール）のストローク位置（始点位置）から目標位置（終点位置）に至る軌跡を求め、予測情報として提示するための手順が記述されている。
例えば、風速の影響を無視できる場合は、ユーザが入力し携帯端末３から送信された使用ゴルフクラブ番号と同一のゴルフクラブ番号に対応する参照飛距離情報を、打球の予測飛距離として抽出し、ストローク位置からストローク方向に沿って予測飛距離離れた位置を予測落下位置として求め、この予測落下位置に到る軌跡を求める。
【００７７】
また、自動集計プログラムには、入力されたスコア情報に基づいて、所定の集計処理、統計処理及び評価処理を施す手順が記述されている。
また、会員管理処理プログラムは、会員募集案内情報提示プログラムと、会員登録処理プログラムと、予約受付プログラムとを含んでいる。
会員募集案内提示プログラムには、会員募集案内情報を生成し、ゴルフ場主のホームページにおいて提示するための手順が記述されている。
【００７８】
コース情報データベースサーバ９（気象情報データベースサーバ１１、ユーザ情報データベースサーバ１２、課金サーバ１３）は、ハードウェア上の概略構成は上述した管理サーバ８と同様であり、所定の制御プログラムに従って構成各部を制御する制御部２４（２７，３１，３４）と、各種プログラムやデータが記憶される記憶部２５（２８，３２，３５）と、所定のプロトコルに従ってデータ通信を行うための通信部２６（２９，３３，３６）とを有している。
コース情報データベースサーバ９の記憶部２５には、各コースやゴルフ場全体の画像情報及び地図情報、ゴルフ場内の各地点（各ホールのピンの位置）の位置情報（緯度及び経度情報）、各ホールのスタート位置からピンまでの距離、グリーンの芝目や傾斜を含むコース詳細情報、芝の状態に基く現在のラン情報が記憶されている。
ここで、コース情報としては、実写画像（好条件下の画像、又はライブ画像）、三次元ＣＧ画像、コースレイアウト、各コースの平面図、断面図等を含んでいる。また、地図情報には、コース全体の地形や障害物（池、クリーク、バンカ、立木、林等）の位置や画像の情報が含まれている。
【００７９】
気象情報データベースサーバ１１の記憶部２８には、各気象観測装置１７から送信されてくる気象情報や、気象情報提供サーバ６から供給される気象情報が記憶されている。気象観測装置１７からは、周期的に、気象情報として、風向及び風力と、気圧と、温度と、湿度との各計測情報が送られ、時系列的に記憶される。ここで、温度及び湿度に基づいて算出された不快指数等も記憶されている。また、気象情報提供サーバ６から供給される気象情報には、降水確率や、雷や霧の発生予報、紫外線の強度予報、花粉飛散予報等が含まれている。
【００８０】
ユーザ情報データベースサーバ１２の記憶部３２には、各携帯端末３の現在位置情報や、各ユーザＢ1（Ｂ2，Ｂ3，…）の加入者番号を含むユーザ情報等が常時更新された状態で記憶されている。また、記憶部３２には、競技者としての各ユーザの各ゴルフクラブの種類に対応した飛距離情報が、過去に実施された競技で収集して得られたデータとして、また、アドバイス情報提供や擬似プレイのために特に測定されたデータとして、競技時の気象条件等と共に記憶されている。
さらに、多数の飛距離情報から、特に好条件下（例えば、無風、降雨なし、低不快指数）で得られたデータが抽出され、代表値として平均値が求められて、ユーザ毎に、図４に示すように、情報提供時に使用するための各ゴルフクラブ番号に対応する参照飛距離情報として記憶されている。
課金サーバ１３の記憶部３５には、気象情報提供サーバ６から気象情報の提供を受ける際の費用や、位置情報取得のための通信費用等を算出したり、料金負担者に対する課金情報を生成する課金プログラムが記憶されている。
【００８１】
ゴルフ場端末１４は、据置型のパーソナルコンピュータ等からなり、図５に示すように、構成各部を制御する制御部４１と、制御部４１が実行する処理プログラムや各種データ等を記憶するための記憶部４２と、所定のプロトコルに従ってデータ通信を行うために用いられる通信部４３と、液晶表示装置等からなる表示部４４と、数字や文字の入力操作等を行うための多数の各種操作キー等からなる操作部４５と、印刷部４６とから概略構成されている。
【００８２】
各携帯端末３は、通話機能や、例えば電子メールの送受信やインターネットに接続してホームページの閲覧が可能なデータ通信機能のほか、ＧＰＳ信号受信機能を有する例えば携帯電話機からなり、図７に示すように、当該携帯端末本体の構成各部を制御する制御部４８と、制御部４８が実行する処理プログラムや各種データ等を記憶するための記憶部４９と、ＧＰＳ（Global Positioning System）アンテナ５１と、ＧＰＳ受信部５２と、無線通信アンテナ５３と、無線通信部５４と、例えば、受信した電子メールやホームページの内容、待受画面、機能設定画面等が表示される表示部５５と、数字や文字の入力操作等を行うための多数の各種操作キー等からなる操作部５６と、受話音声を出力するスピーカを有してなる受話部５７と、送話音声を入力するマイクロフォンを有してなる送話部５８と、例えば着信時に着信音を出力する音声出力部５９とから概略構成されている。
【００８３】
制御部４８は、ＣＰＵ（中央処理装置）等を有してなり、メーラやブラウザ等の記憶部４９に記憶された各種処理プログラムを実行し、携帯端末本体の構成各部を制御する。
記憶部４９は、ＲＯＭ、ＲＡＭ等の半導体メモリ等からなり、制御部４８が実行する各種プログラムや、各種情報等が記憶される。この記憶部４９には、ＧＰＳ受信部５２によって取得された測位情報を、情報管理センタ２へ送信するための手順が記述された測位送信情報プログラム等が記憶されている。
【００８４】
固定端末４は、ハードウェア上の概略構成は上述したゴルフ場端末１４と同様であり、据置型のパーソナルコンピュータ等からなり、構成各部を制御する制御部６１と、制御部６１が実行する処理プログラムや各種データ等を記憶するための記憶部６２と、所定のプロトコルに従ってデータ通信を行うために用いられる通信部６３と、液晶表示装置等からなる表示部６４と、数字や文字の入力操作等を行うための多数の各種操作キー等からなる操作部６５と、印刷部６６とから概略構成されている。
【００８５】
ネットワーク５は、図８に示すように、移動通信事業者Ｃが管理する通信管理センタ６８を介してインターネット６９に接続可能な移動通信網７１を有してなっている。この例では、携帯端末３からの支援情報提示要求は、最寄の基地局７２を経由して、通信管理センタ６８へ向けて送信され、インターネット６９に接続された情報管理センタ２からの対応する競技者支援情報は、通信管理センタ６８を介して携帯端末３へ送られる。
通信管理センタ６８は、図９に示すように、ユーザ情報等を管理する情報管理サーバ７３と、例えば携帯端末３から送信されてきた電子メールや携帯端末３へ送信された電子メールを蓄積し管理するメールサーバ７４と、移動通信網７１を例えばインターネット６９に接続するための接続処理サーバ７５とを有している。
情報管理サーバ７３（メールサーバ７４、接続処理サーバ７５）は、ハードウェア上の概略構成は上述した管理サーバ８等と同様であり、所定の制御プログラムに従って構成各部を制御する制御部と、各種プログラムやデータが記憶される記憶部と、所定のプロトコルに従ってデータ通信を行うための通信部とを有している。
【００８６】
次に、図１０乃至図１７を参照して、上記構成の競技者支援システム１の動作について説明する。
前提として、ユーザＢ1，Ｂ2，…は、所定の対価を支払って、この競技者支援システム１のサービスを受けることができる会員として、予め登録し、ＩＤ番号を付与されているものとする。なお、この例では、ユーザＢ1，Ｂ2，…は、ゴルフ場Ａで競技者として競技している間は、自身が所有する携帯端末３を、少なくとも電源をオンとした状態で常に携帯しているものとする。
ユーザＢ1，Ｂ2，…が、競技者として、例えば、４人１組のパーティの一員として競技を計画している場合に、ゴルフ場Ａに予約を入れる前に、コース全体の情報や、気象情報（予報）を自宅で入手したいと考えた場合は、情報管理センタ２にアクセスして、競技者支援情報を受け取る。
【００８７】
まず、ユーザＢ1，Ｂ2，…の操作によって、所定のＵＲＬ（Uniform Resource Locator）が設定されて、固定端末４が情報管理センタ２にアクセスし、ユーザＢ1，Ｂ2，…のＩＤ番号やパスワードの送信の後、所定の認証処理が行われ、固定端末４が情報管理センタ２に対して競技者支援メニューの閲覧要求を行うと（ステップＳＡ１１（図１０））、管理サーバ８は、このメニュー閲覧要求を受けて、制御部２１は、競技者支援メニュー情報を携帯端末３へ送信する（ステップＳＡ１２）。これにより、固定端末４の制御部６１は、図１２に示すように、競技者支援メニュー画面を表示部６４に表示させる。
ユーザＢ1，Ｂ2，…の操作によって、競技者支援メニュー画面の「１．ゴルフ場情報」にカーソルが合わされて、操作部６５の決定キーが押下され、「１．ゴルフ場情報」が選択されると、ゴルフ場情報要求が情報管理センタ２の管理サーバ８へ送られる（ステップＳＡ１３）。管理サーバ８の制御部２１は、ゴルフ場情報をコース情報データベースサーバ９から抽出して、固定端末４へ送信する（ステップＳＡ１４）。
【００８８】
これによって、固定端末４の制御部６１は、表示部６４に、例えば、ゴルフ場全体の画像（実写映像や、３次元ＣＧ画像等）を表示させる（ステップＳＡ１５）。さらに、特定のホールの画像の提示が要求されると、例えば、図１４に示すように、平面図が表示される。また、競技予定日を指定して気象情報が要求されると、気象情報データベースサーバ１１において抽出された当日の気象の予報情報が提供される。
このように、表示部６４の画面には、平面図のほか、画面の左上のコース情報表示領域７７ａには、ホール番号（この例では３）、パー数（この例では４）、スタート位置からピン位置までの距離（この例では４１０［Yard］）が表示され、画面の右下の気象情報表示領域７７ｂには、風速（この例では９．０［ｍ／ｓ］）、風向（この例では、北北東）、気圧（この例では、１０１０［hPa］）、温度（この例では２１．５℃）、湿度（この例では６３％）が表示される。
【００８９】
情報管理センタ２から提供されたゴルフ場情報を確認して、予定通り、ユーザＢ1，Ｂ2，…が、最初の競技予定日に、このゴルフ場Ａでの競技の予約を入れたいと考えた場合は、所定の予約操作を行う。
ユーザＢ1，Ｂ2，…の操作によって、予約受付要求が固定端末４から情報管理センタ２に対してなされると（ステップＳＡ１６）、管理サーバ８では、制御部２１が、予約申込書を固定端末４へ送信する（ステップＳＡ１７）。
この後、ユーザＢ1，Ｂ2，…が、パーティの構成員の全氏名及びＩＤ番号、競技予定日、開始予定時刻等の必要事項を予約申込書に記入した後、固定端末４から記入済予約申込書が情報管理センタ２へ送信されると（ステップＳＡ１８）、管理サーバ８では、制御部２１が、当日の競技予定を確認後、予約受入れ可能と判断すると（ステップＳＡ１９）、予約完了通知書を固定端末４へ送信する（ステップＳＡ２０）。固定端末４では、受付完了通知書を受信すると、制御部６１は、これを印刷部６６に印刷させる（ステップＳＡ２１）。
【００９０】
次に、ユーザＢ1，Ｂ2，…が、このゴルフ場Ａで、競技当日の競技開始前に、各ホールの詳細情報や、気象情報を入手したいと考えた場合は、携帯端末３を用いて情報管理センタ２にアクセスして、競技者支援情報を受け取る。
まず、ユーザＢ1，Ｂ2，…の操作によって、所定のＵＲＬが設定されて、携帯端末３が情報管理センタ２にアクセスし、ユーザＢ1，Ｂ2，…のＩＤ番号やパスワードの送信の後、所定の認証処理が行われ、携帯端末３が情報管理センタ２に対して競技者支援メニューの閲覧要求を行うと（ステップＳＢ１１（図１１））、管理サーバ８は、このメニュー閲覧要求を受けて、制御部２１は、競技者支援メニュー情報を携帯端末３へ送信する（ステップＳＢ１２）。これにより、携帯端末３の制御部４８は、図１２に示すように、競技者支援メニュー画面を表示部５５に表示させる。
【００９１】
ユーザＢ1，Ｂ2，…の操作によって、競技者支援メニュー画面の「１．ゴルフ場」が選択されると、ゴルフ場情報要求が情報管理センタ２の管理サーバ８へ送られる（ステップＳＢ１３）。管理サーバ８の制御部２１は、ゴルフ場情報をコース情報データベースサーバ９から抽出して、携帯端末３へ送信する（ステップＳＢ１４）。さらに、特定のホールの画像の提示が要求されると、図１４に示すように、平面図が表示される（ステップＳＢ１５）。
同図において、端点として始点及び終点を指定すると、この間の断面図が、図１５に示すように表示される。始点及び終点間の距離が画面の大きさに比べて短い場合には、拡大表示される。
【００９２】
また、ユーザＢ1，Ｂ2，…は、例えば第１打を打つ前に、特定のホール（例えば第３番ホール）の攻略方法を知りたいと考えた場合は、アドバイス情報の提示を求める。図１２に示す競技者支援メニュー画面の「２．アドバイス情報」が選択されると、図１３に示すように、アドバイスメニュー画面が表示部５５に表示される。ここで、アドバイスメニュー画面の「２．指定ホールアドバイス」が選択されると、携帯端末３からは、対応するアドバイス情報要求が情報管理センタ２の管理サーバ８へ送信される（ステップＳＢ１６）
【００９３】
管理サーバ８の制御部２１は、このアドバイス情報要求を受け取ると、携帯端末３に対して測位情報要求を送信する（ステップＳＢ１７）。
携帯端末３が、情報管理センタ２の管理サーバ８に測位情報を送信すると（ステップＳＢ１８）、管理サーバ８の制御部２１は、測位情報に基づいて端末位置算出処理を行って、携帯端末３の位置を算出し、さらに、距離算出処理を実行して、携帯端末３からこのホールの各目標位置までの距離を算出する（ステップＳＢ１９）。管理サーバ８の制御部２１は、携帯端末３の位置情報を得て、常に更新された状態で、ユーザ情報データベースサーバ１２に記憶させておく。
【００９４】
管理サーバ８の制御部２１は、例えば、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出された競技者としてのユーザの個人情報（ゴルフクラブの種類毎の参照飛距離情報等）とに基づいて、競技者としてのユーザが用いるべき推奨ゴルフクラブ番号や、目標位置、目標位置までの距離等の情報を含むアドバイス情報を生成し、携帯端末３へ送信する（ステップＳＢ２０）。
ここで、制御部２１は、例えば、風速の影響を無視できる場合は、距離算出処理で算出された携帯端末３の位置と目標位置との間の距離を、打球の所要飛距離として用い、この所要飛距離を、ユーザ情報データベースサーバ１２に記憶されたゴルフクラブ番号毎の参照飛距離情報（打球の飛距離）に照合させて、所要飛距離に対応するゴルフクラブ番号を推奨ゴルフクラブ番号として選定する。
【００９５】
携帯端末３は、アドバイス情報を受信すると、制御部４８は表示部５５に、表示させる（ステップＳＢ２１）。表示部５５の画面には、図１６に示すように、平面図のほか、画面の左下のアドバイス情報表示領域７８ａには、推奨されるゴルフクラブの種類が表示される。また、平面図上には、目標点Ｐ1〜Ｐ4が表される。
なお、ユーザＢ1，Ｂ2，…が、全コースに亘る攻略方法を知りたいと考えた場合に、「１．全コースアドバイス」が選択されると例えば、ゴルフ場全体の画像が表示され、各ホールでの目標地点や、推奨ゴルフクラブがアドバイスされる。
【００９６】
また、このホールで、競技者としてのユーザＢ1，Ｂ2，…が、例えば、第１打を打つ前に、提供されたコース情報や気象情報等を参照して、ゴルフクラブを選択し、その場合の予測結果を知りたいと考えた場合は、擬似プレイを行う。
図１２に示す競技者支援メニュー画面で「３．擬似プレイ」が選択されると、擬似プレイ要求が情報管理センタ２の管理サーバ８へ送られる（ステップＳＢ２２）。管理サーバ８の制御部２１は、擬似プレイ要求を受け取ると、使用するゴルフクラブやストローク方向等の設定情報を携帯端末３に対して要求する（ステップＳＢ２３）。
【００９７】
携帯端末３は、設定情報要求を受け取ると、使用するゴルフクラブやストローク方向等の設定情報を情報管理センタ２の管理サーバ８へ送信する（ステップＳＢ２４）。
管理サーバ８の制御部２１は、使用ゴルフクラブの種類とストローク方向と、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出されたユーザの個人情報（ゴルフクラブの種類毎の参照飛距離情報等）とに基づいて、打球（ゴルフボール）の打球位置（始点位置）から目標位置（終点位置）に至る軌跡を求め、予測情報として携帯端末３へ送信する（ステップＳＢ２５）。
【００９８】
ここで、制御部２１は、例えば、風速の影響を無視できる場合は、ユーザが入力し携帯端末３から送信された使用ゴルフクラブ番号と同一のゴルフクラブ番号に対応する参照飛距離情報を、打球の予測飛距離として抽出し、ストローク位置からストローク方向に沿って予測飛距離離れた位置を予測落下位置として求め、この予測落下位置に到る軌跡を求める。
携帯端末３は、この予測情報を受信すると、制御部４８は、図１７に示すように、打球位置（始点位置）から着地点へ到る軌跡を表示部５５に表示させる（ステップＳＢ２６）。
この後、ユーザは、擬似プレイの結果を参考にして、必要に応じて修正をし、実際に第１打を打つ。この例では、各ホールで、競技者としてのユーザＢ1，Ｂ2，…がスコアカードに打数を記録していく。
【００９９】
こうして、正規のラウンドが終了すると、クラブハウスへ戻り、ここで、ユーザＢ1，Ｂ2，…は、スコアカードをゴルフ場担当者に提出する。ゴルフ場担当者は、ゴルフ場端末１４を操作して、スコア表を表示させ、ユーザ名やスコアを入力する。ゴルフ場端末１４からは、スコア情報は、管理サーバ８へ転送され、集計処理や、評価処理が実行される。
管理サーバ８は、個人の集計処理として、各ホールでのスコアを求め、かつ、成績表にパーオンか否かや、パット数等を記載し、例えば前回のこのゴルフ場Ａでの競技におけるスコアとの差や、使用ゴルフクラブ等の参考情報も記載する。次に、管理サーバ８は、ハンディキャップを考慮して、パーティーの各メンバーの順位を決定し、成績表に記録する。成績表の出力は、ゴルフ場端末１４の操作によって、印刷部４６を用いて行うか、又は固定端末４へ送信して行う。
なお、擬似プレイは、正規のラウンド終了後にクラブハウスで反省のために実施しても良い。また、事前に、予行演習として実施しても良い。また、アドバイス情報も競技後に受け取って、反省のために利用しても良い。
【０１００】
このように、この例の構成によれば、擬似プレイが選択されると、情報管理センタ２の管理サーバ８は、競技者としてのユーザＢ1，Ｂ2，…を支援するための競技支援情報として、使用するゴルフクラブ等に対応する予測情報としての落下地点（終点）までの軌跡を求めて提示するので、ユーザＢ1，Ｂ2，…は、携帯端末３の表示部５５の画面を見て、この予測情報を確認することができ、ユーザＢ1，Ｂ2，…は、自分が選んだゴルフクラブが最適であることを確認し、無駄なく的確な判断をしながら、正確に、打球を目標位置に到達させることができる。したがって、ユーザＢ1，Ｂ2，…は、誰でも十分楽しんで競技を行うことができる。
【０１０１】
また、ユーザＢ1，Ｂ2，…は、擬似プレイ（シミュレーション）を実行することによって、例えば、自分の勘が正しいか否か確認することができる。
また、アドバイス情報が選択されると、特に煩雑な入力を行うことなく、例えば、最適なゴルフクラブが通知されるので、簡単な操作によって、的確な情報を得て、判断に迷うことなく、正確に、打球を目標位置に到達させることができる。
また、管理サーバ８は、携帯端末３や固定端末４へ、ゴルフ場に関する情報を提示するので、ユーザＢ1，Ｂ2，…は、場所及び時間を問わず、ゴルフ場のコース情報等を確認して、例えばコースの攻略法の立案のために役立てることができる。
また、携帯端末３して、専用の機器を用いる必要がなく、既存の汎用の携帯電話機を用いることができるので、ユーザＢ1，Ｂ2，…は気軽に当該システムを利用することができる。
【実施例２】
【０１０２】
図１８及び図１９は、この発明の第２実施例である競技者支援システムの動作を説明するための説明図である。
この例が上述した実施例１と大きく異なるところは、実施例１では、アドバイス情報として、ユーザが用いるべき推奨ゴルフクラブ番号を提示したのに対して、これに加えて、風向及び風速に対応した調整角度情報も提示するように構成した点である。
これ以外の構成は、上述した実施例１の構成と略同一であるので、その説明を省略する。
【０１０３】
この例では、管理サーバ８の記憶部２２に記憶されたアドバイス情報提示プログラムには、全コースに亘る概略的な攻略方法に関するアドバイス情報を提示する手順と、ホール毎の攻略方法に関するアドバイス情報を提示する手順と、打球動作毎のアドバイス情報を提示する手順とが記述されている。
打球動作毎のアドバイス情報を提示する手順としては、例えば、ユーザＢ1，Ｂ2，…が入力し携帯端末３から送信されたストローク位置（始点位置）及び目標位置と、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出されたユーザＢ1，Ｂ2，…の個人情報（ゴルフクラブの種類毎の参照飛距離情報及び参照ずれ角度情報や、補正係数等）とに基づいて、ユーザＢ1，Ｂ2，…が用いるべき推奨ゴルフクラブ番号や、推奨調整角度情報、目標位置等を提示するための手順を含んでいる。
【０１０４】
例えば、図１８に示すように、ストローク位置（始点位置）Ｐ0からゴルフボールを打って、目標位置Ｐ1に到達させようとする場合に、この時点での風速Ｑが、共に無視できない目標方向（ストローク位置と目標位置とを結ぶ直線に沿った方向）Ｒ0に対して直交方向Ｒ1に沿った横成分（ｘ軸成分）Ｑxと、目標方向Ｒ0に沿った縦成分（ｙ軸成分）Ｑyとを持つとき、縦成分Ｑyと、ユーザＢ1，Ｂ2，…のゴルフクラブ毎の飛距離情報とに基づいて、ゴルフクラブの種類を選定し、横成分Ｑxと、ゴルフクラブ毎のずれ角度情報とに基づいて、調整角度を決定する。
【０１０５】
すなわち、距離算出処理で算出された携帯端末３の位置と目標位置との間の距離を、打球の所要飛距離として用い、現在の風速Ｑを、目標方向Ｒ0に沿った方向の縦成分Ｑyと、目標方向に直交した方向Ｒ1の横成分Ｑxとに分解して求め、所要飛距離と、風速Ｑの縦成分Ｑyとの組合せを、ユーザ情報データベースサーバ１２に記憶され、ユーザが使用したゴルフクラブ毎に示され、縦成分Ｑyに対応した参照飛距離情報に照合させて、所要飛距離と測定された現在の縦成分Ｑyとに対応するゴルフクラブを求めて、推奨ゴルフクラブを選定し、選定した推奨ゴルフクラブと、風速Ｑの横成分Ｑxとの組合せを、ユーザが使用したゴルフクラブ毎に、横成分Ｑxに対応した参照ずれ角度情報に照合させて、ゴルフクラブと現在の横成分Ｑxとに対応する調整角度を推奨調整角度として求める。
【０１０６】
ここで、縦成分Ｑyと参照飛距離情報との組合せや、横成分Ｑxと参照ずれ角度情報との組合せとしては、予め設定された許容近似範囲内のデータの組合せが抽出されるが、照合の結果、適切なデータの組合せが存在しない場合は、例えば、所定の補間処理を行うか、予め求めた補正係数を、基準となる参照飛距離情報や参照ずれ角度情報に乗じて、データとして用いる。
【０１０７】
例として、補正係数を用いる場合について述べる。
まず、ユーザ情報データベースサーバ１２から縦成分Ｑyに対応する補正係数を抽出する。この補正係数は、目標方向Ｒ0に風が吹いている場合（追い風の場合）は、１よりも大きい数、目標方向Ｒ0に対して正反対の方向に風が吹いている場合（向かい風の場合）は、１よりも小さい数とされる。この補正係数で、距離算出処理で算出した目標までの距離を除して、補正された距離を求め、この補正された距離をユーザ情報データベースサーバ１２に記憶された参照飛距離情報に当てはめ、この参照飛距離情報に対応するゴルフクラブを選定する。
【０１０８】
また、ユーザ情報データベースサーバ１２から横成分Ｑxに対応し、選定したゴルフクラブに対応する補正係数を抽出する。この補正係数は、横成分Ｑxが、基準風速（例えば、２０［ｍ／ｓ］）よりも大きい場合は、１よりも大きい数、上記基準風速よりも小さい場合は、１よりも小さい数とされる。
この補正係数を、ユーザ情報データベースサーバ１２に記憶された参照ずれ角度情報に、乗じて、補正されたずれ角度情報を得る。目標方向Ｒ0に対してこのずれ角度と同じ大きさで逆向きの調整角度θだけずらした補正方向Ｒ2が、推奨されるストローク方向となる。この例では、調整角度θは、反時計周りに「＋」としている。なお、この調整角度は、水平面内の角度である。なお、ユーザの個人情報（参照ずれ角度情報等）が十分蓄積されていない場合には、他のユーザの個人情報も参照する。
【０１０９】
また、擬似プレイプログラムには、提示された風向及び風速を含む気象情報やゴルフ情報、距離算出処理で算出された目標までの距離情報を参照して、ユーザＢ1，Ｂ2，…が入力し携帯端末３から送信されたストローク位置（始点位置）及び目標位置、使用ゴルフクラブ番号並びに調整角度と、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出されたユーザの個人情報（ゴルフクラブの種類毎の参照飛距離情報及び参照ずれ角度情報等）とに基づいて、打球（ゴルフボール）のストローク位置（始点位置）から到達位置（終点位置）に至る軌跡を求め、提示するための手順が記述されている。
【０１１０】
例えば、現在の風速Ｑを、ストローク方向に沿った方向の成分と、ストローク方向に直交した方向の成分とに分解して求め、使用ゴルフクラブと同一のゴルフクラブと、ストロ−ク方向に沿った方向の風速Ｑの成分とに対応した打球の参照飛距離を予測飛距離として求め、使用ゴルフクラブと同一のゴルフクラブと、ストローク方向に直交した方向の風速Ｑの成分とに対応した打球の参照ずれ角度を予測ずれ角度として求め、ストローク位置からストローク方向に対して予測ずれ角度回転した方向に沿って予測飛距離離れた位置を予測落下位置として求め、この予測落下位置に到る軌跡を求める。
【０１１１】
また、ユーザ情報データベースサーバ１２の記憶部３２には、ユーザの個人情報として、各ユーザの各ゴルフクラブの種類に対応した飛距離情報が、過去に実施された競技で収集して得られたデータとして、又はアドバイス情報提供や擬似プレイのために特に測定されたデータとして、競技時の気象条件等と共に記憶されている。
さらに、多数の飛距離情報から、特に好条件下（例えば、無風、降雨なし、低不快指数）で得られたデータが抽出され、代表値として平均値が求められて、ユーザ毎に、情報提供時に使用するための参照飛距離情報として記憶されている。また、目標方向Ｒ0に沿った風速Ｑの縦成分Ｑyに対応した補正係数が記憶されている。この補正係数は、目標方向Ｒ0に風が吹いている場合（追い風の場合）は、１よりも大きい数、目標方向と反対に風が吹いている場合（向かい風の場合）は、１よりも小さい数とされる。
【０１１２】
また、記憶部３２には、各ユーザの各ゴルフクラブの種類と風向及び風速とに対応した打球のずれ角度情報が、過去に実施された競技で収集して得られたデータとして、又はアドバイス情報提供や擬似プレイのために特に測定されたデータとして、競技時の気象条件等と共に記憶されている。
このずれ角度は、風速Ｑに、目標方向Ｒ0に対する直交方向Ｒ1に沿った横成分（ｘ軸成分）Ｑxがある場合に、この横成分Ｑxの大きさ及び向きと、目標方向Ｒ0とゴルフボールの飛翔方向（打球位置と落下位置とを結ぶ直線に沿った方向）とのなす水平面内の角度を示している。
【０１１３】
さらに、多数のずれ角度情報から、特に好条件下（例えば、降雨なし、低不快指数）で得られたデータが抽出され、例えば、基準風速（風速の直交成分、例えば、２０［ｍ／ｓ］）に対応した代表値として平均値が求められて、ユーザ毎に、情報提供時に使用するための参照ずれ角度情報として記憶されている。また、横成分Ｑxの大きさに対応した補正係数が記憶されている。この補正係数は、風速Ｑの横成分Ｑxが、上記基準風速よりも大きい場合は、１よりも大きい数、上記基準風速よりも小さい場合は、１よりも小さい数とされる。
このずれ角度と大きさが同じで逆向きの調整角度θは、予め調整すべきストローク方向を示し、この例では、反時計周りの場合に正（「＋」）（風速Ｑの横成分Ｑxが正（「＋」）の場合に対応）、時計周り場合に負（「−」）（風速Ｑの横成分Ｑxが負（「−」）の場合に対応）と表記する。
【０１１４】
また、所定のホールで、ユーザＢ1，Ｂ2，…が、例えば、第４打を打つ前に、強風が吹いている場合に、使用ゴルフクラブや調整角度で、アドバイスを受けたい場合には、図１３に示すアドバイスメニュー画面の「３．打球動作時アドバイス」を選択すると、例えば、図１９に示すように、表示部５５に画面が表示され、この画面の画像表示領域７９ａには、目標地点Ｐ1を含む目標線Ｓ1と、補正目標地点を含む補正目標線Ｓ2とが表示され、また、推奨情報表示領域７９ｂには、推奨ゴルフクラブ（この例では７番アイアン）と、推奨調整角度（この例では＋３０°）が表示され、アドバイスがされる。なお、気象情報表示領域７９ｃには、風速（この例では２５．０［ｍ／ｓ］）及び風向（この例では西）が表示され、距離情報表示領域７９ｄには、目標までの距離（この例では１１０［Yard］）が表示される。
【０１１５】
この例の構成によれば、上述した実施例１と略同様の効果を得ることができる。
加えて、擬似プレイが選択されると、情報管理センタ２の管理サーバ８は、競技者としてのユーザＢ1，Ｂ2，…を支援するための競技支援情報として、使用するゴルフクラブ等に対応する風速を考慮した予測情報としての落下地点（終点）までの軌跡を求めて提示するので、ユーザＢ1，Ｂ2，…は、携帯端末３の表示部５５の画面を見て、この予測情報を確認することができ、ユーザＢ1，Ｂ2，…は、風速を考慮し自分が選んだゴルフクラブが最適であることを確認し、無駄なく的確な判断をしながら、正確に、打球を目標位置に到達させることができる。したがって、強風下でも、ユーザＢ1，Ｂ2，…は、誰でも十分楽しんで競技を行うことができる。
また、ユーザＢ1，Ｂ2，…は、擬似プレイ（シミュレーション）を実行することによって、例えば、自分の勘が正しいか否か確認することができる。
【実施例３】
【０１１６】
この例が上述した実施例２と大きく異なるところは、実施例２では、アドバイス情報として、ユーザが用いるべき推奨ゴルフクラブ番号と調整角度情報とを提示したのに対して、これに加えて、スイング強度情報も提示する点である。
これ以外の構成は、上述した実施例２の構成と略同一であるので、その説明を省略する。
【０１１７】
この例では、管理サーバ８の記憶部２２に記憶されたアドバイス情報提示プログラムには、全コース情報と、ホール情報と、各打球情報とを含み、例えば、ユーザが入力した打球位置（始点位置）、及び目標位置（終点位置）と、気象情報と、ユーザの個人情報（ゴルフクラブの種類毎の参照飛距離情報及び参照調整角度情報等）に基づいて、ユーザが用いるべき推奨ゴルフクラブ番号、目標位置、調整角度、及びスイング強度を提示するための手順が記述されている。
【０１１８】
この例でスイング強度とは、例えば、競技者としてのユーザＢ1，Ｂ2，…が、所定のゴルフクラブを使用してフルスイング（１００％）して飛距離が１００［Yard］の場合に、飛距離を９０［Yard］とするスイング強度を９０％とする。ユーザＢ1，Ｂ2，…は、競技前に、例えば、クラブハウス内で実際にスイングを試みてスイング強度の感覚を確認できるものとする。
また、擬似プレイプログラムには、風向及び風速を含む気象情報を参照して、ユーザＢ1，Ｂ2，…が入力した始点位置、ゴルフクラブ番号、目標位置、調整角度、及びスイング強度と、気象情報と、ユーザの個人情報（ゴルフクラブの種類毎の参照飛距離情報及び参照ずれ角度情報等）とに基づいて、打球の始点位置から終点位置に至る軌跡を求め、提示するための手順が記述されている。
【０１１９】
この例の構成によれば、上述した実施例２と略同様の効果を得ることができる。
加えて、スイング強度を考慮するので、一段と正確に打球を目標位置に到達させることができる。
【実施例４】
【０１２０】
図２０は、この発明の第４実施例である競技者支援システムの動作を説明するための処理手順図である。
この例が上述した実施例１と大きく異なるところは、実施例１では、携帯端末を用いて、ゴルフ場で主として競技中にサービスの提供を受けたのに対して、例えば擬似プレイを、ユーザが、固定端末を用いて自宅で実施可能なように構成した点である。
これ以外の構成は、上述した実施例１の構成と略同一であるので、その説明を省略する。
【０１２１】
ゴルフＡの所定のホールで、ユーザＢ1，Ｂ2，…が、例えば、第１打を打つとした場合に、提供されたコース情報や気象情報等を参照して、所定のゴルフクラブを選択したときの予測結果を知りたいと考えた場合は、擬似プレイを行う。
ユーザの操作によって、所定のＵＲＬが設定されて、固定端末４が情報管理センタ２にアクセスし、ユーザのＩＤ番号やパスワードの送信の後、所定の認証処理が行われ、固定端末４が情報管理センタ２に対して競技者支援メニューの閲覧要求を行うと（ステップＳＣ１１（図２０））、管理サーバ８は、このメニュー閲覧要求を受けて、制御部２１は、競技者支援メニュー情報を固定端末４へ送信する（ステップＳＣ１２）。これにより、固定端末４の制御部６１は、図１２に示すように、競技者支援メニュー画面を表示部６４に表示させる。
【０１２２】
競技者支援メニュー画面で「３．擬似プレイ」が選択されると、擬似プレイ要求が情報管理センタ２の管理サーバ８へ送られる（ステップＳＣ１３）。管理サーバ８の制御部２１は、擬似プレイ要求を受け取ると、使用するゴルフクラブやストローク方向等の設定情報を固定端末４に対して要求する（ステップＳＣ１４）。固定端末４は、設定情報要求を受け取ると、使用するゴルフクラブやストローク方向等の設定情報を情報管理センタ２の管理サーバ８へ送信する（ステップＳＣ１５）。
【０１２３】
管理サーバ８の制御部２１は、使用ゴルフクラブの種類とストローク方向と、気象情報データベースサーバ１１から抽出された風向及び風速を含む気象情報と、コース情報データベースサーバ９から抽出されたコース情報（例えば、傾斜等の地形情報）と、ユーザ情報データベースサーバ１２から抽出されたユーザの個人情報（ゴルフクラブの種類毎の参照飛距離情報等）とに基づいて、打球（ゴルフボール）の打球位置（始点位置）から目標位置（終点位置）に至る軌跡を求め、予測情報として固定端末４へ送信する（ステップＳＣ１６）。固定端末４は、この予測情報を受信すると、制御部６１は、打球位置（始点位置）から着地点へ到る軌跡を表示部６４に表示させる（ステップＳＣ１７）。
【０１２４】
この例の構成によれば、上述した実施例１と略同様の効果を得ることができる。
加えて、例えば擬似プレイを、ユーザが、固定端末を用いて自宅で実施することが可能であるので、自宅にいながらにして、予行演習を行って成績向上に努めたり、競技後の再現を行って反省点を明確にすることができる。
【実施例５】
【０１２５】
図２１は、この発明の第５実施例である競技者支援システムの動作を説明するための説明図である。
この例が上述した実施例１と大きく異なるところは、競技進行管理機能を付加した点である。
これ以外の構成は、上述した実施例１の構成と略同一であるので、その説明を省略する。
【０１２６】
この例では、ゴルフ場Ａ内で競技する各パーティーの競技者が、この競技者支援システムを利用しているものとする。
管理サーバ８の記憶部２２には、競技進行管理プログラム及び警報送信プログラムが記憶されている。この競技進行管理プログラムには、ゴルフ場Ａ内で競技する各パーティーの競技者としてのユーザＢ1，Ｂ2，…の各携帯端末３の位置及び時刻を監視し、ゴルフ場Ａ内のユーザの配置状態を調整するために警報や、進行指示、待機指示、休息・食事勧奨通知を携帯端末３へ送信するための手順が記述されている。
【０１２７】
また、この例の警報送信プログラムには、特に雷や霧の発生予報を取得した場合に、警報を携帯端末３へ送信するための手順と、ゴルフボールの飛距離と所定の安全距離との和の範囲内に、ユーザの各携帯端末３が位置し、このユーザに打球が飛来する危険がある場合に警報を携帯端末３へ送信するための手順が記述されている。
携帯端末３で、競技開始直前に、パーティーの競技者の代表者が、図２１に示すように、「５．競技進行管理」を選択して、構成員の氏名やＩＤ番号等を入力後、競技進行管理処理開始要求を行うことによって、管理サーバ８は、この携帯端末３宛てに必要に応じて警報や指示を送信する。
【０１２８】
例えば、各パーティーの判断で、競技中に休息や食事のために、コースを離れることを、携帯端末３から一時離脱通知を受けた場合に、又は、携帯端末３から通知がなくとも、各携帯端末３の位置情報から、パーティーがコースから離れたと判断した場合には、管理サーバ８は、例えば、後続のパーティーが待機している場合には、このパーティーの構成員の携帯端末３に対して進行指示を間隔が詰まるまで継続して送信する。また、一時離脱したパーティーの携帯端末３から復帰要求を受け取った場合には、各パーティーの競技進行状況に基づいて、所定のタイミングで、所定のパーティーの携帯端末３へ待機指示又は休息・食事勧奨通知を送信し、同時に復帰要求を送信してきた携帯端末３へ再開受入通知を送信する。
【０１２９】
また、管理サーバ８の制御部２１は、携帯端末３からストローク情報を受け取ると、ストローク情報を送信した携帯端末３から所定の方向を含む所定の半径の略扇形の領域内に位置する携帯端末３に対して、打球飛来危険情報を生成して送信する。打球飛来危険情報を受け取った携帯端末３は、音声出力部５９から打球飛来警報を出力する。
また、管理サーバ８の制御部２１は、気象情報提供サーバ６から、特に雷や霧の発生予報を取得すると、落雷警報や濃霧警報を携帯端末３へ送信する。落雷警報や濃霧警報を受け取った携帯端末３は、表示部５５に、警告メッセージを表示させると共に、警報音声出力部５９から例えば音声メッセージを出力する。
【０１３０】
この例の構成によれば、上述した実施例１と略同様の効果を得ることができる。
加えて、管理サーバ８は、ゴルフ場Ａ内のユーザの配置状態を調整するために警報や指示を携帯端末３へ送信するので、例えば、無駄な待ち時間を無くし、必要以上にパーティ間の間隔を開けることを防ぐことができ、競技者は、快適に競技を楽しむことができる。
また、管理サーバ８が、特に雷や霧の発生予報を取得した場合に、安全管理情報としての落雷警報や濃霧警報等を携帯端末３へ送信し、打球飛来する危険がある場合に安全管理情報としての打球飛来警報を携帯端末３へ送信するので、競技中のユーザＢ1，Ｂ2，…の安全を確実に確保することができる。したがって、競技者は、安心して競技に意識を集中させて、競技を楽しむことができる。
【実施例６】
【０１３１】
図２２は、この発明の第６実施例である競技者支援システムの動作を説明するための説明図である。
この例が上述した実施例５と大きく異なるところは、施設利用案内機能を付加した点である。
これ以外の構成は、上述した実施例５の構成と略同一であるので、その説明を省略する。
【０１３２】
情報管理センタは、ゴルフ場内のレストランや手洗い所等の施設に関する情報等が常時更新された状態で記憶する施設情報データベースサーバ（不図示）を有している。
情報管理センタ２には、ゴルフ場内のレストラン等の施設に設置された施設端末がネットワーク５を介して又は直接接続され、施設空き情報や広告情報の情報管理センタ２を介した携帯端末３への送信依頼が可能なようになされている。
管理サーバ８の記憶部２２には、施設利用案内プログラムが記憶されている。この施設利用案内プログラムには、レストラン等の施設空き情報や広告情報、商品情報等を提示するための手順が記述されている。
【０１３３】
管理サーバ８の制御部２１は、各携帯端末３の位置情報及び対応する時刻情報に基づいて、施設空き情報や広告情報を含む案内情報を送信すべき携帯端末３を選定し、選定された携帯端末３へ案内情報を所定のタイミングで送信し、携帯端末３が、案内対象の施設から所定の距離に達すると、施設に関する案内情報を携帯端末３へ送信する。
携帯端末３では、図２２に示すように、「６．施設利用案内」を選択することによって、ゴルフ場内のレストラン等の施設のメニュー情報（推奨メニュー等）を含む営業情報が表示される。この例では、レストラン等に対して席予約や注文が可能とされる。
【０１３４】
この例の構成によれば、上述した実施例５と略同様の効果を得ることができる。
加えて、ユーザにとっては、無駄な待ち時間を低減し、競技のために有効に時間を割き、ストレスを感じることなく競技を楽しむことができる。
また、レストラン等の施設の経営主体も、効率的に集客を行うことができる。
【実施例７】
【０１３５】
この例が上述した実施例４と大きく異なるところは、ユーザが、実際の競技者と共に、擬似的に競技に参加可能とし、擬似競技者として評価され、順位を与えられるようにした点である。
これ以外の構成は、上述した実施例４の構成と略同一であるので、その説明を省略する。
【０１３６】
この例では、ゴルフカートにコースのライブ画像（実時間映像）を撮影するためのカメラが搭載され、情報管理センタ２の管理サーバ８を介して、固定端末４へ配信される。
また、固定端末４の表示部６４には、コースのライブ画像が擬似プレイのためのコース画面と切り換えられて又は画面分割されて表示される。
ユーザＢ1，Ｂ2，…は、擬似競技者として、競技に参加し、固定端末４の表示部６４に表示されたライブ画像を確認しながら、ゴルフ場で実際に競技している競技者の競技の進行に合わせて、擬似プレイを行う。
管理サーバ８は、擬似競技者のスコアを含めて、自動集計処理を行い、全体の順位を含む成績表を作成する。なお、管理サーバ８は、擬似競技者のみの順位も求める。
【０１３７】
この例の構成によれば、上述した実施例４と略同様の効果を得ることができる。
加えて、実際の競技に参加できないものでも、擬似プレイを楽しむことができ、娯楽性を高めることができる。
【実施例８】
【０１３８】
この例が上述した実施例１と大きく異なるところは、健康管理機能を付加した点である。
これ以外の構成は、上述した実施例１の構成と略同一であるので、その説明を省略する。
【０１３９】
管理サーバ８の記憶部２２に記憶されたアドバイス情報提示プログラムには、ユーザの健康管理情報を参照して、ユーザが用いるべき推奨ゴルフクラブ番号や、推奨スイング強度、目標位置等を提示するための手順が記述されている。
ユーザ情報データベースサーバ１２の記憶部３２には、個人情報として、各ユーザの健康管理情報が記憶されている。健康管理情報としは、心拍数や、血圧値、背筋力、握力等の現在に至るデータを含んでいる。ユーザの希望により、競技開始前に、例えばクラブハウス内で測定が行われ、記録される。
管理サーバ８の制御部２１は、健康状態を示す現在の心拍数等の指標が過去の指標よりも悪化していると判断した場合に、安全管理情報としての体調注意情報を生成して携帯端末３へ送信する。管理サーバ８から体調注意情報を受け取った携帯端末３は、表示部５５に体調注意メッセージを表示させる。この体調注意情報には、例えば体力を温存するために修正された推奨ゴルフクラブ番号や推奨スイング強度の情報が付加される。
【０１４０】
この例の構成によれば、上述した実施例１と略同様の効果を得ることができる。
加えて、競技者としてのユーザの競技中の安全を一段と高めることができる。したがって、競技者は、安心して競技を楽しむことができる。
【実施例９】
【０１４１】
図２３は、この発明の第９実施例である競技者支援システムの構成を示す図である。
この例が上述した実施例１と大きく異なるところは、複数のゴルフ場の情報を提供可能とした点である。
これ以外の構成は、上述した実施例１の構成と略同一であるので、その説明を省略する。
【０１４２】
この例の競技者支援システム１Ａは、図２３に示すように、サービス提供事業者Ｄが管理する情報管理センタ２Ａと、各ゴルフ場Ａ1（Ａ2，Ａ3，…）の例えばクラブハウスに設置されたゴルフ場サーバ８１，８１，…と、ゴルフを行う競技者としてのユーザＢ1，Ｂ2，…がゴルフ場Ａ1（Ａ2，Ａ3，…）内で用いる携帯端末３，３，…と、例えばユーザＢ1，Ｂ2，…の自宅に設置された固定端末４，４，…とが、ネットワーク５を介して接続されてなっている。
この例では、ユーザ情報データベースサーバ９には、各ゴルフ場Ａ1（Ａ2，Ａ3，…）に対応付けられてユーザ情報が記憶され、携帯端末３が、各ゴルフ場Ａ1（Ａ2，Ａ3，…）
を指定するためのゴルフ場指定情報と、設定情報とを送信すると、管理サーバ８は、設定情報に対応する予測情報等を生成して提示する。
なお、情報管理センタ２には、ゴルフ場Ａ1（Ａ2，Ａ3，…）を含む局所地域の気象現況や天気予報情報等の提供を受けるための気象情報提供サーバ６が接続されている。
【０１４３】
この例の構成によれば、上述した実施例１と略同様の効果を得ることができる。
加えて、ユーザは、単一のゴルフ場のみならず、多数のゴルフ場の情報を得て、例えば、多彩なコースでの多様な擬似プレイを楽しむことができる。
【実施例１０】
【０１４４】
図２４は、この発明の第１０実施例である競技者支援システムの携帯端末の構成を示すブロック図、また、図２５は、同競技者支援システムの動作を説明するための説明図である。
この例が上述した実施例１と大きく異なるところは、スコアの自動集計が可能な構成とした点である。
これ以外の構成は、上述した実施例１の構成と略同一であるので、その説明を省略する。
【０１４５】
この例では、管理サーバ８の記憶部２２に記憶された自動集計プログラムには、携帯端末３Ａの位置情報を周期的に取得し、位置情報及び対応する取得時刻と、携帯端末３Ａから送信されたスコア情報（ストローク情報）とに基づいて、携帯端末３Ａの所有者としてのユーザＢ1，Ｂ2，…の競技結果を集計し、成績情報を生成する手順が記述されている。
例えば、競技終了後、各携帯端末３Ａから送信されたストローク検出データ及び各ストロークの検知時刻情報と、携帯端末３Ａの各位置情報とに基づいて、対応する競技者の各ホールの打数が算出される。
【０１４６】
すなわち、管理サーバ８の制御部２１は、ゴルフ場Ａ内の所定のホールのスタート位置とピン位置との間に携帯端末３が位置していた場合のストロークを、このホールにおけるストロークと判断し、打数として計数する。
また、自動集計プログラムには、携帯端末３Ａの連続したストローク時の位置情報に基づいて、使用したゴルフクラブに対応する各打球の飛距離を算出する手順と、競技進行速度を算出する手順と、各打球の飛距離情報とこれに対応したゴルフクラブ種類識別データとの組合せ、及び競技進行速度を、このユ−ザＢ1（Ｂ2，Ｂ3…）の競技者情報として、ユーザ情報データベースサーバ１２へ転送する手順とが記述されている。
【０１４７】
携帯端末３Ａは、制御部８３と、記憶部８４と、ＧＰＳアンテナ８５と、ＧＰＳ受信部８６と、無線通信アンテナ８７と、無線通信部８８と、表示部８９と、操作部９１と、受話部９２と、送話部９３と、音声出力部９４と、計測用マイクロフォンを有してなる集音部９５と、打球音を検出する音響検出部９６と、ゴルフクラブに取着されたタグ装置からゴルフクラブ識別情報及び個人識別情報を読み取るためのタグデータ読取部９７とから概略構成されている。
【０１４８】
記憶部８４には、スコア情報収集プログラムが記憶されている。スコア情報収集プログラムには、音響検出部９６から出力された認識結果に基づいて、所定のレベル以上の打球音が検知されたと判断した場合に、打数としてカウントしてストローク検出データとして検知時刻情報とともに蓄積する手順と、タグデータ読取部９７からゴルフクラブ種類識別データ及び個人識別データを受け取った場合に、データを蓄積する手順とが記述されている。
なお、このスコア情報収集プログラムは、予め記憶されるか、又は例えばゴルフ場主のホームページにアクセスした後にダウンロードして用いられる。
【０１４９】
音響検出部９６は、入力された音響データのスペクトルを求める音響分析処理部と、打球音の標準パターンが格納された標準パターン格納部と、この標準パターンに基づいて、打球音を認識する認識処理部とを有している。
また、ゴルフクラブには、ゴルフクラブ種類識別のためのタグ装置（不図示）が取着され、使用前に、タグデータ読取部によって読み取られる。
タグ装置は、非接触形のデータキャリアであり、制御部と、記憶部と、この記憶部に記憶されたデータを無線送信する無線部とを有している。記憶部には、ゴルフクラブ種類識別データと個人識別データとを含む情報が記憶されている。
【０１５０】
この例では、携帯端末３Ａで、競技開始直前に、パーティーの競技者の代表者が、図２５に示すように、「５．自動集計」を選択して、構成員の氏名やＩＤ番号等を入力後、自動集計処理開始要求を行うことによって、管理サーバ８は、自動集計処理を開始し、携帯端末３Ａの位置情報を監視する。
競技者としてのユーザＢ1，Ｂ2，…は、アドバイス情報や、擬似プレイの結果を参考にして、実際のプレイを行う。ユーザＢ1（Ｂ2，Ｂ3，…）が第１打を打つために、ゴルフクラブを選択して、ゴルフクラブに取着されたタグ装置が携帯端末３Ａに接近すると、タグデータ読取部９７が、タグ装置からゴルフクラブ識別情報及び個人識別情報を読み取り、制御部８３は、ゴルフクラブ識別情報及び個人識別情報を記憶部８４に記憶させる。
ここで、ストローク前にゴルフクラブが変更された場合は、ゴルフクラブ識別情報を更新する。また、制御部８３は、タグ装置から読み取った個人識別情報が、ユーザＢ1（Ｂ2，Ｂ3，…）のものと異なる場合には、表示部８９に所定の通知メッセージを表示させる。
【０１５１】
ユーザＢ1（Ｂ2，Ｂ3，…）が第１打を打つと、集音部９５が打球音を集音し、音響検出部９がゴルフボールの打球音とし認識し、所定のレベル以上の打球音が検知された場合は、制御部８３は、この認識結果に基づいて、ユーザＢ1（Ｂ2，Ｂ3，…）によって、ストロークがなされたものと判断し、１打数としてカウントしてストローク検出データとして検知時刻情報とともに記憶部８４に記憶させる。このようにして、各ホールで、各ストロークの検出が行われる。
【０１５２】
ユーザＢ1（Ｂ2，Ｂ3，…）が、正規のラウンドを終了し、コースから外れると、管理サーバ８の制御部２１は、各携帯端末３の位置情報から、競技終了と仮に判断し、各携帯端末３にスコア情報の送信を要求する。
携帯端末３では、送信要求を受けると、制御部８３は、１８ホール分のストローク検知データ及び検知時刻情報を含むスコア情報を情報管理センタ２へ送信する。
情報管理センタ２では、管理サーバ８の制御部２１は、受信したストローク検知データ及び検知時刻情報の組合せと、携帯端末３の位置情報と、コース情報とから、競技終了と判定すると、これらの情報に基づいて、各ホールでの打数を算出する。
【０１５３】
管理サーバ８の制御部２１は、例えば、ゴルフ場Ａ内の所定のホールのスタート位置とピン位置との間に携帯端末３が位置していた場合のストロークを、このホールにおけるストロークと判断し、打数として計数し、ユーザＢ1，Ｂ2，…の競技結果を集計し、成績情報を生成する。
また、管理サーバ８の制御部２１は、携帯端末３Ａの連続したストローク時の位置情報に基づいて、使用したゴルフクラブに対応する各打球の飛距離を算出し、競技進行速度を算出し、さらに、各打球の飛距離情報とこれに対応したゴルフクラブ種類識別データとの組合せ、及び競技進行速度を、このユ−ザＢ1（Ｂ2，Ｂ3…）の競技者情報として、ユーザ情報データベースサーバ１２へ転送する。
【０１５４】
この例の構成によれば、上述した実施例１と略同様の効果を得ることができる。
加えて、携帯端末３は、音響検出部９６から打球音検知信号を受け取ると、競技者によってストロークが行われたものと判定し、携帯端末３は、打数データを管理サーバ８へ送信するので、競技者がスコアカードにデータを記入する手間に加え、ストローク毎に通知又は入力する手間も省くことができるので、競技者は、競技に専念することができる。
また、携帯端末３は、ゴルフクラブに取着されたタグ装置からゴルフクラブの識別情報を読み取り、携帯端末３は、この識別情報を管理サーバ８へ送信するので、競技者が、スコアカードにデータを記入したり入力することなく、各ストロークで使用したゴルフクラブの種類を競技情報として自動的にかつ簡単に収集することができる。
【実施例１１】
【０１５５】
図２６は、この発明の第１１実施例である競技者支援システムの動作を説明するための説明図である。
この例が上述した実施例１と大きく異なるところは、携帯端末に表示部にアドバイス提示等の機能を直接呼び出す機能アイコンを表示させるように構成した点である。
これ以外の構成は、上述した実施例１の構成と略同一であるので、その説明を簡略にする。
【０１５６】
携帯端末２の記憶部４９には、ホームページアドレスとしての所定のＵＲＬにアクセスして所定のコンテンツを閲覧するための閲覧プログラムとしてのブラウザや、所定のプログラムやＵＲＬ情報を直接読み出すためのショートカット用のアイコンを表示部に表示させるアイコン表示制御プログラム等を含む各種プログラムや、予め指定された所定のＵＲＬ情報を含む各種情報が記憶されている。
アイコン表示制御プログラムには、アイコン及びアイコンを選択するためのカーソルを表示させる手順が記述されている。この例では、制御部４８は、アイコンが選択された際に、階層構造化されて記憶されたメニュー画面情報のうち、下層側のメニュー画面情報等を直接表示させるか、又は所定の機能を果たすためのプログラムを実行する。
【０１５７】
この例の携帯端末２では、操作部５６のカーソルキーによって選択され、所定の機能を呼び出すためのアイコンが、表示部５５に表示される。例えば、待受画面の右下のアイコン表示領域９８には、ゴルフ場情報要求アイコン９９ａや、アドバイス情報要求アイコン９９ｂ、擬似プレイ要求アイコン９９ｃ等が表示される。
例えば、ゴルフ場情報要求アイコン９９ａを選択することによって、途中のＵＲＬ設定画面等メニュー画面の選択を経ることなく、情報管理センタ２の管理サーバ８にアクセスし、ゴルフ場の画像が得られる。
【０１５８】
この例の構成によれば、上述した実施例１と略同様の効果を得ることができる。
加えて、携帯端末２の制御部４８は、表示部５５に表示されたショートカット用のアイコンが選択されると、ブラウザを起動させ、所定のコンテンツを表示部５５に表示させるので、煩雑な操作を省き、携帯端末２の操作性を向上させることができる。
【０１５９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、ネットワークとして、移動通信網を用いて、この移動通信網を経由して、競技情報の送受信を行う場合について述べたが、もちろん、固定網を含めた場合にも、また、固定網のみの場合にも適用できるし、インターネットに接続する場合にも、接続しない場合にも適用できる。また、公衆回線に限らず、専用回線を含む場合にも適用できる。
また、競技者支援情報提示プログラムや端末位置算出プログラム、距離算出プログラムの少なくとも一部を、携帯端末の記憶部にも予め格納しておいても良いし、利用時にダウンロードして用いるようにしても良い。また、情報管理センタから、コース情報、気象情報及びユーザ情報を必要に応じて受け取って、携帯端末が、競技者支援情報提示処理を行うようにしても良い。さらに、コース情報、気象情報及びユーザ情報の少なくとも一部を、記憶部に所定の周期で更新された状態で格納するようにしても良い。
【０１６０】
また、携帯端末を用いて、事前に例えば自宅で擬似プレイを行うようにしても良い。
また、携帯端末が、ＧＰＳ信号部が受信した無線信号に基づいて、携帯端末自身の位置情報を生成して、管理サーバに送信するようにしても良い。
また、例えば、安全管理情報や、施設利用案内情報を、携帯端末３４へ自動着信で専用のスピーカから音声で通知するようにしても良い。
また、アドバイス情報と擬似プレイとは、独立に要求しても良いし、例えば交互に要求しても良い。
また、競技者としてのユーザの成績情報を、このユーザの固定端末に自動的にメールで送信するようにしても良い。
また、例えば、携帯端末３の現在位置情報の生成を専用のサーバで行うようにしても良い。
【０１６１】
また、風向風速計をゴルフカートに搭載して使用しても良い。
また、風速計として、例えば、ロビンソン風速計を用いても良いし、レーザ流速計や、熱線流速計を用いても良い。また、風速計に代えて、風圧計を用いても良い。
また、平面図に対応した断面図は、直線とは限らず、曲線に沿った断面を表示させるようにしても良い。
また、ゴルフカートの位置情報を取得するようにしても良い。これによって、不用なときは、各携帯端末３の電源をオフとしておくことができる。
【０１６２】
また、ユーザ端末として、据置型のパーソナルコンピュータを用いた固定端末に代えて、データ通信機能を有する携帯電話機や、簡易型携帯電話（ＰＨＳ）端末、携帯情報端末（ＰＤＡ）、携帯電話機携帯型のコンピュータ等の携帯端末を用いても良い。
また、ゴルフの場合の競技形式は、ストロークプレイでもマッチプレイでも良い。また、組対抗であっても良い。
また、ゴルフボール内に発振器を内蔵させ、例えば、ゴルフカートに受信器を搭載して、発振器から発せられた電波の強度を測定しながら、打球の落下位置を検出するための助けとしても良いし、コース内の多数の箇所（特に発見が困難な箇所）に、中継器を配置するようにしても良い。
【０１６３】
また、実施例２では、、無風状態のデータとしての参照飛距離情報に所定の補正係数を乗じて用いる場合について述べたが、参照飛距離情報は、例えば、目標方向に沿った風速の大きさ毎に用意しておいても良い。参照ずれ角度情報についても、補正係数を、横成分（直交方向に沿った風速の大きさ）毎に用意しておいても良い。また、基準風速は、もちろん２０［ｍ／ｓ］に限らず、適宜設定可能である。また、風向風速に限らず、雨量等の他の気象条件や、コースの地形条件等にも応じて、上記補正係数を算定するようにしても良い。また、上記補正係数は、ゴルフ場毎、気象条件毎に、用意しておいても良い。また、代表値としては、平均値に限らず、メジアンや、モードでも良い。
【０１６４】
また、実施例１０で、携帯端末が、スコア自動収集処理を実行する場合について述べたが、管理サーバがこのスコア自動収集処理を行うようにしても良い。
また、正規のラウンド終了後に、取得したスコア情報を情報管理センタ２へ送信する場合について述べたが、各ホールアウト後に、スコア情報を情報管理センタ２へ送信しても良いし、ストローク毎に検知情報を情報管理センタ２へ送信しても良い。また、タグ装置を用いずに、例えばゴルフカートに載せられたケースからゴルフクラブが取り出されたことを検知して、使用ゴルフクラブを判定するようにしても良い。
また、打数のカウントは、ストローク動作直前に、例えば、操作部の特定のキーを押下することによって行うようにしても良い。
【産業上の利用可能性】
【０１６５】
携帯端末としては、携帯電話機のほか、データ通信機能を有するＰＨＳ端末や、ＰＤＡ、携帯型のコンピュータを用いる場合に適用できる。また、競技の種目としては、ゴルフのほか、射撃競技等に適用できる。
【図面の簡単な説明】
【０１６６】
【図１】この発明の第１実施例である競技者支援システムの構成を示す図である。
【図２】同競技者支援システムの情報管理センタの構成を示すブロック図である。
【図３】同情報管理センタの管理サーバ、コース情報データベースサーバ、気象情報データベースサーバ、ユーザ情報データベースサーバ、及び課金サーバの構成を示すブロック図である。
【図４】同ユーザ情報データベースサーバの記憶部の構成を説明するための説明図である。
【図５】同情報管理センタのゴルフ場端末及び同競技者支援システムの固定端末の構成を示すブロック図である。
【図６】同情報管理センタに接続された気象観測装置の構成を示すブロック図である。
【図７】同競技者支援システムの携帯端末の構成を示すブロック図である。
【図８】同競技者支援システムに係るネットワークの構成を示す図である。
【図９】同ネットワークの通信管理センタの構成を示すブロック図である。
【図１０】同競技者支援システムの動作を説明するための処理手順図である。
【図１１】同競技者支援システムの動作を説明するための処理手順図である。
【図１２】同競技者支援システムの動作を説明するための説明図である。
【図１３】同競技者支援システムの動作を説明するための説明図である。
【図１４】同競技者支援システムの動作を説明するための説明図である。
【図１５】同競技者支援システムの動作を説明するための説明図である。
【図１６】同競技者支援システムの動作を説明するための説明図である。
【図１７】同競技者支援システムの動作を説明するための説明図である。
【図１８】この発明の第２実施例である競技者支援システムの動作を説明するための説明図である。
【図１９】同競技者支援システムの動作を説明するための説明図である。
【図２０】この発明の第４実施例である競技者支援システムの動作を説明するための処理手順図である。
【図２１】この発明の第５実施例である競技者支援システムの動作を説明するための説明図である。
【図２２】この発明の第６実施例である競技者支援システムの動作を説明するための説明図である。
【図２３】この発明の第９実施例である競技者支援システムの構成を示す図である。
【図２４】この発明の第１０実施例である競技者支援システムの携帯端末の構成を示すブロック図である。
【図２５】同競技者支援システムの動作を説明するための説明図である。
【図２６】この発明の第１１実施例である競技者支援システムの動作を説明するための説明図である。
【符号の説明】
【０１６７】
１，１Ａ      競技者支援システム
２      情報管理センタ（競技情報管理装置）
３，３Ａ      携帯端末（移動端末）
４      固定端末（ユーザ端末）
５            ネットワーク
６      気象情報提供サーバ
８      管理サーバ（競技者支援情報提示手段、端末位置算出手段、距離算出手段、集計処理手段、競技進行管理手段、競技者配置調整手段、注意情報送信手段、施設案内情報提示手段）
９      コース情報データベースサーバ（競技場情報記憶手段）
１１      気象情報データベースサーバ
１２      ユーザ情報データベースサーバ（競技者情報記憶手段）
１６      ＧＰＳ受信機
１７      気象観測装置（気象情報取得手段）
４８      制御部（競技情報収集手段、危険情報送信手段、アイコン表示制御手段、機能呼出手段）
４９      記憶部（競技情報記憶手段、端末機能情報記憶手段）
５２，８６      ＧＰＳ受信部（測位情報受信手段）
５４，８８      無線通信部（無線通信手段、ストロ−ク情報送信手段）
５５，８９      表示部（情報通知手段、表示手段）
５９，９４      音声出力部（情報通知手段、音声出力手段）
８１      ゴルフ場サーバ（競技場内情報処理装置）
８３      制御部（競技情報収集手段、ゴルフクラブ識別手段、ストロ−ク判定処理手段）
８４      記憶部（競技情報記憶手段）
９６      音響検出部（打球音検知手段）
Ａ，Ａ1，Ａ2，…      ゴルフ場（競技場）
Ｂ1，Ｂ2，…      ユーザ（競技者）
【図１】
2006081696.tif 000003
【図２】
2006081696.tif 000004
【図３】
2006081696.tif 000005
【図４】
2006081696.tif 000006
【図５】
2006081696.tif 000007
【図６】
2006081696.tif 000008
【図７】
2006081696.tif 000009
【図８】
2006081696.tif 000010
【図９】
2006081696.tif 000011
【図１０】
2006081696.tif 000012
【図１１】
2006081696.tif 000013
【図１２】
2006081696.tif 000014
【図１３】
2006081696.tif 000015
【図１４】
2006081696.tif 000016
【図１５】
2006081696.tif 000017
【図１６】
2006081696.tif 000018
【図１７】
2006081696.tif 000019
【図１８】
2006081696.tif 000020
【図１９】
2006081696.tif 000021
【図２０】
2006081696.tif 000022
【図２１】
2006081696.tif 000023
【図２２】
2006081696.tif 000024
【図２３】
2006081696.tif 000025
【図２４】
2006081696.tif 000026
【図２５】
2006081696.tif 000027
【図２６】
2006081696.tif 000028